(57)【要約】【課題】深くカスタマイズするインストレーションを獲得する装置及び方法を提供する。【解決手段】ソフト資産（プログラム、ソング、ビデオ映像等）は事前にディスクドライブ等の記憶媒体に記憶された厖大の量のソフト資産の集合から選ばれる。一部の実施例では、エンドユーザの選択過程を完成した後で選ばれなかった資産は記憶媒体から永久に削除されるが、残された資産はインストレールされたままに維持する（これらの資産は他のインストレーションの処理の手続きは不要である）。一部の実施例では、この新しい装置は記憶媒体エンドユーザに完全なる機能を提供し、数多くの資産の中から別々のソフト資産を選んだりインストールしたりする必要はない（例えばCDROMを分配するプログラム等）。一部の実施例では、記憶媒体は既にインストールされたソフト資産を含んで、その中にユーザの選択を引き出して選ばれなかった資産を消去するプログラムも含まれている。【選択図】  図１Ａ
2009521043.tif 000002
【特許請求の範囲】
【請求項１】
エンドユーザ装置の第一記憶媒体を処理する方法であって、中にはエンドユーザ装置に接続すると、インストールされた複数のプログラムソフト資産は機能的に、そして実質的に随時にエンドユーザの作動システム（OS）によって使用可能になる複数のインストールされたソフト資産を持つ広汎集合のデータセットや、プログラムソフト資産を執行するために作動システムに要求されるメタデータをもつ選別データや、少なくとも一つはディレクトリーデータ及び登録データが構成したグループから選ばれたメタデータや、広汎集合を複数の部分に分離させ、第一部分は一部の選別データを持っていて、第二部分は少なくとも広汎集合データセットにない一部の選別データを持つことを含めて、最初にエンドユーザ装置に接続する前に第一記憶媒体に書き込み、第一部分を第一記憶媒体のロケーションに書き込んだ一部の選別データを持たない広汎集合を持つ第二部分は通常作動システムによってそういうデータに使用され、第一記憶装置をエンドユーザ装置に書き込んだり、繋がったりしてから選択データによってソフト資産の部分集合を他の削除希望ソフト資産から保存して、第一記憶媒体以外における通常作動システムによってそういうデータに使うロケーションから少なくとも一部の選別データを持つ第一部分を検索して、選択データ及び検索された第一部分に基いて第一記憶媒体を自動的に修正し、その修正といえば、少なくとも検索された第一部分の選別データに含まれたメタデータの一部の修正バージョンを第一記憶装置に書き込みすることであり、そして削除しようとする他のソフト資産の配置を他のデータの保存用スペースにして、その削除しようとする部分集合をインストールされたかのように機能的かつ実質的に随時に利用可能にすることを特徴とする減算インストレーション方法。
【請求項２】
請求項１の方法により、少なくとも一部の選別データを持たない広汎集合のデータセットを持つ第二部分の第一記憶媒体に書き込みすることは第一記憶媒体に関連するエンドユーザ装置のための明細書を受け取ることより先に起こることを特徴とする減算インストレーション方法。
【請求項３】
請求項１の方法により、更に修正について、第一記憶媒体を第一記憶装置に接続していない装置と有効的に連結させたために、修正操作及び連結させられた装置は直接利用可能な状態になり、その修正は第一記憶装置とエンドユーザ装置とを有効的に連結させる前に、エンドユーザ装置以外の情報処理機によって実行されることを特徴とする減算インストレーション方法。
【請求項４】
請求項３の方法により、第一記憶媒体の修正について、第一記憶媒体にある作動システムのディレクトリーロケーションからディレクトリー情報の読み取りをして、エンドユーザ装置以外の第一記憶媒体に関連するロケーションにてディレクトリー情報を修正して、修正されたディレクトリー情報を作動システムのディレクトリーロケーションに書き込みをすることを特徴とする減算インストレーション方法。
【請求項５】
請求項３の方法により、更に第一記憶媒体の修正について、第一記憶装置における作動システムにデフォルトディレクトリーロケーションとして使われるディレクトリーロケーション以外のロケーションからディレクトリー情報の読み取りをすることを特徴とする減算インストレーション方法。
【請求項６】
請求項３の方法により、第一記憶媒体の修正について、記憶装置を関連させようとする第一記憶装置またはエンドユーザ装置以外のロケーションからディレクトリー情報を読み取りにして、修正して、そして第一記憶装置にある作動システムのディレクトリーロケーションに修正されたディレクトリー情報を書き込みをすることを特徴とする減算インストレーション方法。
【請求項７】
請求項３の方法により、広汎集合のデータセットの第二部分の第一記憶装置に書き込みをすることについて、一つの第二記憶装置を提供して、複数のソフト資産を第二記憶装置にインストールしてインストールしたソフトを含む主要広汎集合を創り、更に主要広汎集合のデータセットの第二部分を第一記憶媒体にコピーして、その主要広汎集合はインストールされた複数のソフト資産を執行するために作動システムに要求された少なくとも一部のメタデータを抜かすもので、これは主要広汎集合データセットの第二部分を複数の付加記憶媒介にコピーするプロセスの一部であり、特定の記憶装置メディアが特定のエンドユーザ装置に接続する前に、複数の付加記憶メディアに異なるインストールされたソフト資産の部分集合を含ませるように修正することを特徴とする減算インストレーション方法。
【請求項８】
請求項１の方法により、自動修正操作が実行されるまで第一記憶媒体に構成された複数のインストールされたソフト資産を利用不能に維持することを特徴とする減算インストレーション方法。
【請求項９】
請求項１の方法により、第一記憶媒体とエンドユーザ装置の連結は修正した後に最初に実行されて、そうしてこの装置は連結を完成すれば使用できるとなることを特徴とする減算インストレーション方法。
【請求項１０】
請求項１の方法により、第一記憶媒体とエンドユーザ装置の連結は修正する前に最初に実行されて、そうしてこの装置は修正を完成すれば使用できるとなることを特徴とする減算インストレーション方法。
【請求項１１】
第一記憶媒体と接続させるために構成されたインターフェイスや、記憶媒体をエンドユーザに接続させる前に第一記憶媒体に複数のインストールされたソフト資産から貰ったデータを持つ広汎集合データセットの第二部分や、第一記憶媒体には作動システムがメタデータに使ったロケーションにインストールされたソフト資産を執行するための、作動システムに要求された少なくとも一部のメタデータを持たない、そして少なくとも一つのメタデータはディレクトリーデータ及び登録データを組成するグループから選ばれたものを含む一種の装置であり、
更に選択データを獲得する方法について、作動システムが第一記憶媒体におけるそういうメタデータに使うロケーション以外のロケーションから広汎集合のデータセット第一部分を検索して、その検索された第一部分にはインストールされた複数のソフト資産を執行するために作動システムに要求された少なくとも一部のメタデータを含み、
そしてインターフェイスに連結する方法について、獲得した選択データ及び検索した広汎集合のデータセットの第一部分に基いて第一記憶媒体を修正し、その修正の方法には修正されたメタデータを第一記憶媒体に書き込んで、未選択の複数のインストールされたソフト資産データの位置に他のデータを保存させるスペースを作り、なおメタデータは検索した第一部分に含まれた少なくとも一部のメタデータに基いて修正したもので、選択された複数のインストールされたソフト資産はインストールされて機能的に、作動システムによって随時に利用可能であることを特徴とする減算インストレーション装置。
【請求項１２】
請求項１１の装置により、希望のソフト資産は人類ユーザによって選ばれることを特徴とする減算インストレーション装置。
【請求項１３】
請求項１２の装置により、希望のソフト資産はエンドユーザの一つ以上の特質に基づいて自動的に選択され、その特質にはランク、機能、組織の中におけるエンドユーザの地理位置、学校、大学入学許可の年、選択されたクラスのセット、または教育機関におけるポジションなどが含まれることを特徴とする減算インストレーション装置。
【請求項１４】
請求項１３の装置により、第一記憶媒体を修正する方法には、作動システムにデフォルトディレクトリーロケーションとして使われたディレクトリーロケーション以外の第一記憶媒体のロケーションからディレクトリー情報を読み取る方法や、ディレクトリー情報を修正する方法や、修正されたディレクトリー情報を作動システムのディレクトリーロケーションに書き込む方法を含むこと特徴とする減算インストレーション装置。
【請求項１５】
請求項１３の装置により、第一記憶媒体を修正する方法には、記憶媒体が関連しようとする第一記憶媒体またはエンドユーザ装置以外のロケーションからディレクトリー情報を読み取る方法や、ディレクトリー情報を修正する方法や、修正されたディレクトリー情報を第一記憶媒体における作動システムのディレクトリーロケーションに書き込む方法を含むこと特徴とする減算インストレーション装置。
【発明の詳細な説明】
【技術分野】
【０００１】
この発明はデジタルデータ処理に関し、特に一種の減算インストールに関する方法と装置であり、利用可能資産（available assets）入りのデジタル保存媒体からカスタム部分集合に使用希望の利用可能資産だけをインストールしてそれ以外の資産を取除き（減算インストール）、つまり利用可能資産セットの中から需要のものを選択し、そのデジタルコンテンツをより効率的に分配させるメカニズムに関する。
【背景技術】
【０００２】
汎用型パソコンの最大の問題は汎用ということで、これを買う個人や団体はパソコンを各自の使用目的に適応させるために、ファイルの読み取りやカスタマイズや配置などの手段よって目的別に改造しなければならない。この改造行為の中で一番迷惑な仕事はエンドユーザ（特にパソコン関連の専門知識は全く持っていない一部の消費者にとってパソコンは苦手のはず）は自ら順番に従って様々なソフトをインストールすべきことであり、例えばデジタルかアナログ、或いは他のフォームの作動システム、プログラミング、データおよび感知器（percepta）の情報とコンテンツ。更にインストールを完成した後ソフトに進入する前にユーザの個人情報をそれぞれのソフトの質問やプロンプトに踏まえて答えなければならない。そして最後の段階はソフト自身のインストールウィザードによって処理する。
【０００３】
ここに出現する「感知器（percepta）」というのはソフト資産のことであり、慣習上「データ」が量を示すのに対してこれは質を示す。感知器は一般的に、一定か可変の持続期間の間に現す簡単か複雑の感覚刺激を表現する。感知器は通常に自己描述コンテンツ（self-describing content）の選択可能な単体のアイテム或いは一個か数個のファイルによって構成される組織セットである。一部の実施例の中で、感知器は情報のデジタル表現を含み、しかし他の実施例ではアナログか他のタイプの表現に使われる。感知器の例として挙げれば更に図像（絵画・製図。写真を含めて）、動画及び映画やビデオを表示する音声ファイル、イーブック（e-books）、ラジオ番組、ミュージック、携帯着信音、バーチャルリアリティシミュレーション、パソコンゲーム、及びフォントなども含めている。選択的に、感知器は他の五感も含んで、例えば触覚、味覚、動作、嗅覚、擬似、温度、及び方向。
【０００４】
エンドユーザの製品のカスタマイズには不便且つ問題を多くもたらす要因は、まず、エンドユーザに与えられた選択肢は既存のコンテンツ販売チャネルに限られている。コンテンツの入手方法は店舗からシュリンクラップされた箱入り製品の光学保存ディスク（例えばCD, DVD or HD-DVD）を買うのと、ネットワークからダウンロードのどっちの一方から選ぶしかない。そのためにコンテンツの選択肢は、例えば目録の小売業者の利用可能な限られた実体的な陳列棚のスペース、関連する費用、在庫収益性などによって抑制されたり、ダウンロードを選択する場合はコンテンツ集合の大きさとネットワーク接続の帯域幅容量によって非常に制限されたりする。
【０００５】
もう一つはそのようなカスタマイズは非常に時間をかかること。カスタマイズをするために、エンドユーザはコンピュータプログラミングなどのコンテンツを集めてコンピュータにインストールすべきである。それぞれのインストールプログラミングは大概他のインストールコンテンツに付属か独立する。こうしてユーザはコンピュータの機能が望むべき状態になるまで、コンテンツを習得したりインストールしたりしてからはまた別のコンテンツを習得してインストールする作業を繰返し続ける。もし出来立ての新しいコンピュータだったら、最も基本のコンテンツとプログラミングをインストールするだけで数日の単調作業を繰返さなければならない。特定目的に使うコンピュータでさえ、例えばMP3や他のオーディオプレーヤー、デジタル個人ビデオレコーダー、携帯電話、携帯情報端末（PDA）、デジタル時計、もしくはその他の製品であっても、ユーザは自分専用の機能性にカスタマイズする前に、それらのプログラミングか他の利用可能資産セットを習得しなくてはならない。
【０００６】
更にもう一つの問題は、エンドユーザによるカスタマイズはコンピュータ全体の作動を不穏にさせかねない。アプリケーション失敗の件では四分の一以上は設定と配置に問題が起こる。コンピュータプログラムの設定は多くの場合には多数の必要資産（requisite assets）を求めている、例えば他のプログラムと共有するフォントとか必須プログラム要素（required program elements）とか。そういう必須プログラム要素にはコードライブラリ（例えばソフトウェアルーチンのセット）が含まれている。作動システムであるマイクロソフトのウィンドウズ（登録商標）家族ではこのようなライブラリはダイナミックリンクライブラリ若しくは「DLLs」と呼ばれている。DLLsは定期的にそれらのメーカーから色んなバージョンでリリースされ、これらのバージョンたちはどのようで作動するのか、全く見当がつかない。このように、新しいプログラムをインストールした際に新しいDLLが前のバージョンのDLLを上書きすると、このファイルを共有している前にインストールした他のプログラムの作動環境は危険に曝す。
【０００７】
コンピュータの既存資源に注意を払わないと、先にインストールしたプログラムの作動は新しいプログラムのインストールにより間歇に不安定になったり誤作動が起こしたり、診断不能及び修復できないのような事態に至る。この風変りで人を悩ませる現象はよくコンピュータで見られるので「DLL地獄」とも呼ばわれる。
【０００８】
結論的に、エンドユーザによるコンピュータのカスタマイズは複雑で混乱させたり多くを要求したりする。最近の作動システム（作動システム）は数少なさの特別な訓練や認証を受けた個体を除き、一般人にとって全てのテク技術の中で最も複雑なものになった。コンピュータプログラムをインストールするためにはエンドユーザに様々な設定や選択や色んな情報を要求する。その中に利用できる構成要素から希望の要素だけ選んで、コンピュータの中に適当な位置を指定する情報も含めて、これによりインストールを進行させる。現在のインストールシステムは殆どユーザに選択を引導する案内が付いているにも拘らず、そういう指示は恐らく初心者にとっては曖昧で両義な言葉で、エラーコードの解読も分かり難い。
【０００９】
こういう一般化されたアプローチはユーザの本当の要望した製品を与えてくれない。現在のコンピュータメーカーはこれを支援しない上に、製品の実際作動した状況を示す最低限のカスタマイズもしてくれない。現にいくつかのサービスは顧客に提供しているとはいえ、コンピュータの量販やカスタマイズを支援するほどの量ではないから、これは購入者の助けのない負担となる。
【００１０】
BTOの環境の紹介。
【００１１】
幾らかの特許にも言及したように、コンピュータにあるソフトウェアのカスタマイズを改良する方法にはbuild-to-orderプロセスという仕方がある。こういうプロセスは「付加性インストール（additive installation）」と呼ばれていて、ソフトウェアパッケージを連続的にディスクドライブに読み取りしたりインストールしたりするものである。例えば米国特許第6,080,207号公報に開示したコンピュータ化の方法は購入した顧客が決めた要望のソフトウェア構成に従って、コンピュータシステムのハードディスクにカスタマイズのソフトウェア構成を作ること。このシステムと方法はイメージ建築器（image builder）に希望のソフトウェア構成のディスクイメージを作ってもらってから記憶装置に移転する。記憶装置はイメージサーバーに接続して、コンピュータの組立てや製造工程が進行する間にディスクイメージ（例えば基本ソフトウェアの構成）をハードドライブに転送する。コンピュータシステムは一旦組み立てられたら、イメージサーバーの放送はワイヤーかワイヤーレスの接続を経て、追加データ（例えば希望ソフトウェアと基本ソフトウェアの構成の相異に対応する変更）をコンピュータシステムに送ることを放送する。
【００１２】
もう一つの例として、米国特許第6,385,766号公報に開示したのは作動システム（作動システム）を読み取りすることを含めて、コンピュータシステムのソフトウェア自動化インストール方法である。この作動システムは作動システムがセットアップしてる間に、フックが指示したウィンドズ（登録商標）によるソフトウェアパッケージのインストールを初期化する。少なくとも指示したソフトウェアパッケージかウィンドズ（登録商標）対応ソフトウェアパッケージの一つがコンピュータにインストールする。それからオペレーティングのセットアップを執行する。最後に、指示したソフトウェアパッケージのウィンドズ（登録商標）対応インストールはフック(対応するソフトウェアパッケージインストーラに従って行われるウィンドズ（登録商標）対応のインストール)に対応して開始される。
【００１３】
インストール及びアンインストールプロセスの紹介。
【００１４】
他の特許にもインストールまたはアンインストールのソフトウェアについて開示した。例えば米国特許第5,768,566号公報に開示したのは自身をアンインストール能力を持つ一種のコンピュータプログラム製品である。その能力はコンピュータプログラム製品のインストレーションに影響されるような最小集合のファイルにしか支援しない。この能力もダイナミック的に異なるインストレーションに適しているので、使用希望の特定インストレーションに必要なバックアップコピーだけを圧縮するのは可能。この能力は幾らかのインストレーションファイルにも影響を及び、バックアップが必要のファイルを定義する。プログラムがアンインストールされた時、これらのバックアップファイルは元の形式に戻り、いつでもインストールした時の状態に戻れるように保存される。
【００１５】
米国特許第6,006,035公報に開示したのは一種の標準規格対応インストレーションエンジンを使うカスタムコンピュータソフトウェア（付加性）インストレーション方法である。カスタムインストレーションパラメーターをシステム管理者によって簡素化してスクリプト言語に訳される。その依頼人（エンドユーザ）のコンピュータには既にインストレーションエンジンによって、標準対応命令ファイル（rule-based instruction file）に保存されたコマンドでソフトウェアのインストールを執行した。ソフトウェアインストレーションが標準対応インストレーションエンジンに制御させられるために、この標準対応命令ファイル（スクリプト）はアプリケーションソフトウェアの提供者によって構成されるか、或いはシステム管理者がカスタムインストレーションパラメーターに従って作る。このスクリプトは下記の連続インストレーションイベントを制御している：（1）ファイルをソフトウェアパッケージから依頼人のコンピュータにコピーされたファイルコピーイベント；又は（2）依頼人のコンピュータの作動システムパラメーターをソフトウェアパッケージの執行を認めるように修正する作動システム修正イベント。
【００１６】
米国特許第6,026,439号公報に開示したのはメモリーからデータを解読器に転送して更に処理する方法である。例えば、解読器を通してビデオファイルをディスプレイ装置に示す。データ転送時の処理の転送効率を最善化するために、身分の認証又はファイル転送の順番列とフローを制御する時にはユーザかユーザシステムがアクセスできる複数の制御機能を提供している。
【００１７】
米国特許第6,442,754号公報に開示したのは既に作動システムが存在しているコンピュータにプログラムをインストールする方法である。このプログラムはプログラムをインストールする前に従属物件（dependency objects）を処理し、作動システムの命令を従属物件はコンピュータにインストールされたのを確認できるように定義する。その時このプログラムは作動システムの命令を執行して、どの従属物件はインストール不要と定義される指示を出す。
【００１８】
米国特許第6,944,867号公報に開示したのはにプレロードされたイメージによってロードした、作動システムや幾らかのアプリケーションプログラムや装置ドライバーインストレーションルーチンを含むコンピュータシステムのハードディスクドライバー。これら全部コンピュータシステムのハードウェア構成に依存しない。隠れハードディスクドライバーにはハードウェア構成に依存する幾らかの装置ドライバーがロードされている。プレロードしたイメージが最初に起動する時、装置ドライバーインストレーションルーチンが装置ドライバーをインストールした。
【００１９】
米国特許出願第10/264,670号明細書に開示したのはソフトウェアアップデートによってソフトウェア製品を色んな依頼人のコンピュータにアップデートする方法。このシステムに必要なのはサービスプロバイダーのコンピュータ、幾らかの依頼人のコンピュータ又はソフトウェア販売元のコンピュータを含むネットワーク。サービスプロバイダーのコンピュータはドライバーソフトウェアの販売元のソフトウェアやどのソフトウェア製品のアップデートが利用可能を確認し、ネットに於ける色んなソフトウェア販売元のコンピュータシステムの位置、依頼人のコンピュータに保存されたソフトウェアを確認するための情報、そしてどの製品のソフトウェアアップデートが利用可能などの更新情報をアップデートのデータベースに保存する。依頼人のコンピュータはサービスプロバイダーのコンピュータに接続し、データベースの部分の最新バージョンを得る。依頼人のコンピュータはデータベースに従って製品の利用可能なアップデートを確認する。ユーザによって選択されたアップデートは、ソフトウェア販売元のコンピュータからダウンロードされて、依頼人のコンピュータにインストールされる。ソフトウェアアップデートのための支払いはサービスプロバイダーのコンピュータによって仲裁する。ユーザの認証は登録したユーザにだけはソフトウェアアップデートを提供する。ソフトウェアアップデートの認証はソフトウェアアップデートのウィルスフリー並びに健康具合を確認する。後でアップデートがユーザに削除されるのを許容するために、依頼人のコンピュータの変更はインストールを行い間に監視されて記録を保存される。
【特許文献１】米国特許第６，０８０，２０７号公報
【特許文献２】米国特許第６，３８５，７６６号公報
【特許文献３】米国特許第５，７６８，５６６号公報
【特許文献４】米国特許第６，００６，０３５号公報
【特許文献５】米国特許第６，０２６，４３９号公報
【特許文献６】米国特許第６，９４４，８６７号公報
【特許文献７】米国特許出願第１０／２６４，６７０号明細書
【発明の開示】
【発明が解決しようとする課題】
【００２０】
上記の従来技術は生産者と使用者に適したプラットフォームを提供していないので、カスタマイズデジタルの量産化に失敗した。これらの技術はユーザに獲得可能なソフトウェア資産の中から希望の物だけ選んで買うべきコンピュータにインストールするという目的に到達できない。
【００２１】
本発明の目的は、すなわち、一種の快速、基準化、及び自動分配できる方法によってカスタマイズのデジタルソフトウェ資産又は他の内容を情報処理装置に入られて、直接に希望通りに使用可能な初期化不要のコンピュータを使用者に提供する。
【課題を解決するための手段】
【００２２】
本発明は完成した装置にソフト資産をサイドローディングする製造方法、コンピュータプログラム製品又は役立つ器具を提供する。サイドローディング（インターネットからソフトウェアをダウンロードし、或いはCDROMからソフト資産をアップロードするような過程とは違う）は一種の完全にカスタマイズかつ使用者定義のソフト資産しかインストールしない記憶媒体を快速的に生産する方法に関する。記憶媒体を繋いでインストールされたソフト資産（例えばソフトウェア）を情報処理装置（例えばハードウェア）にロードし、装置を作業できるようにする（例えばハードウェアとソフトウェアとを共同機能上に結合するとほぼ使用可能である）。サイドローディングは完全に最善化して、ユーザカスタマイズのインストレーションを提供し、付加のインストールにコスト及び時間をかかる必要はない。様々な実施例において、サイドローディングプロセスの異なる部分は記憶媒体が装置に接続する前に、或いは後に完成される。
【００２３】
減算インストレーションによればサイドローディングは実現可能である。減算インストレーションはユーザに選べるソフト資産のスーパーセット（最大化複数体）を提供する。ユーザは保存したい資産を選択し、選択されないものは削除される。「選別」はここでは記憶媒体から削除するプロセスの意味を指し、前にインストールしたソフト資産の中に選択されないもので成した広大なアレーである（若しくは削除に選ばれた資産の部分を削除すること）。
【００２４】
サイドローディングは「減算インストレーション」によって実現できる。減算インストレーションはユーザにソフト資産のスーパー巨大集合（最大複雑性集合）をユーザに示す。ユーザは保存するか削除するかの資産を選択できる。ここの「選別」はプレロードしたソフト資産が成した広大なアレーを持つ記憶媒体から保持しないに選択されたものを削除する過程を指す。
【００２５】
選別は一種の選別資産に関わり、ディレクトリ・レジストリ・又は他のデジタル保存エリアから、ユーザがソフト資産から選択した購入したい部分集合によってデータの削除又はプログラムのアンインストールする資産である。ユーザは希望するソフト資産の金額を支払えばいい、他のソフト資産は全部選別過程によって処分される。一般のユーザにはスーパー集合に含まれたソフト資産を全部購入する余裕がないので、広がる利用可能な資産の中から買いたい部分だけを選択できる機能があればユーザには有利である。
【００２６】
本発明は一種のユーザカスタマイズオーダーを受信及びインストールする情報処理装置を提供する。この装置にはユーザが選択したコンピュータプログラムと他のソフト資産があり、任意的にユーザカスタマイズオーダーを準拠として選択可能な利用可能資産を入れた記憶媒体から選択されなかった項目を削除とする。選択情報は任意的に中央サーバーに転送してから選別る。総計金額は選択情報に従ってユーザのアカウントにチャージする。
【００２７】
一部の実施例の中では、サイドローディングは完全なるカスタマイズ並びに操作用の処理装置（或いは情報処理器具という）を提供する。この装置はユーザカスタマイズ記憶媒体を情報処理装置に有効的に接続させる。この情報処理装置は例えばパソコン、サーバー、MP3プレイヤー、携帯、デジタルビデオレコーダー、携帯情報端末、ゲームコンソール、乗り物（例えば自動車の操作制御には一個か数個の処理機があり、GPSガイダンス、プレロードした娯楽もの、及び固定規格の維持診断書類にデータベースを提供する）、冷蔵庫、工業ツール、現金レジスタ、武器或いはその他の何れかである。
【００２８】
一部の実施例の中では、カスタマイズ記憶媒体はソフト資産の減算インストレーションによって作り上げられる。この記憶媒体の中には購入又は流通可能なソフト資産（即ち広汎集合（panoplex）と呼ばれる利用可能な内容コレクション）がプレロードされるし、継続使用（ユーザは他の支援かインプットをしなくても使用可能もの）と非選択された(次に他のデータに使用できるスペースを確保する)のソフト資産を選別する。広汎集合は指示された量のコンテンツを使用できるように設計された容器であるので、少なくともディスペンサー（一種の自動分配機器で人為操作によって内部に保存されたものを提供か配達とする）の一部として機能を果たせる。
【００２９】
一部の実施例の中では、本発明は一種の広汎集合をもつ記憶媒体を提供する。広汎集合はカスタマイズ可能な部分集合が選択される可能なソフト資産のスーパーセットを提供する。選択的にその初期状態の記憶媒体は中間的製造品であると考えられる。
本発明に従って資産のスーパーセットを記憶媒体にコピーするために部分的に処理されたが、保有のために選択されなかったそれらの資産を取り除いて、いつでも使用できるように保存されるために更なる処理が必要。もちろんこの組み合わせ自身を最終製品として見なすこともできる。
【００３０】
一部の実施例の中では、減算インストールを使用することでサイドローディングするのは以前に利用可能な内容のスーパーセット(広汎集合)を模写してあった記憶媒体から分配されたユーザによって選択された内容を提供する。利用可能な内容の非選択された部分は、その後選択された利用可能な内容と分けられて選別によって取り除き、そして/或いは記憶媒体にインストールされる。
事実上選択された内容は非選択された内容の取り外しで「インストールされる」となり、この選別された記憶媒体は選択されたソフト資産を一つずつインストールするものと同等であって、互換性そして/或いはインストレーションの順番を最善化する
【００３１】
選択的に、他の選択された内容は選別した記憶媒体に徐々にインストールされる。この選別された記憶媒体（例えば光学ディスク或いはディスクドライブ（ODD）、磁気ディスクドライブ、或いは固体メモリ（例えばFLASHかホログラフィックメモリ））は装置（例えばコンピュータ、ミュージックプレイヤー、ビデオプレイヤー、携帯或いは音楽を再生できる多機能携帯）の中に併合され、適当にそれらの内容を操作と処理して、装置のエンドユーザが選択した内容を利用可能な器具を作る。このようにカスタマイズ内容を最適の装置に連結して使いやすい情報処理器具を作成する。
【００３２】
一部の実施例の中では、チャージメカニズムは、選択データに基づいた保有された内容(例えば保有された資産への両替)によってユーザに勘定を請求するか、または借り方に記入とする。選択的に、選別機能は特定のユーザに選択した資産を与える権限を確認とするが、この機能は特定の許可コード（或いは類似のもの）を要求して選択された資産をアンロックにする。選択的に、特定の許可コードが提供されない場合、確実に資産のスーパーセットのユーザが作成した選択リストから除かれる。この機能は軍隊か警察署には適している。仮に公務員が様々な武器及び各種の起動プログラムを提供されていても、この機能によって武器は選択される（保管資産の権限交換とか）前に上級の認可に従って武器各自の特定の許可か権限を貰えない場合誰にも使えないようにする。
【００３３】
こうして選択資産（ipselecta）とは個別のユーザに定義された内容の概念的な束。選択的に、第一エンドユーザの記憶媒体は複数の異なる記憶媒体から第一セットの選択データと一致するように選択されたり、それらの保存媒体の中には異なる或いはより多くの広汎集合が保存されている。選択的に、個別のユーザに示された選択リストは販売元かプロバイダー（例えば広汎集合が利用可能資産を除く特売を行っている小売支店、或いは各部門への管理承認を制限する法人)）若しくは購買者の基準に従うものなのかもしれない。
【００３４】
一部の実施例では、第二の記憶媒体は第二の顧客が選んだ選択データの第二セットによって選択された。そして第二の記憶媒体は、2番目の顧客の装置のためにまた異なった選択資産を選別する。本発明はダイナミックかつ柔軟的にソフトウェアそして/或いはマルチメディアをこういうユーザが選んだ概念的な束或いはスーツによってもっと幅広いに分配させられる。この方は販売元が推薦する有限な選択しか持ってない包装したパックよりも顧客には有益である。
【００３５】
一部の実施例では、広汎集合の生産には作動システムとインストレーション記憶媒体をもつコンピュータシステムがあり、その作動システムそして/或いは他のソフトウェアを使って複数のソフト資産をインストレーション記憶媒体の中に取り付けて初期状態の主要広汎集合を創る。この一回目(one-time)の主要広汎集合の作成はメーカーの専門家又は供給者にインストールのための最適の注文と内部記憶装置構成を選択させる。彼らはまたこの厖大な希望可能なプログラムそして/或いは他のソフト資産の相互依存性及び他のインストレーション問題について定義、調整、並びに修理とする。
【００３６】
広汎集合は作動システム及びファイルシステム、装置タイプとメディアファイルタイプ、記憶媒体とコピーする方法（例えば固定か交換可能なハードディスクドライブ、FLASH、そして/或いは光学）によって様々になる。装置ごとにインストールされた広汎集合の数は、ステップの配列と演出、ステップを引き受ける位置とパーティー、方法の改善した度合い、広汎集合の様々な組み合わせ、ダミーインストール（既にコピーされたソフトウェアそして/或いはダウンロードしたソフトウェアそして/或いはアップデートの活性化を促進させるソフトウェアのインストールする）、承諾照合（それぞれのソフト資産は様々な組み合わせにおいての相互運用性と機能性を確保するように標準化させる）、ソフト資産のインストレーションは製造した新しい装置の一部かどうかを確認し（例えば新しいパソコン、携帯電話、音楽プレイヤー）、更新装置の製造（例えば機能更新のために現存のパソコン、携帯電話、或いは音楽プレイヤーに取り付けられるディスクドライブ或いはフラッシュメモリ）、又は小売店に完成できる更新（例えば削除、フォーマット、及び記憶媒体を現存のパソコンに再ロードする）である。
【００３７】
この広汎集合は全部一緒に保存媒体にコピーされた後で特定のエンドユーザによって選別するとユーザのカスタマイズソフト資産の部分集合の記憶媒体になる。装置（例えばコンピュータハードウェア）の各購入者はソフト資産（例えばハードウェアを有能させるソフトウェア）の部分集合を任意に選択して購入そして/或いは他の方法で保存できる。一部の実施例では、複数の記憶媒体の中からできるだけユーザの選択を集めた広汎集合を持つものを選択とする。この広汎集合はソフト資産の顧客選択セットに基いて選別され、不要資産（relicta）は消されるかアンインストールされる。選択資産（ipselecta）は随時に使用できる新しい装置としてユーザに届ける。この記憶媒体を使って造った装置はエンドユーザがインストレーションのオーダーをランダム的に選んで付加的に対応するソフト資産をインストールするよりも頼もしい。そしてメーカーかエンドユーザが個別に選択した資産の部分集合の最善リストをインストールするよりも製造を早める。
【００３８】
一部の実施例では主要記憶媒体には二つ或いはそれ以上の数の広汎集合が保存されている。第一選択の広汎集合は主要記憶媒体から第一複数のエンドユーザ記憶媒体にコピーされて、第二選択の広汎集合第二の複数のエンドユーザ記憶媒体にコピーされる。一部の実施例では、選択された広汎集合はディスクか他の記憶媒体の製造とテスト工程の最後操作には選択された複数のエンドユーザ記憶媒体に記憶される。一般的にゼロ又は他の空白データパターン（例えば典型的に非プログラム或いは他のソフト資産）は最後にディスクの全体のデータ領域に書き込まされるはず、そしてこれらのデータは読み込まれたり他の書き込みしようとしているデータと比べられたりする。一部の実施例では、広汎集合の読み取りと書き込みはこの最終操作を取って代わる或いは後に続くとする。
【００３９】
一部の実施例では、エンドユーザの記憶媒体に選別が行われる前に、一つ以上のデータ暗号化、隔離、或いは他の保護方法によって広汎集合にあるソフト資産へのアクセスを隠して阻止する。一部の実施例では、「空白」のディレクトリ構造はエンドユーザ記憶媒体のディレクトリのために作動システムでデフォルト使用個所に書かれている。その作動システムでそのままで使用されるなら記憶媒体が作動システムとユーザにとって実質的に空白に見えるそのようなもの。一部の実施例では、選別プログラムがオペレーティングの使うデフォルト位置にある広汎集合のディレクトリデータにアクセスし、選別し、書き込みできるようにさせるため、実際広汎集合に使われるディレクトリデータはどこかのエンドユーザ記憶媒体、または、外部記憶装置のほかの場所に書かれている。
【００４０】
一部の実施例では、選択プログラムはソフト資産の選択を選択資産に保有されるために、対話型のユーザインタフェースをユーザを提示する。一部の実施例では、利益/価格の最適化/最大化プログラムは選択プログラムに連結し、選択した全商品・季節的なそして/或いは一時的な情報・宣伝・セールス、若しくは会社の企画した目標と現有成果の測定基準関連の購買・全体の価格そして/或いは収益性によって選択された特定の顧客、他の資産、製品とサービスの相対値の情報に基いて特定ソフトに異なる価格を能率的に提供する。
【００４１】
減算インストレーション、つまり「選択して移動する」がアプローチする減算インストールのデジタル・コンテンツインストールは従来の付加的なアプローチと遥に違うパラダイム・シフト方法である(つまり望まれる内容が全部保存されるまで徐々に増加すること)。本発明の選別技術と言えば古典彫刻家のアプローチと似ている。ミケランジェロが言ったとおりに、「私は大理石の中に天使がいるのを見たから、彼を解放するまでは彫刻し続ける」。本発明にとっての広汎集合とは大理石の原石みたいなものである(求められていない大理石チップを取り除くことによって、どんな必要なフォームにも彫ることができる)。必要なソフト資産だけ持っている記憶媒体を得るため過程は、天使の像を彫り出す為に要らない大理石の部分を取除く過程と似ている。
【発明を実施するための最良の形態】
【００４２】
本発明の他の特徴及び利益は、以下の図面及び詳細な説明を検討することにより当業者には明らかとなろう。本明細書においてかかる追加の特徴及び利益の全てが本発明の範囲内に包含されることが意図されている。
【００４３】
また、ここで図面に示す本発明を詳細に説明する。本発明をこれら図面に関連して説明するが、そこに開示されている実施形態に本発明を限定する意図は全く無い。反対に、特許請求の範囲により画定される本発明の思想及び範囲内に包含される全ての代替態様、変更態様、及び等価物を包含することが意図されている。
【００４４】
一般に、図に載っている参照番号の主なケタはその構成要素が最初に導入される図の番号に対応している、同じ参照番号が複数の図に載っている同じ構成要素について言及するのに使用されるそのようなもの。一般に、参照番号は追加文字が構成要素かプロセスに関する実施例の変化を表す。信号と接続は同じ参照番号かラベルによって言及され、実際の意味は記述の文脈における使用で明確になる。
【００４５】
減算インストレーションについて。
【００４６】
パソコン及びほかの産業関連の通常の装置（例えば自動車、ミニタワーPC、又はビデオカセットレコーダー（VCR））は最大特徴モデルに従ってデザインを施されるし、ハードウェア (チップ、スイッチ、DVDドライブ、ディスケットドライブ、フォグランプ、ラジオ、読取りヘッド、そして/または他の部品) に定着されると、そのデザインで最大の利用可能な機能性を提供する。低コストモデルはトップモデル（穴と電線を提供し）から派生したもので、高価格のモデルにしか作動しない機能に係るボタン或いはチップをインストールされていない。これらのローエンドモデル（lower-end models）穴には代替の前面板かプラグが提供される。
【００４７】
対照的に、本発明の減算インストールの優勢の一つはいくつかの装置に執行できる選択可能なソフト資産を実際にインストールした。つまりフレキシブルなベース（一部の実施例ではintransientシグナルキャリアを指す）に選択できるソフト資産（広汎集合）を置くことによってあらゆる装置に最大の可能なソフトウェアの機能性をインストールする。この広汎集合は見積もったハードウェアベースにおいて機能のデザイン・カスタマイズ・デバッグを行われるが、ソフト資産の広汎集合は別々の顧客の希望する個々の価格と機能性ポイントを達成するために簡素化(depopulated)になる (粒状の任意のすばらしいレベルにおいて)。記憶媒体のデータを速く消去する能力によって簡素化は順調に実行できる。
【００４８】
データの書き込みと付加性インストレーションの工程及び管理の複雑性を考えると、特定ソフト資産を含むハードウェア/ソフトウェア或いは装置/デジタル資産製品（例えば数多いの利用可能な選択肢に関するカスタマイゼーション）の大範囲で深層化カスタマイゼーションには実質的に従来の付加性インストレーション方法だけでは持ちこたえられない。例えば数種のソフトウェアパッケージの間に交わす相互作用はユーザに同じ共有ファイルの異なるファイルへの選択を要求する。しかし選択されたソフトウェアの組合によってソフトウェアに断続的な故障を引起しかねない。
【００４９】
更にいうと、先に作ったカスタマイズの選択は続きのカスタマイズインストレーションには通用しないから、付加性インストレーションは深層化カスタマイゼーションの実現において、殆どない或いは全くないの経済規模しか提供できない。
【００５０】
有利になる点。
【００５１】
対照的に、減算インストレーションを使う本発明の一部の実施例では、事前に記憶媒体に記憶された利用可能なスーパー集合から選択されなかった内容を移動したカスタマイズされた記憶媒体があり、その内容の移動も効率的であって、速く、ほとんど人間の交流を必要としないで、特にそれ自体をオートメーションに任せることができる。減算インストレーションを使うと、付加性インストレーションの複雑性を全て簡単のワンステップに返って、メーカーの専門家が製造する過程において作った利用可能な内容のローカルユニバースに任せて例えばここで言及した広汎集合。広汎集合（例えば複製）はマルチエンドユーザ記憶媒体に例示され、異なった外部からの内容を容易に定義でき（例えば、一部の実施例では、顧客が作った選択の特定セットの論理的なNANDから）、要らない部分を自動的に切り取って内容を簡単で、自動的で、スケーラブルのカスタマイズしたものに変える。
【００５２】
ここに使う「切り取る」とは、不要資産を利用できずにして記憶媒体がこれらのものを記憶するために使うスペースを解除する。一部の実施例では、切り取るはあらゆるデータを示すディレクトリーとほかのエントリーを消去する方法を含む。データを保持する位置のいくつかかすべてを消して、復号化キーを消すのは、データを解読する必要がありました、ロケーションにある全てのデータの消去とデータの暗号化のキーを消去とし、記憶媒体をデフラグメントして他のデータを保存せる利用可能な状態に保つなどの方法も含まれている。
【００５３】
ここに使う「消去」と「アンインストール」とは、正常な作動システム調停データとプログラムの利用可能性の間に起こる移行を処理することを意味し、例えば利用可能性の消滅及びその記憶スペースに係ること。ここに使う「隠す」と「曖昧」とは、選択的に入手できないデータそして/またはプログラムを保存するストレージを作成するためのテクニック。
【００５４】
ここに使用される消去はデータの全てのロケーションにゼロ若しくは他のデータパターンを書き込み、これによって前のデータを使用不能にして取って代わりそして/又は上書きする。消去操作（利用可能タイプの電気消去式再書き込み可能な読み出し専用メモリチップとか）を実行して一つ以上のデータを一回に消去し、状態標識（少なくとも一つのディレクトリーエントリーのビットを設定するか取除き、そして/又は一つ以上のエントリー、若しくはファイル・アローケーション・テーブルエントリーかクラスターポインターを「空白」状態にリセットして、名前及び/又はポインター情報及び/又は指示を移動し、ディレクトリーエントリーが新しいデータに使われるようにする）を設定してデータの記憶ロケーションはデータがデータか指示として読み取れないように作動システムソフトウェアによって翻訳して実施し、若しくは他の適当な方法でも結構。選択的に、「消去」とは消去希望（例えば不要にするソフト資産）と見なされて記憶媒体に保存される特定のデータをアクセスするために作動システムに必要とするディレクトリー情報を含むディレクトリーを作ること。しかしディレクトリーは記憶媒体にある継続使用希望（例えば選択資産に選ばれた選択資産）のソフト資産をアクセスするために作動システムに必要とするディレクトリー情報を含んでいる。
【００５５】
ここに使用される「アンインストール」とはプログラムをインストールしている状態から、インストールされない状態への変化を指す。選択的に、アンインストール（登録情報を移動する行為及びディレクトリーエントリーを移動するかほかのデータを消去するかの行為、例えばディレクトリー、ライブラリーファイル、若しくは他のプログラムを正確的に執行するために作動システムに使われる情報）は消去（一般的にこれはディレクトリー情報及び/或いはディレクトリーにある状態標識をセット/クリアするが登録情報を変えない）とは異なるものである。選択として、アンインストールはプログラムが元々インストールされる前に存在した対応するファイルでアンインストールされるプログラムに関連している一つ以上のライブラリファイルを置き換える（例えば早期インストールプログラムによるファイルインストール）。
【００５６】
ここに使用される「新しい装置」とはまだ最初のエンドユーザか購入者の希望通りに使用できないものを指す。しかしながら、新しい装置はメーカーか分配途中で新しい装置経由した他の組立て、テスト、バーンイン、データのローディングなどの販売経路によって使用されるかもしれない。選択的に、新しい装置は「空白」状態に再フォーマットされた記憶装置を含むこともありうる。
【００５７】
ここに使用される情報処理器具とは記憶された情報を処理するあらゆるタイプのデジタル、アナログ、またはハイブリッド装置を指し、汎用コンピュータだけでなく、専用コンピュータ、埋め込み式コンピュータ、企業コンピュータ、サーバ、携帯電話、ワイヤレスのメールプロセッサ（例えばブラックベリー装置）、電話スイッチ、電子カレンダー装置、GPS、旅行計画装置指導、器具（冷蔵庫、テレビ、洗濯機、トースター、若しくはそれらしき情報処理特徴を持つもの）、機械、乗り物などをも含める。選択的に、情報処理装置器具は記憶媒体の一種で、ほかの電子製品への繋がりによって本来の機能意図を発揮させるようにデザインされたものである。
【００５８】
ここに使用される用語（term）プロセッサ、マイクロプロセッサ、コントローラ、コンピュータ、およびその類のものとは装置のデータか制御機能を処理する回路である。各用語は装置に一つ以上の論理回路か指示を処理して一つ以上の機能を実行できるように構成させる。様々な実施例では、これらの用語はきつくか緩く結合したマルチプロセッサを含み、例えばそれぞれ異なった部分の機能を実行するネットワークプロセッサ。形容詞を変更することによって明確に狭くされない場合、これらの用語は最も広い意味で解釈されることになっている(例えば、「電子プロセッサ」は電子原則に基いて作動するプロセッサであるが、「プロセッサ」はそのように制限されなく、1つかそれ以上の電気、光学、磁気、音、量子回転、及び/或いは他の構成要素を含むこともある)。ここに説明された一部の実施例のプロセッサは、1つかそれ以上の電気、光学、磁気、音、量子回転、及び/或いは他の構成要素を含む。
【００５９】
本発明は事実上、ユーザによって選択された内容が記憶媒体に利用可能な内容(すなわち、ずっと多くの資産、かつて購買のために典型的な購入者によって選択される)のインストールされたスーパーセットを記憶媒体にコピーして、いなくなるために利用可能な内容の非選択された部分を選別することによって「インストールされる」装置とメソッドに選択された内容を供給する。サイドローディング内容へのこの減算インストールは、効率的でそれ自体をオートメーションに任せる。そのようなサイドローディングを使用することによって、付加的なインストールのすべての複雑さが、一度だけ実行されて、その結果、容易に異質な内容を取り除く(手動か自動的に)ことができる利用可能な内容の最適化されたユニバースを作成する必要がある、内容のカスタマイズされた選択が便利に広げられるのを許容して。内容をサイドローディングすると、カスタマイズされて随時に使用できる装置となる。
【００６０】
減算インストールで直観に反するように見えることは、アプローチ（即ち初めは製造の時に外部からの内容を書き込むが、後でそれを取り除くこと）を選んたり、取り除いたりして、従来のアプローチで達成可能でない本当の重要な利益を生産する。そのような内容のサイドローディングを利用して、エンドユーザはすぐに便利でユーザのユニークな好みに合わせて使用できるカスタムデザインのオーダを建てて(BTO)、安く大量生産された装置を受け取ることができる。その上、記憶媒体で利用可能な内容(ここに広汎集合と呼ばれる)のスーパーセットから利用可能な選択は、一般の小売店で見つけられた選択よりずっと豊富だけど、実際どんなに目録の追加をしても付加料金を追加しない。例えば、典型的なコンピュータの小売店には何百もののソフトウェアの目録が蓄えているかもしれないが、販売希少なソフトウェアまで入荷するほど大きいな在庫に必要な陳列棚のスペースに金を注ぐ余裕は小売店にはない。しかし、一般的に利用可能な300GBのディスクドライブではプレロードされた広汎集合に幾千のタイトルは保存可能で、そしてテラバイトドライブももうすぐ登場する。
【００６１】
ここに使用される「ディスクドライブ」はデータを保存する1個以上の回転するディスクと1個以上のディスクにデータを読んで、データを書く1個以上の振動子がある模範的記憶媒体(磁気ものと磁気の、または、光学の、または、光学の、または、同様に他の適当な技術を使用する)。ディスクドライブは包囲の中に機械的なフレームと包囲(これらは単一の単位として時々合併されている)、1個以上のサーキット板、そして/または、それに加えて表面マウントの部品をはんだ付けするフレキシブルな基板と、ディスクと振動子を含んでいる。回路基板コンポーネントは1台以上のプロセッサを通常含んでいる、バッファ、符号化器/デコーダ(CODECs)、(振動子とディスク振動子からの取り扱い信号)、上流のインタフェース(パーソナルコンピュータプロセッサや音楽プレーヤーコントローラのようにコンポーネントと外部のコンポーネントからの信号を扱って、井手や、SCSI、佐多や、シリアルSCSIや、同様のものなどのプロトコルを使用する)、および同様のものがディスクドライブの機能性を提供するのに使用した振動子インタフェース。ディスクドライブか記憶媒体としてのディスク、発明者が熟考するどちらか、および1つについて説明する芸術における技能の実施例が、その他の実施例がいかなる他の適当な記憶媒体も代入できる(ディスクドライブかディスクかディスクドライブで)と認めるソリッドステートメモリユニット(例えば、FLASHドライブ)やストレージディスク(すなわち、フロッピー（登録商標）ディスクや、CDRWや、DVDRWや、同様のものなどの移動可能な回転する媒体)自体などのように。(それは、「再-可動」にドライブに挿入されるように設計されている)。
【００６２】
簡単に言えば、ここにある記述はハードディスクを複製かコピーすることに係り、その内容によると、その技術の中の一つは複製かコピーした一部か全部のデータはハードディスクからのデータであることを確認する方法である。更に、データは、そのようなコピーの間、任意に、再配列される、そして/または、圧縮される(例えば、任意に作動システムでコピーされるしているファイルで、どれがソースディスクドライブの上にそのファイルがあったより別の場所に目的地ディスクドライブにファイルを置くかもしれないか、); データがまさに同じ広汎集合データで正確な写しディスクドライブを形成するために「ビットごとの」他の実施例では、コピーされている間、ソースディスクドライブの上にそれがあったとき、同じ位置で情報、ディレクトリ情報、および同様のものを目的地ディスクドライブに仕切る。ディスクドライブデータ反復子をこの技術でよく知られて、例えば、ICSから得るとか。(9350イートンAve、チャツワース、主要なPC メーカー(他の中大型企業と同じくらい規模の会社)の製造ラインでコンピュータをアップグレードさせて、ハードドライブを殺菌して、工業的高速でデータをコピーして、ハードドライブクローニングに使用されるマルチのハードドライブDuplicatorにするカリフォルニア91311)。 そのような設備は産業環境で複数のハードドライブ複製に使いやすさを提供する。それは、異なったモード、異なったサイズとモデル、抹消データのイメージハードドライブにデータをコピーできて、隠されたパーティション、形式ハードドライブをコピーして、シリアルATA ドライブをコピーするのにSATAアダプターを使用して、ディスクドライブクローニングのために異なった追加した任意のソフトウェアとハードウェア機能を持っている。
【００６３】
別の利益として、一般にディスクなどの記憶媒体から内容を消すのが同じ記憶媒体に同じ内容を書くよりかなり速いということ。したがって、利用可能な内容のスーパーセットの保存への転送が早めに実行されるなら、比較的すぐに比較的小さい追加データの転送で記憶媒体(主として満足していた状態で選択だけを保存するために)を選別するのによるカスタマイズを実行できる。
【００６４】
別の利益として記憶媒体に内容を書くのが頻繁に多くの人間の指導を必要とするのだが、記憶媒体からの内容を消すためにはそういう難点がない。したがって、消去は書いて、貸すより遥にオートメーションに任せることである。記憶媒体に内容を主題にして書くのは保存される記憶装置のときに導入されたファイルシステムの中で内容がことであるところに関して選択を通常必要とする。また、任意に、同時は、複数の抹消糸を発射しながら、様々な資産の消去を実行できる。
【００６５】
更に別の利益として、選別された内容がアンインストールされても、インストールしている時と変わらない操作の安定性を維持しつつ、良好の全体システムの高品質を達成する。広汎集合を記憶媒体に格納する際に、広汎集合の創造者はコンピュータ環境とインストールの注文を制御して、相互運用性のための内容の様々な要素を最適化する機会を持っている。一つの形式の最適化は広汎集合の他のソフト資産の適切な機能を妨げそうなソフト資産の広汎集合を除外すること。別の形式の最適化は並列している分離技術を使用することで組み立てられたプログラムを提供する。他の最適化の形式は、共用資源の適切なインストール、登録、および非登録を確実にするのを含んでいる。
【００６６】
もう一つの問題。
【００６７】
ソフトウェアインストールで未経験なユーザは、既にコンピュータにインストールされるそれらと完全に互換性がない新プログラムをインストールすることによって、システムの不安定性を導入できる。例えば、ユーザが同じDLLファイルの別のバージョンが以前に付記されたプログラムで既にインストールされたより古いDLLファイルを含んでいるプログラムをインストールしているなら、現在のプログラムを損なうリスクを冒して新しいDLLをインストールするか、或いは前にインストールしたプログラムの操作を損なうリスクを冒して新しいDLLと危険を上書きするか、何れもインストールを続く限りユーザが避けられない問題である。しかしながら、最初に広汎集合の様々なプログラムにおけるソフトウェア、インストール、組織、相互運用性、互換性などの検証や選択や設定を専門家に任せれば、そういう問題は解決すべきである。プログラムが互換性があって、どんなプログラムにもシステムから取り外される時に突発故障を引き起こさないように設定を施すと、そのソフトが取除かれても残っているソフトウェアを不安定させない。したがってサイドローディングはDLL地獄を終結させる。
【００６８】
より多くの利点。
【００６９】
本発明は提供した共同作用とは量産されたコンピュータ機器を最善のカスタマイズを行う能力を提供する。例えばBTO装置(装置に関連して使用される記憶媒体はその装置に、適切な内容を分配するための乗り物になる)を含んでいて。一度作成した最適化の広汎集合は何度も空白の記憶媒体に目録を作って複製させられる。彫刻の例で話せば、余分な石を取除く前に空白の「状態」にしかすぎない。色んな実施例では広汎集合は色んなパーティーによって設計される場合もあり、設備メーカーの利益に基き、産業スペシャリスト、DJ（ディスクジョッキー）、映画記者、シェフ、法人のIT部門、学校管理者、及びソフトウェア評論家なども参与可能。
【００７０】
この可能な架空目録は記憶媒体以外、部屋かコストの追加に必要ない。外部からのコンピュータの注文を受け取り次第、カスタムマイズされたソフトウェアがインストールされていたものに、広汎集合を複製した空白から選択しなかったものを取除いてカスタマイズメモリ（例えばディスク、フラッシュ、光学或いは他のもの）を得る。これによって装置に迅速かつ自動化のインストレーションを行える。
【００７１】
更に、ここに説明された分配システムによる効率性及び自動化の機能により、カスタマイズした記憶装置のスフト資産から選択されないソフト資産を取除く方法は様々になる様々な実施例によって顧客に分配される。様々な具体化では、カスタムディスクをインストールしようとするハードウェアから不要なソフト資産を移動する手続きはハードウェアの組立て過程の前か後、若しくは同時にでも行える。様々な実施例では、内容の移動はハードウェアの原始設備メーカー（OEM）とその契約者、付加価値が付いた再販業者、小売業者、企業IT(情報技術)組織、又は顧客自身によるのも可能である。選択肢として、選別は独立の記憶媒体によって行われる。選択肢として、選別は記憶媒体のインストールされた装置によって行われる。内容の移動は直接るのか遠距離るのか実施例によっても異なる。同様的に、広汎集合のコピーは内容移動する前に供給チェーンにおける様々なパーティーの何れかに製造される。
【００７２】
エネルギー節約の利益。
【００７３】
サイドローディングの広範囲の採用は大規模な省資源・省エネルギーを通して有意義で増える環境利点を提供する。「収縮包装」パッケージソフトの使用を抑えることによって、より少ない木がパッケージ、より少ない油の供給原料、およびポリカーボネートCD-RomとDVDディスクを作り出すために消費した処理エネルギーもかからない。関連製品の透明のポリスチレン容器か不透明のポリプロピレンDVDスタイルケースを作る必要もなくなり、そして、より少ない固形廃棄物が埋立て地に送られる。
【００７４】
更に多数のインストレーションにかかる大量な時間を免除すれば、幾千の高価なメガワット時間の電力が節約される。
【００７５】
サイドローディングが節約できるエネルギーは今の組立てた機械に転送する方法よりもっと多い、組立てた機械を全部起動しなく記憶媒体だけ起動すればいい。
量産カスタマイゼーション。
【００７６】
量産カスタマイゼーション。
従来のカスタム製品及び低コスト製品は相互排除するものだけど、減算インストレーションは大量カスタマイゼーション装置には絶佳のプラットホームとなる。これは一つの経済の区画を提供している、例えば個別顧客の特定需要と量産製品の生産性・手数料・価値・各種の選択肢を相互一致するようにさせる。
【００７７】
個別顧客の需要に合わせて減算インストレーションによって製品を作ることはメーカーにも幾つかの利点がある。メーカーは市場を開拓できる上に顧客関係を深くすることも出来る。それだけでなく、競争相手の薄利と大規模カスタマイズされたデジタル家電を区別を付けたり、生活必須品タイプのコンピュータ装置であったり、購買比較の困難さを高めて顧客の注意を変えて価格から利益までの高度収益を儲けたり、手数料チャージする時に経済規模の大きさを通して付加価値を提供したりする。この価格の柔軟性はより高度の、バランス的な販売・ネット収入・ユニット成長目標を達成できる。
【００７８】
安いという意味とはソフト資産の量産したカスタマイズ選択を分配することは個人コンピュータメーカーにとって時間的に利点があるということ。広範囲のサイドローディングは平均ユニットの価格を高めるし、そしてソフトウェア及びアップグレードを使用してハードウェアへの助成金を支給する。
【００７９】
記憶媒体という機能的な配達パッケージによってソフトウェアを最終使用者の装置に内容を分配するのは望まれる発明である。
【００８０】
実用的な利益に関する実施例。
【００８１】
本発明の利益を得る販売経路は顧客にとって、例えば直接なインターネット販売BTO、 OEMを含んでいる。 120GBのディスクドライブを持っているデスクトップコンピュータのためにパソコン販売元に注文して、その上にインストールされた広汎集合から資産を選ぶためにオプションを含める。コンピュータが提供されるとき、本発明は事前インストールされた操作可能なソフトウェア、ゲーム及び/或いは、音楽の広大な選択を提供する。選択肢として、販売元で単独(即ち、各購入者の注文に従って選別するための最終的な装置のハードウェアなしで)、コントローラがプラグされたディスクドライブを選別するのにハードウェアの組立てへの別々の流れ作業平行線を提供する。それが組み立てられたから、より要求の多い顧客のための選別ディスクドライブをパソコンに挿入する。選択肢として、選別はハードウェアテストとバーンインの周期の間に達成される。
選択肢として、特定のユーザからの様々なソフトセットの選択は複数の可能な事前組立の広汎集合から、どの広汎集合がユーザの選択に最もよく合っているかのを決定して分析して、その選択された広汎集合を持っているディスクドライブは、その特定のユーザに選別されて、随時に使用可能な装置として提供される。
【００８２】
選択肢として、様々な広汎集合を異なる顧客層に提供する(例えば、中小企業/ホームオフィス、趣味に熱中する人、ゲームプレーヤー、音楽愛好者、ドライクリーニング剤、技術者、建築家、及び同様のもの)。選択肢として、異なる顧客層に連結する異なる公式価格設定は、異なる期間、利用可能な競争相手との提供内容差異、国民経済及び/或いは異なる法人の内部の資金需要の総合的な状態によって決定する。 また、選択肢として、顧客の独自の改造はエンドユーザの名前、アドレス、時間帯、及び/或いは、会社と部の名前、同様のものを挿入するなどのように実行される(格納に適切な位置に)。 選択肢として、それが出荷箱から降ろされた途端に、コンピュータの作動準備ができた。コンピュータが1番目であるときに、他の実施例では、この選別の過程の幾つかかすべてが自動的に顧客の家に立候補することであるが、顧客からの入力はまず必要でなく勤務地にて過程を完成させ、コンピュータであるときに作動準備ができているそのようなもののプラグする。
【００８３】
サイドローディング (SIDELOADING)。
【００８４】
図1Aはパソコン104か同様の情報処理装置にソフトセットを分配するためのサイドローディング過程189、例えば初期のユーザによって購入される新しい装置のブロック図である。時折、従来のパソコン104にソフトセットを分配する方法は、ネットワーク191から192のソフトセットをダウンロードして、例えば、ネットワーク191はソフトセットを装置にプレロードするのに使用されるメーカーの内部のネットワークに組み立てられたかもしれない。さらに、一般的にソフトウェアと音楽は購買によって (場合によって無料も可能)インターネット191を経由して直接ダウンロードできるという「ダウンロード」過程を通して利用可能となる。さらに、それらの独占ワイヤレスネットワーク191からのダウンロードが携帯電話キャリヤーで作動したので、いくつかの資産が利用可能となる。
【００８５】
また、従来の方法では物理的なメディア193(例えば、CDROM、ディスケット、FLASHメモリ、及び同様のもの)、メディアインストール194などのからアップロードする。 また、時々それは対話的な入力装置195(手動のキーボードなど)を通してユーザからかなりの量の手動入力196を必要とし、それはユーザの大量の時間と精神力をかかるだけでなく(様々な馴染めない任務を実行するのが必要だから、集中によるユーザの精神上の消耗、及び過程が完了するまで待つしかない退屈)、インターネット191かメディア193及び/又は手動入力装置195からソフトセットから広がる品揃えをダウンロードしてソフトセットをインストールするのも配電網から大量のパワーが必要。
【００８６】
対照的に、本発明のサイドローディング過程189の一面として198のソフトセットをサイドローディングしながら、事実上大きい選ばれた選択資産（ipselecta）のソフトセットが集団で押し込まれるところで、作動的に結合される記憶媒体150はコンピュータ104と、どちらか選択資産の前または後に記憶媒体に積み込まれる。例えば、ある実施例では、記憶媒体150がディスクドライブ、及び/或いは、FLASHカードかチップを含んでいて、(例えば SanDisk（登録商標）,
TransFlash（登録商標） or microSD（登録商標）  card ) または、如何なる他のプレロードされた(例えば図2Aか図2Bを下記通りに説明する)適当な記憶媒体。次に、操作上の使用の準備ができる装置104をもたらして、適切な信号とパワーケーブリングによってコンピュータ104の他のハードウェアに適切なスロットか揺りかごがプラグされたり接続されたりして、また、「素晴らしい創造」として知られている。
【００８７】
サイドローディング198は、ダウンロードの多くかすべて、マニュアル、及び/或いは、ソフトセットのメディアインストールを避けることによって、メーカー、及び/或いは、エンドユーザのためのかなりの時間(その結果、製造スループットを増加させ、及び/或いは、その人の購買が使用可能になるまでユーザによって費やされた時間を短縮する)と電気エネルギーを節約する。 しかしながら、選択肢として、また、本発明のサイドローディングは手動インストール及び/或いはメディアインストールした選択資産にないソフトセットダウンロードして補う。
【００８８】
図1Bは"感知器"105か同様の装置にソフトセットを分配するためのサイドローディング過程190のブロック図である。感知器は感知情報を処理する装置であり、MP3プレーヤーと、多機能携帯電話と、ビデオプレーヤーと同様なもの、そしてユーザの感覚に感覚刺激を受けて、出力して(即ち、におい、温度、及び同様のものを見つけて、鳴らして、触れて)。 過程190は189図1Aを処理するために同様、しばしばコンピュータ104のような中間的装置がネットワーク191と感知器105の間のダウンロード仲介者としてダウンロードされた"感知情報"(歌か他のオーディオ、及び/或いは、ビデオファイルなどの)か他のソフトセットで通常必要であるのを除いて。 また、コンピュータ104は中間的な装置として要求されてが物理的なメディア193と感知器105の間でインストールする仲介者として手動でソフトセット(音楽CDから読み込まれて、圧縮されて(または切り裂く(ripped))、MP3プレーヤーにロードされる歌など) をインストールする。
【００８９】
対照的に、本発明はサイドローディング過程190の一面として、ソフトセットの直接サイドローディング198のを提供して、プレロードされた記憶媒体150は選択資産の選択された事前か事後に感知器105と有効的に連結する。 例えば記憶媒体150は、適切な信号とパワーケーブリングによって感知器105(例えば、ある実施例では、携帯電話、及び/或いは、音楽プレーヤーなど)は他のハードウェアに選択肢としてプレロードされて(図2Aか図2Bのために例えば以下で説明されるように)、適切なスロットにプラグして接続される、再び操作上の使用するための準備ができる装置を完成する。選択肢として、感知器へのサイドローディングは選択資産になかったソフトセットをダウンロード及び/或いは手動インストールによって補われる。
【００９０】
減算インストールで資産を分配すること。
【００９１】
図1 Cは記憶媒体150にソフトセットを分配するための過程130に関する作業工程図である。 選択肢として、過程130は独立系ソフトウェア会社(ISV)132で、1つ以上の服従定義131(それはソフトウェア又は他のソフトセットと過程130との互換性を作る規格、インタフェース、それとも他の必要条件)を得て、 ISV132は1セットのソフトセット133を生産する過程の間に服従定義131に従うISVのために互換性があるソフトセット133(例えばソフトウェアプログラム、データ、及び感知情報内容など)を生産する。選択肢として、広汎集合作成のプログラムか過程134は、1ISVs132から複数のソフトセット133を集めて、ソフトセットをインストールして広汎集合マスター135を創造する。模写過程136は、複数の空白の記憶媒体235を得て、中間的製造品記憶媒体230を作成するために広汎集合マスターからそれぞれに広汎集合211のコピーを保存させる。購入者かユーザ99は選別過程140に彼女か彼の保有したい選択資産255を選別して、選別過程140が選択的なアンインストールを実行して記憶装置230をカスタマイズし、使用者が選択したソフトセット255を持っている記憶媒体150を作成する。
【００９２】
図1Dは前もって書かれたを複数にする最初の記憶媒体を処理するのに選別過程152を使用する減算インストールに関する作業工程図がソフトセットをインストールしたということ。 選択肢として、選別過程152が選択データの獲得153、及び選択データに基いて自動修正する第一記憶媒体154を含んでいるので、それらの資産に代わって選択資産に関連して、消去スペースは他のデータの保存に利用できて、選択資産はインストール済みのように利用可能。変更操作が実施されるまで結局記憶媒体を使用する装置のエンドユーザには、選択肢として、インストールされた資産は入手できない(従来のシステムと対照すれば、それらのファイルを選択した後にユーザが複数のファイルを削除するのは可能であり、その場合、ユーザにとってそれらのファイルは削除の操作を行わなければ利用可能のように残される)。
【００９３】
選別の過程と装置と相関用語の「選択データ」か「選択情報」は"不要資産"(即ち、複数のインストールされたソフトセットの第二部分集合として保有されて、または非選択資産と呼ぶ)と"選択資産"(即ち、保有された複数のインストールされたソフトセットの第一部分集合、又は選択資産と呼ぶ)を区別するのに使用できるどんな情報も示す。 そういうものに、選択肢として、選択データは保有する利用可能な選択資産をユーザに記載するか、そうでなければ実質上の特定の他の資産を選別処分にする。アンインストールするか、入手できないようにするか、及び/或いは別の方法で取除くべきかの何れの方法によって非選択資産にする。他の実施例では、選択データは非選択資産を記載するか、そうでなければ実質上の特定するそれらのすべての資産を選別処分にして消すか、アンインストールして、入手できなくようにするか、及び/或いは、別の方法で取り除くべきか、そして他のすべての資産をユーザにとって利用可能な選択資産に保有とする。 選択データは、選別されるために保たれる資産か、選別処分にされるべき資産か、保たれる両方の資産と資産を特定するのにおいて使用可能な資産の名前、資産(例えば、製品識別子(統一商品コードなどの)、通し番号、インデックスリスト、テーブル、データベース、または同様のもの)に関連しているコード化されたデータ、資産が位置しているアドレス、またはいかなる他の適当な情報を含むこともできる。ある特定の状況では、選択データは推論されるかもしれない、その構成要素(ワードプロセッサや、表計算プログラムや、データベースなどの)のすべての可能な使用プログラムが非選択されているだけ構成要素(スペル検査プログラムなどの)が共有されるかもしれなくて、次に、そして共有された構成要素が非選択資産である時のように。
【００９４】
ある実施例では、使用不能はソフトウェア暗号化、ディレクトリー使用不能、あいまいにすること、ファイル配分テーブルがリストをリンクしている再命令、または他のテクニックで達成される。そのような実施例では、選別する前にさえ、記憶媒体の得られた所持には広汎集合があって、実行されるユーザには、記憶媒体の上の資産は容易に利用可能でないでしょう、資産の権限のないリリースを公衆に防ぐために。資産の1つ以上が利用可能になる前に選別(ソフトセットを解読する働くディレクトリー構造、または他のデータ操作操作の作成などの)選別処分にする操作に関連して実行された何らかの操作が必要。 広汎集合のためのこれらの保護はデータ機密保護と呼ばれる。
【００９５】
他の実施例では、記憶媒体はロックされたか肉体的に安全な位置か車(また、サプライチェーン隔離と呼ばれる)に保たれる。そこでは、資産の選別が実行されるまで、広汎集合を支える記憶媒体の所持を持っている会社、及び/或いは、他の実体がユーザにリリースされない。 広汎集合のためのこれらの保護は物理的なセキュリティと呼ばれる。
【００９６】
まだ他の実施例では、広汎集合の残りとそれに実行された選別操作は記憶媒体(どの資産を一度どの広汎集合を保存したか、そして、選別したか、または利用可能にしたかに関する例えば、永久的な通し番号、そのようなデータ、または1つに関連している他のコード、さらに隠されたセクターまたは他の証印)の上に残される。権限のない再建に関する証拠か資産の使用を提供して、それは、そのような権限のない再建か使用の加害者の法による起訴を考慮するために選択される、そして/または、代価を払われないでした。任意に、法的な契約(クリックライセンスなどの)はそのような情報を補いる。広汎集合のためのこれらの保護は法廷のセキュリティと呼ばれる。 任意に、記憶媒体、作動するのが意図しているエンドユーザ装置、そして/または、サプライ・チェーンにデータ機密保護、物理的なセキュリティ、そして/または、法廷のセキュリティを提供する。
【００９７】
図1 Eは 事前書きを複数にする最初の記憶媒体を処理するためのネットワーク活性の選別プロセス155に関するフローチャートがソフト資産をインストールしたということ。 任意に、ネットワーク活性の選別プロセス155は、153の選択データを得るのを含んでいる、選別プログラムへのネットワーク(それの部品は任意にワイヤレスである)の向こう側にコマンドと選択データを157選別に送って。 自動的に158を選別して、154が消されたスペースが選択された資産に関連していないそれらの資産に代わって他のデータのストレージに利用可能になるように選択データに基づかせて、選択された資産が利用可能である最初の記憶媒体はインストールされました。
【００９８】
ある実施例では、分配コンピュータ(例えば、図4Aか図4Dでコンピュータ102を分配しながら、見る)は、呼ばれるか、または選別器か選別装置を含んでいる。 任意に、本発明は、それが含む分配する選別器を持ちながら、装置を提供する。ソフトインストールが特定のユーザの装置に選ばれたカスタム設計されたセットの資産) ネットワークと結合される。 任意に、ソフト資産の分配は、広汎集合を選別するのを含んでいる。(広汎集合はネットワークの向こう側に制御される)。様々な実施例では、ネットワークはあらゆる適当なネットワーク。そのようなネットワークは、ワイヤレスであるかもしれなく、データを送って、受け取るネットワークアクセス回路(見てください、そして、例えば、図4Dでアクセス回路409をネットワークでつなぐ)を使用する分配コンピュータからそのようなネットワークまでアクセスされる。任意に、ネットワークアクセス回路は、ローカル・エリア・ネットワークの向こう側に有線ネットワークの向こう側にイーサネット（登録商標）回路を含んで、選別プロセスを制御する。また、他の実施例では、企業内情報通信網は適当なルータかモデムを通してインターネットなどの広域ネットワークに付けられているが。そのようなある実施例では、事実上、購入者は新たに購入しているか、または非選別した装置をインターネット接続に接続する、そして、ユーザのものが新しい装置を所有している間、選別プロセスはリモートであるか集結されたコンピュータ施設から制御される。
【００９９】
図2Aはソフト資産255のカスタム設計されたそして/または、ユーザによって選択されたセットを持っている記憶媒体150を作成するためのプロセス200のブロック図。任意に、図1Aと図1Bのための上の記述によると、一度完成した記憶媒体150はsideloadable。任意に、プロセス200は広汎集合-発生経過201と広汎集合-選別プロセス202を含んでいる。任意に、多くのソフト資産297が1つ以上のインストールプログラム298を使用するインストール記憶媒体(ISM)210にインストールされる。任意に、この操作は260が結合されて、最終的な装置と同様の装置によって制御されるISM210で実行される(図2Bを見てください)。インストールの結果はISM210に保存された広汎集合211。任意に、ISM210は多くのソフト資産(例えば、ソフトウェアプログラムかMP3歌)が1つ以上のインストールプログラム298を使用することでインストールされる初めは、空白の、そして、フォーマットされた記憶媒体。次に、任意に、広汎集合211はマスター記憶媒体(MSM)220にコピーされる。例えば、1つ以上を他にする大容量ディスクドライブはその上に保存された(例えば、広汎集合221と広汎集合222)を広汎集合する。(ISM210は、任意に、次に、再フォーマットされて、異なったセットのソフト資産を持っている異なった広汎集合を作成するのに再び使用される。
【０１００】
ある実施例では、エンドユーザ記憶媒体235がある少なくとも1つの空白の在庫目録は、中間的製造品230にMSM220からそれに広汎集合211(例えば、ソフトウェア部分)のためのデータをコピーすることによって、変えました。例えば、空白のエンドユーザ記憶媒体235は、任意に最終的なユーザ装置のための完全なハードウェア260の一部であるディスクドライブかFLASHカード(すなわち、それは図2Bで説明されるように埋め込まれた空白の記憶媒体への完全なハードウェア組み合わせ260である)。他の実施例では、後でそれは完全なハードウェア260の一部になる(すなわち、広汎集合211(ソフトウェア)が最初に積まれることになっているスタンドアロンの記憶媒体235であり(ハードウェア)、次に、装置ハードウェアの残りに関連していた状態で、より遅い)。 230が広汎集合-選別過程202に必要であるように供給される中間的製造品の在庫目録の個々の1つ。すなわち、空白のエンドユーザ記憶媒体235は広汎集合211をそれにコピーするのによる中間的製造品230になる、そして、これは不要資産データを取り除くために選別した後に、選別記憶媒体150になる。
【０１０１】
任意に、広汎集合-選別プロセス202は以下包括して、中間的製造品230の上の広汎集合211から1セットの選別ソースデータ232を得て、ipselecta-不要資産選択データ(IRSD)233を得るために、それは特定のユーザのソフト資産の選択を示して、そして、減算インストールを達成するようにプログラム240を使用して、広汎集合211を選別する。プログラム240を選別することによって実行された減算インストールは不要資産(取り除かれることになっているソフト資産)を選別する、選別されたソフト資産と、ipselecta255を保有すると(保有されるのが選択されたソフト資産)選別記憶媒体150が得られる場所で消されたスペースを258に出て。任意に、例えば、選別ソースデータ232がディレクトリと登録のためのデータを含んでいて、選別プログラムは、不要資産のためにディレクトリエントリーと登録エントリーを移して、次に、中間的製造品(記憶媒体)の上にそれらのそれぞれの位置(すなわち、記憶媒体の上の作動システムソフトウェアがこのデータを見つけると予想する位置)に結果として起こるディレクトリと登録を書く。230 その結果、選別記憶媒体150を形成する。すなわち、空白のエンドユーザ記憶媒体235は広汎集合211をそれにコピーするのによる中間的製造品230になる、そして、これは不要資産データを取り除くために選別した後に、選別記憶媒体150になる。
【０１０２】
最初のプログラム・コードは、あなたがどんなプログラムがインストールされるかを決定するために本当にあらゆる実施例で.ppx顕現を必要とするというわけではないのを示す。 大量のためのメソッドがアンインストールするrelectaの2番目のコードショー。ただ一つの引用文が先行したテキストはコードのためのコメントテキスト。
【０１０３】
どのソフト資産がインストールされるかを決定するコード
【０１０４】
以下の最初のコード(listallproducts)はWindows（登録商標） Installerと共にインストールされたシステムに製品のテキストファイルリストを作成する。それは特定Guidと名前をファイルに書く。 これはただGuidsのリストを作り出す方法を例証する。実行されると、このVisual Basicタイプスクリプトは出力、ファイルとして呼ばれたprods.txtを生成する。prods.txtファイルから、ユーザは保有するソフト資産を選ぶことができる。
Option  Explicit
Public  installer, fullmsg, comp, prod, a, fso, pname, ploc
Set  fso = CreateObject("Scripting.FileSystemObject")
Set  a = fso.CreateTextFile("prods.txt", True)
Connect  to  Windows  Installer  object
Set  installer = CreateObject("WindowsInstaller.Installer")
on  erro  resume  next
For  Each  prod  In  installer.products
pname  =  nstaller.productinfo(prod,"InstalledProductName")
ploc  =  installer.productinfo(prod,"InstallLocation")
a.writeline(prod  &"    "&  pname)
Next
【０１０５】
以下の2番目のコードは上のlistallproductsスクリプトでファイルprods.txtと同じレイアウトを起こさせるtest.txtと呼ばれるファイルの製品のリストをアンインストールするスクリプト。このスクリプトを典型的なパーソナルコンピュータに実行するべきではない(すなわち、あるものは選別を主張しないでした)、すべての記載されたファイルをアンインストールするので、ある実施例で。1つがこのスクリプトを実行することになっていて、test.txtがprods.txtと等しいなら、それはそのファイルに記載されたすべてをアンインストールするでしょうに。むしろ、test.txtを作成するためにprods.txtから保有する選択されたソフト資産を取り除く。機能的な部分はInstaller.ConfigureProduct呼び出し。それが何がそうするかということである、アンインストール、そして、セットUILevelが多くかユーザーインタフェースとして同じくらいほとんど示さないように必要に応じて適合できる前の系列。
Option  Explicit
Public  installer, fso, a, stream, prod
Set  fso =  CreateObject("Scripting.FileSystemObject")
Set  a  =  fso.GetFile("test.txt")
Set  stream  =  a.OpenAsTextStream(1)
Connect  to  Windows  Installer  object
Set  installer  =  CreateObject("WindowsInstaller.Installer")
Do  While Not stream.AtEndOfStream
prod  =  stream.ReadLine()
prod  =  left (prod, 38)
installer.uilevel  =  3
installer.ConfigureProduct  prod,  0,  2
loop
【０１０６】
ある実施例では、選りはディレクトリエントリをクリアするか、またはあいまいにする「速い安全な抹消」を含んでいる。他のデータでディレクトリエントリ情報をゼロに合わせるか、または上書きして、それで消された資産の名前、アイデンティティ、そして／または、位置を特定するのは難しくなる、そして、ゼロか追加注文がファイル(例えば、ファイル・アローケーション・テーブルかNTFSデータ構造における)のセクターの注文をする、資産を作るデータをアクセスするか、または再建するどんな試みも難しくはるかにするように。
【０１０７】
ある実施例では、ipselecta-不要資産選択データ233はエンドユーザ(例えば、最終的な装置の購入者)からインタラクティブに引き出されて、受け取られるデータ。 任意に、IRSD233は、そのそれぞれの資産が広汎集合のそれぞれのソフト資産と保たれるか、または選別されるかことであると指定する。他の実施例では、IRSD233は不要資産のソフト資産だけを指定する。(そこでは、特記以外の資産がデフォルトで選択された資産として保有される)。任意に、IRSDは不要資産がアンインストールされることになっている特定のオーダーを指定する。
【０１０８】
ある実施例では、IRSD233は、保たれる(すなわち、ipselectaを指定する)ために広汎集合のソフト資産がどれであるかを指定する、不要資産が広汎集合の上の他のソフト資産であるとそれとなく指定して(すなわち、これらの場合では、IRSD233はipselectaのソフト資産だけを指定する)。そこでは、特記以外の資産がデフォルトで非選択された資産として選別される。任意に、選別プログラム240かそれが使用するテーブルが不要資産がアンインストールされることになっている特定のオーダーを指定する。
【０１０９】
まだ他の実施例では、IRSDは非選択された資産の選択された資産のいくつかかすべてといくつかかすべてを指定する、そして、他の資産は、保たれる選択された資産か選別されるべき非選択された資産になるように含意される。例えば、任意に、購入者の通貨の量のオーダーが、確実性資産(例えば、ボーナス資産)が無料で備えられるのを含意するかもしれない、そうでなければ、それらの資産は、別々に選択されて、代価を払われる必要があるでしょうが。他の実施例では、ユーザは指し値を指定できました(例えば、「それぞれ0.99ドル以下に利用可能なすべての歌を私に販売してください」か「記憶媒体で合いるが、それでも200GBの消されたか、空の、または、利用可能なスペースを私に残すすべての無料の歌」)。
【０１１０】
ある実施例では、IRSD233は、課金されるために広汎集合のソフト資産がどれであるかを財政的なインボイス/勘定プログラム241に指定する、そして、どのソフト資産でインボイスを作るか、またはアカウントから(例えば、このセットの資産の購入者の話)、少なくとも一部基づく量を差し引くかによる選択された内容のための財政的なインボイス/勘定プログラム241告発(基づいて、価格設定のときに、任意に、244は統治されている)はipselecta255で保有される。ここに使用されるように、「勘定」は購入者から支払いを振り込むか、得るか、または求めるためにどんなメカニズムや施設も含んでいる。「送り状を送り」は、支払いを求めるか、または例えば、今後の支払いを郵送するか、または電子的に購入者に伝えて、要求するか、または要求するインボイスを作成などなどの負債を作成するためにどんなメカニズムや施設も含んでいるか、またはそうでなければ、クレジットカード口座を借り方に記入する。実質的に、プレゼントは調節される。「差し引き」がお金を振り込むためのどんなメカニズムや施設も含んでいる、購入者のアカウントから売り手の利益のためのアカウントまで。
【０１１１】
任意に、それぞれの中間的製造品230は広汎集合211の一部として広汎集合211の望まれないか選ばれていない不要資産部分を選別するためにプログラム240を選別することによって必要である情報を提供できるくらいの選別ソースデータ232(例えば、ディレクトリと登録データ)を含んでいる、IRSD233のコントロールの下で。任意に、それぞれの中間的製造品230は選別プログラム240のプログラム・コードを含んでいる、単独か外部の作動システムコードの支援で選別を達成できる(最終的な装置260、または専用選別システムで)ように。
【０１１２】
図2Bはソフト資産255のカスタム設計されたそして/または、ユーザによって選択されたセットを持っている記憶媒体150を作成するための別の広汎集合-世代と広汎集合-選別プロセス204のブロック図。任意に、プロセス204は広汎集合-発生経過205と広汎集合-選別プロセス206を含んでいる。 プロセス201のために上で説明されるように、任意に、多くのソフト資産297が1つ以上のインストールプログラム298を使用するインストール記憶媒体(ISM)210にインストールされる。任意に、そして、広汎集合211はマスター記憶媒体に2つの部品でコピーされた('226(広汎集合により少ないaある量の選別データ)と選別データセット229を広汎集合する)(MSM)223。任意に、MSM223はその上に、他の1広汎集合(例えば、広汎集合'224と広汎集合'225)と対応する選別データセット(例えば、選別データセット227と選別データセット228)を保存させる。そこに選別データ229を切り離すのによる、広汎集合'226がソフト資産の窃盗に対して、より安全になる。任意に、1つ以上の中間的製造品231(それぞれと、例えば、ハードウェア/ソフトウェア組み合わせ)の在庫目録を作成するために、広汎集合'226(例えば、ソフトウェア部分) のデータをコピーすることによって、MSM223から対応する空白のエンドユーザ記憶媒体235の数まで。(例えば、ハードウェア部分、ディスクドライブまたはFLASHカード)。必要に応じて中間的製造品231の在庫目録の個々の1つを広汎集合-選別過程206に供給する。別々に、プログラム240を選別するのに入力される選別ソースデータ232として、選別データセット229を伝えて、輸送される、そして/または、提供する。
【０１１３】
ある実施例では、広汎集合-選別プロセス206は、選別データセット229から1セットの選別ソースデータ232を得るのを含んでいる、購入者から選択、そして/または、価格を購入者に提示して、応答を引き出して、選択を受けるのにユーザーインタフェース、そして/または、入力装置259を使用して(クレジットカード番号を受けて、任意に仮想の小切手のための情報、または選択に対応する金融取引の他の情報を盛り土してください)。その結果、それは特定のユーザのソフト資産の品揃えを示して、ipselecta-不要資産選択データ(IRSD)233を得る。選別プログラム240を使用するように、広汎集合'226を選別して、減算インストールを達成する。ある実施例で、インタフェース251(例えば、連続のATA、USB2、または他の適当なインタフェース)を記憶媒体に持ちながらコンピュータで選別プログラム240を実行された。プログラム240を選別することによって実行された減算インストールは不要資産(取り除かれることになっているソフト資産)を選別する。いなくなるのスペース258は選別されたソフト資産を代わる。選別記憶媒体150を得るために、ipselecta255(保有されるのが選択されたソフト資産)を保有する。ある実施例では、ipselecta255のセットはipselectaディレクトリ252、ipselecta登録254、およびipselecta資産データ256を含んでいる。
【０１１４】
ある実施例では、選別ソースデータ232(異なったソースから得るか、または受け取る)で再び加わられていて、プログラム240を選別することによって選別されない場合、それぞれの中間的製造品231は実質的に役に立たない状態で広汎集合から、'226 ソフト資産を作ることができるくらいの選別ソースデータ232(例えば、ディレクトリと登録データ)は広汎集合する'という226を省略する。 任意に、中間的製造品231はプログラムが実行する選別の前に作動的にエンドユーザ装置260と結合される。エンドユーザ装置260は、任意に、一度プログラム240を選別すると、操作が完了して、実質的か完全に使用する準備ができていてエンドユーザにとって、機能的。任意に、それぞれの中間的製造品231は、単独か外部の作動システムコードの支援で選別を達成できるように装置と最終的な装置260で選別プログラム240のプログラム・コードを含んでいる。
【０１１５】
図2 Cは自己充足的な選別プログラム240を持っている回転するメディア記憶装置260(例えば、ディスクドライブ261の上に実施例される)のブロック図。 任意に、プロセス202(図2Aを見る)の大部分かすべてが記憶装置260で実行される。任意に、ディスクドライブ261は、作動装置257で1つ以上がデータが書かれているその上にデータを保存するディスク269を回転させて、選択されたデータ位置に動かされる振動子259によって読まれるのをさせる。また、任意に、ディスクドライブ261はプロセッサかコントローラ263を含む様々なエレクトロニクスを含んでいる、データ/指示店265、1つ以上のバッファ264、そして、外部の装置・インタフェース(また、システム・インタフェースと呼ばれた)の262が外部の装置から外部の装置からデータ転送要求を受け入れて、データを送って、以前はデータをよく受け取っていました。コネクタ256を通したパーソナルコンピュータ104(図1Aを見る)かpercepter105(図1Bを見る)のエレクトロニクスなどのように。 (例えば、連続のATA(SATA)かシリアルSCSIか普遍的な連続のバス(USB)かIEEE1394Firewireとコネクタか、他の適当なインタフェース。) 任意に、ディスク269の上のデータは2つ以上の部分集合に分割される、利用者データ部分集合258とディスクドライブの指定保留地域部分集合268を含んでいる。
【０１１６】
いくつかでの実施例は、ディスクドライブ261があるときエネルギーを上げて、制御プログラム266とアクセス制御プログラム267にストアー265を積む。 任意に、制御プログラム266とアクセス制御プログラム267は、ディスクドライブアドレス(例えばディスクドライブ269の上にデータにアクセスするのにコントローラ263によって使用されたシリンダヘッドセクター(CHS)アドレス)にシステムアドレス(例えば外部のシステムによって使用される、ディスクドライブデータにアクセスする論理的なブロック・アドレス(LBAs))をディスクドライブ261の操作を制御して、翻訳するか、または写像するのに使用される。 Windows （登録商標）XPと恐らく他のハイレベルの作動システムがハードウェアに直接アクセスを許さないので、任意に、本発明はMS-DOSなどの基本的な低レベルである作動システムを使用する、そして、どんなディスクセクターへのアクセスも読み書きができる、ディレクトリにハイレベルの作動システムで使用されるものを含んでいて(NTFSディレクトリを含んでいて)。任意に、そのマッピング処理は、失敗したそれらのセクターのために予備セクターを再選任するか、または読みにくいか修正不可能なデータを持って、指定保留地域268へのユーザアクセスを防ぐのに使用される。 図2 Cの実施例では、広汎集合211(図2Aを見る)は初めは、ディスクドライブ269の上に保存されるが、選別プログラム240が選ばれていないソフト資産(不要資産)を選別して、保有された資産でユーザを請求する(ipselecta255)ために動かされるまで、外部の装置による広汎集合211のデータへのアクセスはアクセス制御プログラム267で妨げられている。 任意に、外部の装置(注文、改造、そして／または、選択コンピュータなどの)でシステム・インタフェース262を通して管理パラメータ、許可コード、そして／または、復号化キーをプログラム240を選別するのに送る、プログラム240を選別するのが、操作を選別するのをいったん完成されるとipselecta255への完全なアクセスが提供される実行するのを可能にするために。アクセス制御プログラム267は、選別する前に広汎集合データを読んで、選別した後に不要資産データを読むのを防ぐ。 任意に、ディスクドライブ261が使用されていると(例えば、選別が完全になる前に利用者データ領域からデータを読むのを試む)、アクセス制御プログラム267は、そのような通常の使用を許すが、システムがそれにデータを書く前に何か利用者データセクターが読まれると、ゼロか広汎集合データの代わりにある他のデータパターンを提示するでしょう。これは、同じディスクドライブ261が選別できる広汎集合(最初に前に選別プログラム制御装置の使用に連結されるなら)として、または、通常の空白のドライブとして使用されるのを許容する(最初に、いかなる他のプログラムでもアクセスされるなら)、その結果、規模の経済を提供して、システムメーカーに在庫目録要件を減らす。
【０１１７】
図2Dはソリッドステートの装置270のブロック図(例えば、ソリッドステートメモリ装置かドライブ271のフラッシュか他のタイプ、または任意に実施例されて、ソリッドステートメモリはpercepter105の一部)、それは、自己充足的な選別プログラム240を持っている。 任意に、装置270の操作は図2 Cの装置260のために説明されるのと実質的に同じ、そして、プロセス202(図2Aを見る)の大部分かすべてが記憶装置270で実行される。 任意に、ソリッドステートのドライブ271には、1個以上のメモリー用チップ279が(例えば、装置270に埋め込まれた薄いフィルムバッテリーを使用するFLASH、またはメモリなどのような非揮発性メモリーの使用)データを保存させる。 また、任意に、ソリッドステートのドライブ271は以下を包括して、様々なエレクトロニクスなどのプロセッサかコントローラ263、データ/指示の店265、ゼロ、あるいは、より多くバッファ264。それから、システム・インタフェース262はデータ転送要求を受け入れて、または、パーソナルコンピュータ104(図1Aを見る)かpercepter105(図1Bを見る)のエレクトロニクスなどの外部の装置からコネクタ256(例えば、USBコネクタ)までデータを送るか受け取る。任意に、チップ279に関するデータは2つ以上の部分集合に分割されて、利用者データ部分集合258と指定保留地域部分集合268を含む。
【０１１８】
いくつかでは、ソリッドステートのドライブ271があるときの実施例はエネルギー消費量を上げて、制御プログラムの(CP)266とアクセス制御プログラム(ACP)267に店265を積む。 任意に、制御プログラム266とアクセス制御プログラム267は、チップ279の上にデータにアクセスするのにコントローラ263によって使用されたチップセクタ・アドレスにシステムアドレスをソリッドステートのドライブ271の操作を制御して、翻訳するか、または写像するのに使用される。 論理的なブロック・アドレス(LBAs)は外部のシステムでアクセスディスクドライブにデータを使用しました。 また、そのマッピング処理は、失敗したそれらのセクターのために予備セクターを再選任するか、または読みにくいか非修正可能なデータを持って、指定保留地域268へのユーザアクセスを防ぐのに使用される。 図2Dの実施例では、広汎集合211(図2Aを見る)は初めは、チップ279の上に保存されるが、選別プログラム240が選ばれていないソフト資産(不要資産)を選別して、保有された資産でユーザを請求するために動かされるまで(ipselecta255)、外部の装置による広汎集合211のデータへのアクセスはアクセス制御プログラム267で妨げられる。 任意に、外部の装置(注文、改造、そして/または、選択コンピュータなどの)でシステム・インタフェース262を通して管理パラメータ、許可コード、そして/または、復号化キーをプログラム240を選別するのに送る。プログラム240を選別するのが、操作を選別するのを実行するのを可能にするために、いったん完成されると、どれがipselecta255への完全なアクセスを提供するか。 アクセス制御プログラム267は、選別した後に選別する前の広汎集合データと不要資産データを読むのを防ぐ。
【０１１９】
図 2Eが記憶装置231のときに使用された選別過程280のブロック図。 任意に、選別過程280は広汎集合' 226(例えば、ソフトウェア部分)が空白のエンドユーザ記憶媒体235(例えば、ハードウェア部分、ディスクドライブまたはFLASHカード)に格納したのためのデータのコピーを持っている中間的製造品231を得る。 一緒に、形成してください。ipselecta-不要資産選択データ(IRSD)233が任意に、特定のユーザのソフト資産について選択を示して、ここに示されるように任意に示して、インクルードが個々のipselectaメンバー281へのポインタである、(保有されるべきソフト資産、それ、ipselecta255)。そのようなそんなに選別処分するの過程283は、不要資産282(選別処分する過程283からソフト資産の格納領域282までのEが選択しなかった図2とipselecta255に関連していない他のデータでダッシュドットドット矢に注意する)を取り外すか、または消す。任意に、復号化過程285は、ipselecta資産の1つ以上を解読するために走る(IRSD233に基づいている)(復号化過程285から281のソフト資産が選択した格納領域と保たれることになっているipselecta255に関連している他のデータまでダッシュドット矢に注意してください)。任意にすべてではなく、ソフト資産がコード化されているので、復号化過程285はそれらの資産を解読する必要はない。 任意に、カスタム設計されたそして/または、ユーザによって選択されたセットのソフト資産(例えば、ソフトウェア、オーディオ、そして/または、ビデオ・ファイルの収集)がある結果として起こる記憶媒体150はその時、使用の準備ができている。 他の実施例では、IRSD233は選別処分する過程283が免職することになっているか、または消すことになっている個々の不要資産メンバーを指定する。任意に、また、デフラグの過程284は格納されたipselecta255の位置とipselecta255を使用する装置の性能を最適化して、次に不要資産を再建できないか、「非-消」されて、後で使用できないという追加保証を提供する走行。任意に、広汎集合(例えば、広汎集合211などの'226か他の変化を広汎集合する)はインストールされた選択可能なソフト資産の宇宙を含んでいる。
【０１２０】
図2 Fは記憶装置231に使用される非一時的信号キャリヤー290のブロック図。非一時的信号キャリヤー290は任意の将来の時間にソフト資産を装置に提供できるあらゆるメカニズム。対照的に、一時的な信号キャリアー(ワイヤかファイバーの上の電磁波やネットワーク信号などの)は送られる、そして、信号がいったん通ると、それは過ぎ去る。一時的な信号キャリアーからの情報が今後の検索か再譲渡に格納されるなら、情報は非一時的信号キャリアーに動かされました。ここに使用されるように、ソフト資産は、記憶されたデータか情報(デジタルでか否かに関係なく、どれがソフトウェア、プログラム、オーディオ、ビデオ、または他の資産を含んでいるか、そして、アナログ、またはいかなる他のフォームも)。ある実施例では、非一時的信号キャリアー290はその上にソフト資産を格納するコンピュータ104かpercepter105と結合できる記憶媒体150。ある実施例では、取り除かれた非選択された資産に代わって他の情報を置くために非選択された資産を取り除いて、選択された資産を可能にする、そして/または、利用可能なスペースを提供するために非一時的信号キャリアー290を選別されることができる。
【０１２１】
ある実施例では、装置の作動システム293のいくつかかすべてが、ほかの場所に保存されるが、非一時的信号キャリアー290からの情報にアクセスするのに使用される。情報はプログラム登録292、ファイルディレクトリ294、そして/または、MSIインストーラデータベース295のような構造を使用する。 任意に、作動システム293は非一時的信号キャリアー290の中で完全に維持される。 任意に、特定のユーザ296のための「不-重要」と呼ばれる装置をカスタム設計して、非一時的に保存される1セットのユーザ特有のデータはキャリヤー290を示す。任意に、「不-重要」296部分はプログラム登録292の中に保管されている。 任意に、資産セキュリティプログラムか装置297(「Xecutablesのためのアルティメイト−パッカー」(UPX)派生している保護システムなどの)が、無断使用から資産を保護するのに使用される。 広汎集合226が任意に多くの原子資産を含んでいる、(不可分なほど扱われることになっている資産、完全にそこで、ipselecta281、または不要資産282)として完全に取り除く。 任意に、明白な298(どの資産が広汎集合にあるかを追跡して、取り外しの都合のよい注文を前提とする)を提供する。 様々な実施例で、ファイルディレクトリ294、登録292、不重要データ296、MSIインストーラDB295、証明データ298、API選別242に、いくつかまたはすべてでのデータは、そして/または、他のデータ関するデータは非一時的信号キャリアー290に保存される。必要であると、これらのデータのいくつかすべてが、他の実施例では、ほかの場所に保存されて、同じくらいそして、非一時的信号キャリアー290と共に持って来られるが。
【０１２２】
図2Gは、プロセス288でblankoplex253を処理して記憶装置236に保存したことのブロック図。少なくとも上で説明された実施例のいくつかでは、選別のプロセスは、選別プロセスを実行するために、少なくともいくつかのプログラム(選別プログラム自体などの)、そして/または、データ(ファイルディレクトリデータや、登録データや、明白なデータや同様のものなどの)を読む。図2Gに示されて、対照的に、任意に、データは全く記憶媒体236から読まれる必要はない。むしろ、作動システムによって予想された位置でディレクトリ構造237(登録データ(パーティションデータ)はデータを表する)を提供する; これが初期ディレクトリ237は、空白であるか、または実質的に空白。すなわち、すべてか実質的にそれを示して、集積スペース(ディレクトリ自体を除いた)のすべてが利用者データのストレージに利用可能。そのままでプロセス243を選別しないで使用されるなら、blankoplex236は正常な空白の記憶媒体(例えば、ブランク・ディスクドライブか空白のソリッドステートのドライブ)として作動する。(代わりに選別するなら、プロセス243は、ディレクトリデータ、登録データ、そして/または、同様のものを操作して、書く; 次に、記憶媒体236は使用するのにおいて準備ができるipselectaで終わるでしょう。任意に、図2Bのプロセス204などのプロセスはある選別データ229に広汎集合211を切り離する、そして、残りは広汎集合' 226をする。
【０１２３】
ある実施例では、切り離された選別データ229は、図2Gに示された総広汎集合ディレクトリと登録(TPDR)データ238であり(また、任意に他のデータを含む)、セレクタチャージャプロセス243に入力される、(IRSD)233がユーザか購入者によってされた選択から得たipselecta-不要資産選択データと共に。任意に、セレクタチャージャプロセス243は選別 ipselectaディレクトリ登録が239(ipselectaに関連しているデータだけを含んでいて、スペースが保存するのに利用可能である他のデータの他のすべてのストレージを示す)であると生成するためにTPDRデータ238を作動させる選別 API(アプリケーションプログラミングインターフェース)を含んでいる。そして、選択データを価格設定オプションをユーザに提示して、引き出して、受け取る価格設定を請求するAPIはユーザによって選択された選択と価格を基礎づけました。任意に、セレクタチャージャプロセス243はユーザのアカウント245(直接かユーザに提示されたインボイスによる)から量(された選択と保たれたipselectaに基づいている)を借り方に記入する。 ある実施例では、セレクタチャージャプロセス243で、ソフト資産と消されたスペース258のカスタム設計されたそして/または、ユーザによって選択されたセット255を持っている使用するのにおいて準備ができる記憶媒体150(図2Bを見る)にblankoplex253を変換するために空白のディレクトリ領域237の上にipselectaディレクトリ登録239を書く。 ある実施例では、記憶媒体150は選別プロセス243が作動した後にソフト資産を使用する装置と結合される。blankoplex236は最初に他の実施例にはある間、装置と結合される、そして、プロセス243を選別するのはその後、作動する。 広汎集合のある実施例、個々のファイル、および資産では、'226は点在している方法でばらばらに壊されて、保存される、選別 ipselectaディレクトリ登録239に提供されない場合資産の再建、そして/または、使用をより難しくするように。
【０１２４】
ソフト資産。
【０１２５】
図3Aはソフト資産300と呼ばれた1セットの様々な無形財産のベン図。 ソフト資産設定300はソフトデジタル資産(例えば、作動システムか、プログラムか、データセットか、デジタル化している音楽と同様のもの)(アナログの資産(アナログ形式におけるオーディオかビデオ録音)、そして／または、他のタイプに関する非一時的信号)を含むことができる。 ある実施例では、可能なソフト資産(すなわち、利用可能なソフト資産が1つ以上のベンダーで提供したすべて)の「普遍的な」セット300はプログラム310を含む多くの重なっているタイプの資産を含んでいる、percepta320; インタラクティブゲーム(オーディオやビデオストレージなどのpercepta320と話とプログラム310の両方を含むかもしれない)、音楽または他のオーディオの324(例えば、MP3形式におけるファイル、MIDI-タイプ音楽ファイルや、同様のものなどの統合音楽仕様ファイルをデジタル化して、圧縮する); ビデオ326(例えば、MPEG形式、シネマ、アニメーション、シミュレーション、および同様のものでは、ファイルをデジタル化して、圧縮する)、フォト、およびもう一方は328(例えば、JPEG形式、図面、絵、イラスト、フォント、シンボル、および同様のものでは、ファイルをデジタル化して、圧縮する)、およびデータベースに像を描く（地理的であるか地質学の地図、工業規格、建築上の一特徴またはプランのためのデータとベクトルデータとしてあれほど、自動的に建てるか、または作るための数値制御データは離れている、統計データ、財政的な情報、および同様のもの。)。
【０１２６】
図3Bはソフト資産350の全集合のベン図(斜線ボックスが広汎集合として331、332、333、および334をラベルしたので、図3Bでは、これらは指示される、他の実施例に、広汎集合の、よりすばらしいか、より少ない数が使用されるかもしれないが)。その或るものは、多くの広汎集合の1つ以上に分類されて、インストールされる。任意に、広汎集合の1つ以上は多くのエンドユーザ記憶媒体のそれぞれにロードされる(例えば、任意に、それぞれ1つ以上の記憶媒体335の1在庫目録かセットに広汎集合331があるが、もう1セット339に、もう1セット336に広汎集合332があるが、もう1セット337に広汎集合333があるが、もう1セット338に広汎集合334があるが、広汎集合332と広汎集合333の両方がある)。
【０１２７】
ある実施例では、広汎集合-選択プログラムは、それぞれの購入者(例えば、ウェブインタフェースからのインターネットで送られた発注書かデータに関するデータからの)の資産選択を調べて、特定の購入者が選ばれている最良適合を伴う広汎集合がセットする資産の記憶媒体を選択するでしょう。 例えば、Xとラベルされた5つの個人資産を選択した最初のユーザX'の発注書を調べるとき広汎集合-選択プログラムは記憶媒体338を選択するでしょう、記憶媒体338の在庫目録から(広汎集合334はたまたまXとラベルされたすべての5つの資産を含んでいる)。(記憶媒体には、広汎集合334がある)。 選択された記憶媒体338はそうであり、他のすべての資産をアンインストールして、まさしく5個人を出るために選別されて、次に、資産はXをラベルする。
【０１２８】
別の例として、Yとラベルされた9つの個人資産を選択した2番目のユーザY'の発注書を調べるとき、広汎集合-選択プログラムは広汎集合332と広汎集合333の両方を持っている記憶媒体339を選定するでしょう。(広汎集合332はたまたまYとラベルされた4つの選択された資産を含んでいて、広汎集合333はたまたまそれの5つが広汎集合332にないYとラベルされた6つの選択された資産を含んでいる、広汎集合331には、3つの選択された資産Yがあるが)。次に、他のすべての資産をアンインストールされて、それから、Zとラベルされた9個別資産を残すことのために、選択された記憶媒体339が選別された。選択された資産の3つが広汎集合331にあって、広汎集合331は選択されないでしょう。より良いフィットとは、広汎集合332でYラベルされた選択の四つがあっていて、それから、5つが広汎集合333で残っていると、まだ記憶媒体339に格納されるこれらの広汎集合の両方をもって、より良いところで見つけられた。
【０１２９】
まだ別の例として、 Zとラベルされた11の個人資産を選択した3番目のユーザZ'の発注書を調べると、広汎集合-選択プログラムは広汎集合332と広汎集合333の両方を持っている記憶媒体339を選択するでしょう(広汎集合332はたまたまZとラベルされた6つの選択された資産を含んでいて、広汎集合333はたまたまそれの3つが広汎集合332にないZ.とラベルされた5つの選択された資産を含んでいる、広汎集合331には、4つの選択された資産Zがあるが)。次に、他のすべての資産をアンインストールされて、それから、Zとラベルされた9個別資産を残すことのために、選択された記憶媒体339が選別された。ラベルされた二つの資産が広汎集合332か広汎集合333にないので、任意に、それらの2つの資産が従来の付加的なインストール方法でインストールされるだろうか、別々にそれらの資産を選別の過程で利用可能でないとして示して、購入されて、インストールできました。
【０１３０】
実際には減算インストールに関する多くの例。
【０１３１】
在庫目録の各記憶媒体あたり一つか複数の広汎集合の大規模コピーが比較的迅速であり、自動化された設備で容易に実行して、実際に装置と記憶媒体を結合する前にできる。上で説明されたベン図に示されるように、減算インストール装置(それは非選択されたソフト資産をアンインストールすることによって、作動する)は本質には選択されたそれらのソフト資産をインストールしながらあるものに効率的なプラットホームを提供する。選択された資産(必要な像を出るために大理石のブロックからチップを取り除いているようである非選択された資産の「減算インストール」を実行する過程を使用する)を残すために記憶媒体(彫刻家のための大理石の生のブロックのような)と次に、インストールされたソフト資産が確かな取り外しでの広汎集合を提供すると、選択された資産は分配される。実際には、注文時点で、選別は最初から彫刻を「投げかけ」ながら添加物であるよりはるかに速くて、しやすい。
【０１３２】
他の模範的実施例では、ノートパソコン(例えば、東芝)の業者は、それらのノートパソコンが労働で安価の国(例えば、中国)で当初の設計メーカー(ODM)(例えば、Compal Electronics)によって設計されていて、組立てられるのをさせる、そして、そのODMはメモリ(DRAM)、そして／または、ディスクドライブなしでラップトップを組み立てる。業者(例えば、東芝)は高値のDRAMと格納なしでこれらのマシンの出荷物を受け取る。演出施設での顧客注文の領収書(個々のユーザのオーダーあたりの東芝選別ディスクドライブ)は、ラップトップの残りにディスクドライブを噛み合わせて、DRAMを加えて、ユーザに配送される。
【０１３３】
まだ他の模範的実施例では、パーソナルコンピュータメーカー(例えば、Lenova)は大きい法人のアカウントとして例えば製薬会社(例えば、ファイザー)を持っている。 そのようなある実施例では、法人顧客(例えば、ファイザー)の情報サービス(ある)部は、さまざまな認可されたソフトウェアアプリケーションを持っているマスターの法人の広汎集合を作成して、また、承認テーブルに外のソフトウェアベンダーからの様々なソフトウェアアプリケーションがともに独占であることの法人顧客、ファイザーに特定のソフトウェア、およびジェネリックソフトウェアの中で位置、言語、分割、機能、およびランク情報をリンクさせる。
【０１３４】
まだ他の模範的実施例では、コンピュータ・ベンダー(例えば、HP)は埋め込まれたディスクドライブが大型ボックス店(例えば、COMPUSAかBest Buy)に広汎集合を含んでいるデスクトップコンピュータを出荷する。そのようなある実施例では、デスクトップコンピュータは、ソフト資産に保護された環境(例えば、フェニックスTechnologiesのCore Managed Environment(cME))を作成するBIOS拡張子を使用して、注文と支払いアプリケーションが稼働するのを許容するだけ。任意に、エンドユーザはデスクトップコンピュータを購入する、そして、だれが、それを家へ持ち帰って、インターネットに接続するか、そして、リモート・コンピュータは制御情報を提供する。それは、ipselectaにあるソフト資産がことであるユーザから選択を引き出して、受けて、コンピュータを選別するコントロール、ユーザのものあかアカウントへの勘定して、デスクトップコンピュータの拡張機能とストレージをアンロックするために、コード化された情報(例えば、復号化トークンと同類)をユーザのホームのデスクトップコンピュータに伝えて戻する。
【０１３５】
まだ他の模範的実施例に、全体のコンピュータ・システムを置き換えることへの経済的な代替手段として、大きい箱の小売業者とその顧客支援組織(例えば、Best Buy Geek Squad)は、アップグレードディスクドライブ、どれが新しいOS(例えば、マイクロソフトウィンドウズ（登録商標）ビスタか同様のものなどの作動システム)を含んでいるか、そして、および新しいOSできるソフト資産を提供して、カスタム設計して、インストールする。そして、ある実施例で、顧客が店に行くそのような、コンピュータキオスク(それは任意に添付のネットワークであるかもしれない)、アプリケーションと他のソフト資産で選択して、支払いる。ユーザの選択と支払いに従って、キオスク、または、ネットワークに付随選別器と結合されたディスクドライブの上の広汎集合は選別される。顧客支援組織(例えば、Geek Squad)は、外で顧客のコンピュータから古いディスクドライブを交換して、ソフト資産で新しいアップグレードディスクドライブを古いマシンにインストールする。任意に、サービスは、ユニークな顧客データとファイルを新しいドライブに移すのを含んでいる。任意に、広汎集合を含んでいる記憶媒体は顧客が店から遠くでアップグレードを実行できるデータのあいまいにするのと保護メソッドを取り入れる。ベストバイは新しい収入ストリームを獲得する。
【０１３６】
まだ他の模範的実施例で。広汎集合が、選別されて、コンソール(コンソールの内部の磁気ディスクドライブに広汎集合をインストールする実施例とディスクドライブの上に広汎集合を選別することに代わる手段として)が供給されるとゲーミングコンピュータ機器(例えば、ソニープレーステーション)による使用のための光ディスク(例えば、ブルー光線ディスク(BD))に読み込むか、または書く(R／W)。また、任意に、R／W光ディスクの上の広汎集合の購買と選別はゲーミングコンソールの販売の如何にかかわらず起こることができる。次に、複数の、または、非指定されたコンソールの上にロードするのを防いでいる間、1台のコンソールか指定されたコンソールにロードするのを許容するDigital  Rights  Management (DRM)ソフトウェアを組み込む選別 R／W光ディスクはそこで顧客ポスト装置購買に送られる。 ソニーはゲーム分割における、より多くの収入を得る。
【０１３７】
まだ他の模範的実施例で、また、プレーするハイブリッド細胞電話の上の広汎集合が音楽、そして／または、ビデオを保存した、(例えば、ノキア、(シンビアン、OSベース、)、操作のためにCingular Wirelessネットワークと共に設計された音楽電話) マイクロハード・ディスク・ドライブ(マイクロHDD)かFLASHドライブで完全な広汎集合がある小売店に出荷する。 いくつかのそのような実施例、顧客、用途、用意して、すべての資産が選んだa電話プラン、および1つ以上のソフト資産(例えば、着信音、音楽、ゲーム、ビデオ、および同様のもの)電話まで実質的に入手できないところで端末は活性。 初めは、携帯電話装置は、起動のためにCingularのスイッチと呼ぶことができるだけであるように設計される。連絡されると、スイッチは、携帯電話の電子番号(ESN)を受けて、ユーザ選択と支払いが情報であることがわかって、割り当てられた電話番号をESNにリンクして、選別プログラムで不要資産リストをワイヤレスに使用のための携帯電話に送る。(次に、それは、携帯電話へ駆け込む)。 選別が首尾よく完成して、携帯電話が完了コード握手をスイッチに送って、それから、スイッチがキーか暗号コードを不制限の内部電話機能に送って、ネットワーク電話サービスを起動して、そして、顧客使用のためにソフト資産のipselectaをリリースする。
【０１３８】
他の選別の実施例。
【０１３９】
図4Aはプロセス100におけるのブロック図。広汎集合(選別される)の複製、また、作成のための発明実施例に従って、マスターディスク106の上に置く。それは、特定のユーザの選択に従って、ipselectaを含んでいる、それから、コンピュータか他の情報処理器具にそれをインストールされた。任意に、分配するコンピュータ102は少なくとも1個のマスターディスク106と少なくともエンドユーザ・ディスケット108と作動的に結合される。 任意に、広汎集合は、広汎集合が異なったコンピュータ(すなわち、広汎集合が多くのソフト資産をインストールすることによって作成されるインストール記憶媒体を持っているインストールコンピュータ)で他の実施例では、作成される間の分配するコンピュータ102を使用することで広汎集合を形成して、ディスク106をマスタリングするためにコピーされて、そんなに一緒にいる複数のデジタル資産をインストールすることによって、マスターディスク106に作成される。 任意に、マスターディスク106からのデータは多くのエンドユーザディスクドライブ108(例えば、ディスクコピープログラムか他の適当なメソッドを使用する)についてそれぞれにコピーされる。特定のエンドユーザへの配送のためのそれぞれのエンドユーザディスク108による対応するエンドユーザに接する／のインストールのためにカスタム設計された(内容が保たれるのを選択して、他のすべての非関連しているデータを取り除くために選別するのによる)装置(例えば、パーソナルコンピュータ)104であることになっている。他の実施例では、エンドユーザディスク108は広汎集合コピー、そして／または、選別の前に既にコンピュータ104にインストールされる。マスターディスク106は広汎集合(または、多くの広汎集合)を含んでいる。広汎集合(それぞれ)はエンドユーザによる選択に利用可能なすべての機能的な内容の完全なコレクション(他の実施例では、例えば、エンドユーザのために選択をする会社か企業が各従業員のためにコンピュータをカスタム設計するとき)。 任意に、エンドユーザはコンピュータ104のインストールのために既に広汎集合の部分集合を選択しました、そして、選ばれていない内容がその時選別される、分配するコンピュータ102はその選択を表す選択データを提供する、実質的に使用に準備ができて機能的なエンドユーザ装置(ここにtotumと呼ばれるソフトウェアとハードウェアの組み合わせ)を残して。 そのような選択のための1つのプロセスが以下で、より完全に説明される。
【０１４０】
図4Bはカスタム設計エンドユーザディスク108のためにメソッド410を例証する論理フローチャート。 ブロック412では、分配するコンピュータ102が、マスターディスク106からのデータが、ディスク108の中で全体の広汎集合を模写するために新しいディスク108にコピーされる。 ブロック414では、分配するコンピュータ102が、非選択されて、異質な内容が、選択された内容を残すためにエンドユーザディスク108から取り除かれる。任意に、エンドユーザディスクドライブ108は現在、エンドユーザの仕様にカスタム設計される。 ブロック416では、エンドユーザディスクドライブ108は、個々のエンドユーザの仕様通りにカスタム設計された製品を形成するためにコンピュータ104にインストールされる。 例えば、以下で説明されるように他の実施例でこれらのブロックの特定の執行命令を変えることができる。
【０１４１】
非選択されたソフト資産を取り外し／選り／消すことでこのアプローチを魅力的で効率的にすることは利用可能な内容の分配。特に、多くの実施例であり、非揮発性記憶装置媒体か他の非一時的信号キャリアーからデータを消すことは、同じデータを同じ記憶媒体に書くことあるいは同じデータを同じ記憶媒体から読むことさえと比べると、より早い。データの大部分が消されるのさえことであるときに、その大データ量を消すにはいくつかのソフト資産をインストールするのに要するだろうより短い間かかるかもしれない。ファイルを書くのは、例えば、ドライブクラスタの物理的な位置かディスクドライブかフラッシュメモリセルのセクターにディレクトリの情報をセットアップして、ファイルの実質的なデジタル・コンテンツを書くのを必要とする。記憶媒体、そして／または、メモリアクセスが典型的なプロセッサ速度に比例して遅いので、ファイルを書くのはコンピュータによって実行された他のタスクに比例して非常に時間がかかっている。
【０１４２】
ファイルを読むか、または書くのに必要である時間はおよそファイルのサイズに比例している。しかしながら、ファイルを消す時間は、比較的に小さく固定されていた状態で滞在していて、書くの一部分か、または単にファイルを読む。それに従って、複数のファイルを消す時間は個々のファイルのサイズより密接にファイルの数に関係づけられる。
【０１４３】
取り外しインストールこと、または書くインストールことの間によると、これが違いに関する説明に役立つ実例であると任意にみなす。すなわち、付加的なインストール対減算インストート。
音楽小売店が用意してアップルとregの充填を許すと仮定してください。iPodとreg。 同様の困難なドライブ、-、または、例えば、割り引きで購入者によって選択される音楽、販売促進としたフラッシュベースのデジタル音楽プレーヤー。この説明に役立つ実例では、デジタル音楽プレーヤーは、60GBの容量を持って、USB 2.0接続でアクセスしやすい、480Mb／s(1秒あたりおよそ48メガバイトである)の名目上のデータ転送速度をサポートして。しかしながら、実際には、達成できて、持続している転送レートは理論上のレートの1／3未満。 この説明に役立つ実例で、より遠くに、それぞれのデジタル音楽プレーヤーはデジタル音楽の広汎集合でプレロードされる(例えば、固まりをコピーする施設で)。 例えば、特に、ブロック412(図4B)は製造施設で既に実行されました。さらに、任意に、ブロック416は既に実行されました。 ブロック414だけが、するために残っている。この例では、ブロック414が1時までに実行されるか、または、より用意して、高値におけるコンピュータは疾走する。
【０１４４】
購入者がすべての60GBのプレロードされたデジタル音楽を保管したいなら、デジタル音楽プレーヤーはさらなる処理をなしで済ませる準備ができている。他方では、付加的なインストールが使用されるなら、60GBを書くと、第一にiPodを造るにはほんの10分かかるかもしれないなら、60分以上、永遠は取るでしょうに、コンポーネントの部品が組立工場にいったん集められると。プレロードされたデジタル音楽のいずれかも保管しない購入者でありおよそ2万個のファイルがどこで消されるか、そして、#8211。 各ファイルのためにわずか数バイトを必要とする。したがって、60GBのデータを消すために、数キロバイトのデータは速いUSB 2.0接続の向こう側に書かれている、まさしく瞬間かかって。
【０１４５】
デジタル音楽プレーヤーの例では、それぞれのソフト資産はおよそ3?5MBを表する。ネットワークでつながれたビデオ・サーバと流通制度(KaleidescapeTMとしてのそのようなもの; マウンテンビュー(カリフォルニア)のKaleidescape  Inc.から利用可能なシステム)における、カスタム設計された内容のプレロードにかかわる例では、それぞれの個別に選択可能なソフト資産(例えば、長編映画)は3?5にギガバイトか以上を表する。あらゆる個々の映画DVDディスクがアップロードする30分を取る。したがって、数100の映画の付加的なインストールは文字通り何日もかかるかもしれない、数100の映画の減算インストールによる改造がただ数分の問題が。任意に、記憶媒体は、それが建てられて、テストされるとき1つ以上のテストデータパターンを書いて、次に、確かめるテストデータが記憶媒体の操作を修正すると読み返する。このプロセスでの最終的な操作として、空白のパターンは(例えば、合わせられているゼロ記憶媒体の残りでのデフォルトパーティションとディレクトリ)に書かれている。広汎集合データがゼロの従来の空白のパターンの代わりに製造プロセスに関する最終テストデータとして書かれていて、記憶媒体の上に残されるとき、したがって、実質的に、どんな時間も費用刑罰もない。
【０１４６】
Cは図4Aで見せられた改造システムと図4Bに示されたメソッドの大局的見地を例証するプロセス430のブロック図を示している。図4 ブロック432で、マスターディスク106は作成されて、すなわち、広汎集合はマスターディスク106の中で作成される。 ブロック434では、ユーザ99はカスタム設計されたディスクドライブに含まれるべき内容、例えばディスク108を選択する。一般に、ユーザによる1個以上のユーザ入力装置の物理的な操作にかかわるどんな従来のユーザーインタフェースメカニズムもそのような選択をすることができる。必要な内容のユーザ選択を行うための役に立つユーザーインタフェースが説明される1。もちろん、必要な内容の選択はそれとなく異質な内容を特定する。代替の実施例では、ユーザは明らかに取り除かれることになっている異質な内容を選択する、その結果、それとなく、必要な内容を特定する。
【０１４７】
論理フローチャート410が図4Bに上で説明されて、さらに詳細に案内されたブロック410では、ディスク106の内容は、エンドユーザディスク108にコピーされて、ブロック434で受けられたユーザの選択によると、カスタム設計される。上で用意してに関する説明に役立つ実例に関連してデジタル音楽プレーヤーでのプレロードされた音楽の改造について説明するとき、示されて、説明されたそれと異なったオーダーで論理フローチャート430の機能を実行できる。実際問題として(図4Bを差し戻す)、ブロック412でマスターディスクをコピーする前にマスターディスク106の上の広汎集合はブロック432で作成されるべき、そして、エンドユーザディスク108の広汎集合がブロック412でマスターディスク106からコピーされた後、およびユーザが必要な内容を特定した後にブロック414の異質な内容の取り外しは実行されるべき、その結果、それとなく、異質な内容を特定する。
【０１４８】
ブロック432の広汎集合作成はいくらかの人間の交流に通常かかわる。 用意してデジタル音楽プレーヤーの例では、例における改造は上について説明しました、とだれかがデジタル音楽プレーヤーへのプレロードのためのおよそ2万曲を選ぶ。他の評価基準の中で例えば、適切な階層構造、ジャンル、芸術家、そして／または、アルバムに資産を組織化できる。歌と特定の組織はプレロードされた利用可能な内容のプロバイダーで決定する、すなわち、広汎集合のプロバイダーで。デジタル音楽には、完全に自己充足的であることの利点がある。特定の歌の再生に必要であるすべての情報と指示するものが歌のデジタルバージョンを含む一列に含まれている。1曲を表すファイルの取り外しは他のファイルによって表された、再生された他の歌の能力に影響しない。 ソフト資産がこのように自己充足的であるときに、したがって、一般に、広汎集合の内容の相互運用性は重要な関心ではない。
【０１４９】
すなわち、広汎集合がDLLsなどのリソースを共有するコンピュータ・プログラムを含んでいるとき、他の文脈では、広汎集合の構成しているソフト資産のそのような相互運用性は重要な関心であるかもしれない。
この関心は以下で扱われる。
【０１５０】
ブロック412(図4Bが上であることを見る)のマスターディスク106からの広汎集合のエンドユーザディスク108への複製は利用可能な最も速いコピーと#8211、を使用できる。 ビットごとにコピーするか、セクターごとにコピーしている、またはファイルごとのディスクイメージソフトウェアコピー。任意に、エンドユーザディスク108への広汎集合データのこのコピーがアセンブリとテスト(例えば書くことの操作が正しく働いたのをチェックするためにディスクドライブに書かれていて、次に読み返される最後のテストデータパターンとしての)の最後のステップとしてディスクドライブメーカーによって行われる。専門化しているメディア複製マシンか通常のコンピュータ・ハードウェアはコピーするかもしれない。ケースのように中広汎集合が既にコンピュータにインストールされたベアドライブにコピーされるコンピュータを通してコピーされるディスクからディスクはマイクロソフトとregのようなツールを使用するかもしれない。 補助して、コピーを作るのにSymantec  Ghostなどのディスクがクローンのソフトウェアを使用するWinPE。広汎集合の全体がブロック412でコピーされるので、容易にブロック412を自動化できる、マスターディスク106に関するデータの多くのクローンのディスクコピーを作成して、重要な人間の介入なしで。 事実上、上で議論した例に示されるように、近い以下で用意して、またはホームで説明されるとしての瞬時に起こっていて、工場の改造のためにそのようなクローンのディスクをインストールして、パッケージして、出荷できる。
【０１５１】
マスターディスク108の複製における、ディスクイメージコピーを使用する重要な利益は、より大きいディスク、数個のかかられたディスク、またはディスクの配列でディスクイメージを得て、保存できるということ。例えば、大きくて、300GBのディスクは、よりわずかな能力、例えば、60GBのマスターディスクのいくつかのディスクイメージを保存できる。さらに、実際のハードドライブの代わりに仮想のディスクを使用できる。そのような仮想のドライブは、複数の、より小さい物理的なドライブのために代理をするか、または全く物理的なドライブの容量より大きい広汎集合の作成を可能にすることができる。
【０１５２】
図4Dは、システム400のブロック図には分配コンピュータ102があるのを示す。 任意に、コンピュータ102を分配すると、メモリ404からデータ、そして／または、指示を検索して、従来の方法で検索された指示を実行する1台以上のプロセッサ402が包含する。 様々な実施例では、メモリ404は、磁気である、そして／または、光ディスクや、ROMや、PROMなどのように永続的なメモリを含んでいて、RAMなどのように揮発性メモリーを含むことができる。 1台以上のプロセッサかマイクロプロセッサ402とメモリ404が内部連絡406でお互いに接続される。(それは、この説明に役立った実施例でバス)。また、内部連絡406は入力／出力コントローラ408とネットワークアクセス回路409に接される。 そして／または、入力／出力コントローラ408は1個以上の入力／出力装置を結合できる、例えば、入力装置としてキーボードと、キーパッドと、タッチセンシティブ・スクリーンと、近接センサと、運動センサーと、マウスと、マイクロホンと出力装置、液晶ディスプレイ(LCD)、そして、1個以上のスピーカを含んでいる。  さらに、入力／出力コントローラ408は、(例えば、広汎集合がコピーされて、選別されることになっている多くのエンドユーザディスクの1つ)をディスク106とエンドユーザディスク108にマスタリングするために結合される。 それに従って、プロセッサ402で、入力／出力コントローラ408はマスターディスク106とエンドユーザディスク108の上で読み書き操作を実行できる。 簡潔に上で説明されるように、メモリ404にそれについて保存されるディスクイメージか代わりにコンピュータネットワークを通してアクセス可能な別のコンピュータ(例えば、ネットワーク接続ストレージ(NAS)装置のディスクの配列の中の)の中にマスターディスクドライブ106の上の広汎集合を取り替えることができる。
【０１５３】
ある実施例では、コンピュータ102を分配するのは例えば、インターネットを含むLAN、SAN、またはWANなどのネットワークと結合される。そのようなネットワークのいくつかかすべてが携帯電話、Wi-FiまたはWi-マックスネットワークならワイヤレスであるかもしれない。それに従って、ネットワークアクセス回路410は、そのようなネットワークを通してデータを送って、受け取ることができる。任意に、ネットワークアクセス回路410はイーサネット（登録商標）回路を含んでいる。
【０１５４】
システム改造論理420がすべてか1台以上のコンピュータの一部が、メモリ404からプロセッサ402での実行を処理して、1つの実施例で論理の流れダイヤグラム410(図4B)と430(図4 C)の機能を実行する。
【０１５５】
コンピュータ・ソフトウェアー 内容は共用資源にかかわる。
【０１５６】
簡潔に上で説明されるように、マスターディスク106のいくつかのソフト資産がマスターディスク106の上に格納された共用資源の存在を当てにすることができる。 ソフト資産が共用資源によるコンピュータ・プログラムを含んでいるなら、そのようなものは特に本当。任意に、広汎集合で安定性を促進するために注意する、インストールされるようにマスターディスク106、カスタム設計されるようにディスク108、特に、1つ以上の非選択されたコンピュータ・プログラムが取り外された後に、広汎集合の構成しているコンピュータ・プログラムの実行における安定性。任意に、プログラムが他のプログラムの操作を妨げないように彼らの操作で論理的に隔離されて、それらの必要なリソースがマスターディスク106の上の広汎集合に含まれているのを確実にすることによって、安定性は促進される。そして、それらが広汎集合に残っている他のプログラムでまだ必要であるなら、取り外されたプログラムで使用されるリソースは改造の間エンドユーザディスク108から取り除かない。安定性に関する心配は主として二相で記述され: i)広汎集合の創造における、ii)広汎集合の削り取るにおけるブロック414(図4Bを見る)。
【０１５７】
広汎集合を作成する際に、安定性は、広汎集合を決められた一定の要求を満たすある内容だけに制限して、この内容の適切なインストールをマスターディスク108に確実にすることによって、促進される。1つの実施例では、内容が、インストールスクリプトと取り外しスクリプトを含むのに必要。非常にハイレベルの手続き上のスクリプト言語でしばしば言い表されるか、または環境に原稿を書いて、スクリプトは簡単なコンピュータ・プログラム。取り外しスクリプトが時々呼ばれる、スクリプトをアンインストールしてください。望ましくは、インストールスクリプトと与えられたソフト資産の取り外しスクリプトの両方が人間の介入なしで実行可能であるべき。しかしながら、広汎集合が一度作成されるので、広汎集合を作成するためのインストールスクリプトの実行の間の人間の介入は許容できる。そして、使用されて、作成する何回もディスク108などのディスクをカスタマイズしました。 インストールと取り外しスクリプトは、よく知られて、本発明の説明された実施例の認識と理解を容易にするために簡潔にここで説明されるだけ。
【０１５８】
コンピュータ・プログラムのインストールは、しばしばファイルシステムの中の適切な位置に多数のファイルをコピーするのを含んでいる。ファイルシステムはお互いの如何にかかわらずアクセスできるファイルの中への記憶媒体の組織。そのようなインストールに関する例として、プライマリ実行可能なファイル(例えば、マイクロソフト作動システムによる".exe"ファイル拡張子がある)をコンピュータ・プログラムのためにかたわらに置かれたファイルシステムの位置にコピーできる。イメージ、テンプレートなどのひたむきなリソースは、同様にコンピュータ・プログラムのためにかたわらに置かれたファイルシステムの位置にコピーされる。他のリソース(DLLsやフォントなどの他のコンピュータ・プログラムで使用されるかもしれないもの)は使用のために他のプログラムで示されて、発表されたファイルシステムとそれらの存在の中の共用資源位置に通常コピーされる。また、コンピュータ・プログラムのインストールは、プログラム登録にデータを保存するのを通常含んでいる。(登録は、コンピュータ・プログラムの実施のためのグラフィカルユーザーインターフェース(GUI)要素をユーザにとって利用可能にするように情報を含んでいる)。マイクロソフトウインドウズ（登録商標）・作動システムの文脈では、インストールの間に保存されたそのようなデータは、よく知られる「始め」メニューでエントリーを加える、そして／または、インストールされたコンピュータ・プログラムの実施のためにアイコンをデスクトップに追加できる。
【０１５９】
それぞれファイルのインストールスクリプト原因の実行は、ファイルシステムの中のそれらのそれぞれの適切な位置にコピーされるか、または動かされるためにコンピュータ・プログラムのインストールと交際しました。さらに、そのような実行は、簡単な実施と適切な実行ができるのにコンピュータ・プログラムを表すために適切な登録、そして／または、位置にデータを保存する。
【０１６０】
ある実施例では、取り外しスクリプトの実行は登録とほかの場所でコンピュータ・プログラム、ひたむきなリソース、および関連するデータを対象の取り外しに引き起こす。さらに、ある実施例では、取り外しスクリプトの実行は、他のコンピュータ・プログラムがそれぞれの共用資源を必要として、別のコンピュータ・プログラムで必要でない各共用資源を取り除くかどうかを見るためにチェックする。
【０１６１】
マイクロソフト作動システムで、MSIパッケージ(マイクロソフトとreg; Windows（登録商標）とreg、 ".msi"ファイル名の拡張子を持っているソフトウェアInstaller)としてインストールと取り外し機能を実装することができる。 MSIパッケージは自己にひたむきで共有されたリソース、すべての適切なインストールに伴うデータベースのテーブルとコンピュータ・プログラムについて説明して、取り外し指示を提供する。 Unix（登録商標）、リナックス、および同様の作動システムで、インストール、取り外しスクリプト、リソース、およびコンピュータ・プログラムをパッケージで含むことができる。それは、"dpkg" Debianパッケージマネージャ(www.debian.orgで利用可能なGNU一般共有使用許諾かリナックスソフトウェアパッケージ)のようなパッケージマネージメントシステム、そして／または、「rpm」かレッド・ハット・パッケージ・マネージャー(www.rpm.orgかwww.redhat.comで利用可能な)を使用することによって、インストールされる、パッケージを取り外すことができる。
【０１６２】
ある実施例では、広汎集合は、(i)作動システムとをインストールしながら、(ii)広汎集合に含まれるようにありとあらゆるコンピュータ・プログラムのインストール・スクリプトを作成しながらによってマスターディスク106の上で組み立てる。Debianとレッド・ハット・パッケージ・マネージャーの両方が、一般に、パッケージの依存と呼ばれたありとあらゆる必要なリソースのための同様のインストールスクリプトが作成されるのを確実にするか、または失敗する。さらに、パッケージの両立しない依存によって表された、インストールされた闘争は、そのような闘争をもたらすどんなインストールにも失敗することによって、検出されて、避けられる。ソフトウェア出版社によって指定されるようにMSIパッケージは必要なリソースを含んでいる。注意するべき、いかなる他のコンピュータ・プログラムのどんな必要なリソースにも取って代わるどんな必要なリソースもインストールするのを避けるために良心的にマイクロソフトお勧めの最も良い習慣に続くことによって。
【０１６３】
ある実施例では、非選択された異質なブロック416(図4B)でのコンピュータ・プログラムの取り外しは、取り除くために異質なコンピュータ・プログラムに特定の取り外しスクリプトの実行で実行される。 Debianとレッド・ハット・パッケージ・マネージャーの両方がパッケージの取り外しに備える、取り外されたパッケージに依存するどんなパッケージの取り外しも含んでいて。 MSIパッケージが通常含んでいる、スクリプトをアンインストールしてください。その実行は適切にMSIパッケージに関するコンピュータ・プログラムを取り外す。 様々なコンピュータ・プログラムの作者は、広汎集合に含まれるようにインストールと取り外しスクリプトを提供できる。
【０１６４】
他の実施例では、すなわち、単一体、広汎集合に関するそれぞれのコンピュータ・プログラムの適切なインストールと取り外しを確実にするために広汎集合を作成する実体でインストールと取り外しスクリプトを構成できる。そのようないくつかの代替の実施例では、広汎集合に関する各コンピュータ・プログラムはマスターディスク106の上の清潔なシステムにインストールされる、すなわち、システム、作動システムだけが持っている空のマスターディスク106にインストールされたもの。 清潔なシステムが実際である場合があるか、または仮想であり、VMware Workstationのような製品を使用して、後者はいくつかで実施例を作成しました。直後の前とどのファイルを変えるか、そして、それの登録エントリーが変えられるインストールショー直後マスターディスク106の全体状態の比較。 コンピュータ・プログラムのインストールと取り外しのためのMSIパッケージは、正確にこれらの変化を表すために作成される。
【０１６５】
ある実施例では、広汎集合の作動システムは、Windows （登録商標）XP作動システムとその後継者。ある実施例では、非マイクロソフトツール(例えば、WiseパッケージStudioかMacrovision  InstallShield)によって、インストールと取り外しスクリプトは、開発されて、管理される。ある実施例では、インストールと取り外しスクリプトは後方に互換性を確実にするためにコンポーネント・オブジェクト・モデル用法のためのマイクロソフトのガイドラインに適合するマイクロソフトMSIパッケージ、正しいリソースバージョン情報を埋め込んで、保守して、別のものと共にリソースの1つのバージョンを上書きする前のリソースのそれぞれのバージョンの比較で、共有ディレクトリへのリソース、およびファイルの登録をインストールして。
【０１６６】
図5はダイアグラムのフォームにいくつかの502の実施例を広汎集合に示している。ある実施例では、広汎集合502はマスターディスク106の上に保存された広汎集合。論理的で機能的な基礎では、広汎集合502は作動システム508を含んでいる。作動システム508は、基本のリソースを提供して、コンピュータ、例えば、コンピュータ104の一般的で、基本の機能性を提供する。アプリケーション504は特定の機能性を提供するコンピュータ・プログラム。アプリケーション504に関する例はワードプロセッサプログラム、表計算プログラム、データベースプログラム、グラフィカルな映像操作のプログラム、音楽作成、音楽編集、および音楽再生プログラム、および同様のものを含んでいる。周知のとおり、これらをコンピュータの最終用途であり、アプリケーション504で通常提供する。共用資源506は中間的レベルの機能性を提供する。共用資源506に関する例はファイル管理、ウィンドウ管理、グラフィカルユーザーインターフェース(GUI)ツールなどのような中間的機能性を提供するためにアプリケーション504で利用することができる実行可能なモジュールのライブラリを含んでいるし、フォント、アイコン、音、グラフィックスなどのソフト資産と同様に。
【０１６７】
図6はシステム600のブロックダイアグラムにはシステム改造論理420(図4D)が詳細によりすばらしいということ。 システム改造論理420はアプリケーションの記録的な608Aなどの広汎集合-分配論理602、広汎集合-模写論理604、広汎集合-改造論理606、および多くのアプリケーション記録を含んでいる。広汎集合-分配論理602、広汎集合-模写論理604、および広汎集合-改造論理606がシステム改造論理420の一部になるように示されてしたがって、ただ一つのコンピュータ・システムにおける実行中である間、それは606が別々のそれぞれのコンピュータ・システムで実装することができて、お互いの如何にかかわらず実行できる感謝している他の実施例で広汎集合をそんなに分配している論理602、広汎集合-模写論理604、および広汎集合-改造論理であるべき。さらに、広汎集合-分配論理602、広汎集合-模写論理604、および広汎集合-改造論理606によってアクセス可能なデータベースにアプリケーションの記録的な608Aなどのアプリケーション記録を保存できる。ある実施例では、データベースは広汎集合502の中に保存される。ある実施例では、システム改造論理420は、ユーザによる非選択で取り外すことができる広汎集合502に各アプリケーションのためのアプリケーション記録を含んでいるのを含んでいる。システム改造論理420のある実施例に記録を含んでいて、アプリケーションの記録的な608Aはそれぞれのアプリケーションを代表している。
【０１６８】
ある実施例では、アプリケーションの記録的な608Aはシステム改造論理420に関するアプリケーション記録のそれぞれの名前の中でユニークであり、アプリケーションに関する識別子としてある実施例に記録的な608Aに役立つ名前610Aを含んでいる。アプリケーションの記録的な608Aは多くの依存、例えばそれのそれぞれがシステム改造論理420に関する別のアプリケーション記録を特定する依存612Aを表すデータを含んでいる。適切な機能のために、アプリケーションの記録的な608Aによって表されたアプリケーションは、依存612Aによって特定されたアプリケーションが適切にインストールされるのを必要とする。インストールスクリプト614Aと取り外しスクリプト616Aの中にそれとなく依存612Aなどの依存を表すことができる。616Aは以下で説明される。例えば、インストールスクリプト614Aは必要なリソースのインストールと登録の依存の表現を引き起こす場合がある。そして、取り外しスクリプト616Aは登録から依存を取り除くことができる。
【０１６９】
ある実施例では、アプリケーションの記録的な608Aはそれのスクリプト614Aと取り外しスクリプト616A、実行がインストールして、取り外されるインストールを含んで、アプリケーションで表されたアプリケーションはそれぞれ608Aを記録する。また、ある実施例では、アプリケーションの記録的な608Aはアプリケーションの記録的な608Aのアプリケーションが前提条件である他のアプリケーションの数を表す必要なカウント618Aを含んでいる。作動システム508の登録か他の部品がすべての依存するアプリケーションを取り除いたとき、必要であることで、特定のリソースがもうそうである決断を可能にするために同様の情報を保守するなら、必要なカウント618Aを省略できる。さらに、ある実施例、608Aが価格決定方針を含んでいるというアプリケーション記録に、価格がアプリケーションの応用に課金することを決定する620Aが608Aを記録する。価格決定方針620Aは以下で、より完全に説明される。
【０１７０】
図7はある方法の例証する論理フローチャート700である。広汎集合-オーサリング論理602は広汎集合 502を建てる。ブロック702に、広汎集合-オーサリング論理602は作動システム508をインストールする。輪のブロック704と次のブロック708は輪を定義する、ブロック706に従って、広汎集合502のすべての利用可能なアプリケーションが処理される。ブロック704-708の輪の各繰り返しでは、処理された特定用途は対象のアプリケーションと時々呼ばれる。
【０１７１】
ブロック706に、広汎集合-オーサリング論理602は対象のアプリケーションのインストールスクリプトを使用することで対象のアプリケーションをインストールする、例えば、インストールスクリプト614A。ある実施例では、インストールスクリプト614Aは、それの実行がどんな必要なリソースのインストールも含んでいるMSIスクリプト、DLLsやソフト資産のように。代替の実施例では、広汎集合-オーサリング論理602は、すべての必要なリソースをブロック706に再帰的に特定して、インストールする。
【０１７２】
プロセスは次のブロック708から輪のブロック704を通してどれを移して、そして、ブロック706に従って、広汎集合-オーサリング論理602が次のアプリケーションを処理する。ブロック704-708の輪によると、すべての利用可能なアプリケーションが広汎集合-オーサリング論理602によって処理されたとき、論理フローチャート700に従った処理は、ブロック710に移される。
【０１７３】
ブロック710では、広汎集合-オーサリング論理602はすべてのアプリケーションのために広汎集合502に取り外しスクリプト、例えば取り外しスクリプト616Aを格納する。これは都合のよい実施例を構成する。代替の実施例では、取り外しスクリプトは広汎集合502の中に格納されるのではなく、メモリ404の中でシステム注文論理420の中で維持される。広汎集合502に取り外しスクリプトを格納する利点は広汎集合502がブロック414(図4B)で異質で、非選択された内容の取り外しに必要であるすべてを含んでいるということ、完全に広汎集合502が作成されるそれと異なった環境でブロック414を実行できるように。
【０１７４】
ブロック712では、広汎集合-オーサリング論理602は異質な副産物を取り除くのによる広汎集合502からインストールを片付ける。そのような異質な副産物は一時ファイルを含んでいる、そして、ハードウェアの部品のためのドライバーは例えば、広汎集合502と共に使用されると予想しないでした。そのような実施例では、502部の削り取られた広汎集合コピーの究極の操作環境のハードウェア文脈は知られている、例えば、コンピュータ104。そのような操作環境に含まれていなかったハードウェアの部品のためのドライバーは、異質であり、ブロック712で外される。
【０１７５】
ブロック714では、広汎集合-オーサリング論理602は向上した性能のために広汎集合502を最適化する。広汎集合502の様々な性能設定を調整するために人間が作り出した制度管理者による手動の指示に対応してブロック714を実行できる。手動の最適化はここに説明された方法における満足している注文で達成された驚異的な利点の1つ。それぞれの502部のコピーされた広汎集合コピーが結局エンドユーザによって提供された仕様にカスタム設計されるが、そのような各コピーは広汎集合502のダイレクト写しを始める。それに従って、広汎集合502のどんな小さい方の調整と改良も広汎集合502のすべてのカスタム設計された写しに伝播される。事実上、最適化された品質はカスタム設計された商品のために大量生産される。
【０１７６】
ブロック716では、広汎集合-オーサリング論理602は、広汎集合502とシステム・オペレーションと安定性がないかどうかテストするので、アプリケーションを取り除きながら、繰り返しによる回帰テストを実行する。手動と延ばされた期間の上間、ブロック716を実行できる。広汎集合502が注文の前に大量生産されることになっているので、品質保証の時々退屈で高価な過程は規模の経済によって相殺される。ブロック716後に、700が論理フローチャートに従った処理完成する。
【０１７７】
結果はマスターディスク106の上に保存された広汎集合502。広汎集合502は作動システム508の完全に機能的なインストール、共用資源506、およびアプリケーション504を表する。 コンピュータ104のようなコンピュータで使用されると、アプリケーション504のすべての必要なリソースの適切なバージョンが適切にインストールされるので、広汎集合502は安定している。 マスターディスク106は現在、ブロック412での複製の上で説明されるように準備ができている(図4B)。特に役に立つ実施例では、ブロック412はマスターディスク106のコピーの大きい在庫を蓄積するために何回も繰り返される、コンピュータのその後のインストールのための「空白」として、コンピュータ104などのように。「空白である」という用語は、それぞれの写しディスクの上に保存された広汎集合が削り取られていないのを示すのに使用されて、特定のユーザによってされた選択に従って注文を反映するために減らされる。
【０１７８】
ブロック412での複製のために、広汎集合-模写論理604はディスクイメージコピー、ビットごと、セクターごとのコピー、またはファイルごとのマスターディスク106からエンドユーザディスク108のコピーを実行できる。ある実施例のために、エンドユーザディスク108は、ブート可能で、コンピュータ・プログラムを含むことになっている。広汎集合-模写論理604がブロック412でディスクイメージコピーを使用するのが好ましい。上で説明されるある実施例では、マスターディスク106(すなわち、広汎集合)の上のデータのディスクイメージは、ディスクイメージコピーがマスターディスク106がないとき広汎集合で作られているのを可能にするためにメモリ404の中に格納される。
【０１７９】
ある実施例では、502部の完全で、カスタム設計なくされた広汎集合コピーの完全な写しを持っている記憶媒体(例えば、エンドユーザディスクドライブ108)が顧客の仕様に製造されていたコンピュータでの包含のための部品になる。そして、どれを在庫目録に蓄積して、そのような使用の準備ができているように保つことができるか? ある実施例では、同時にそのようなエンドユーザディスク108(マスターディスク106の写し)の注文はコンピュータ104のアセンブリで始まる。結局写し意志がどれであるかでインストールされていて、いつがカスタム設計されたコンピュータの売り手から体格注文を受けるか? ある実施例では、体格オーダーはハードウェア仕様を含んでいる。(仕様はコンピュータケース、プロセッサタイプ、および速度を含んでいる)。RAMの量と構成。そして、例えば、ディスクドライブタイプ、速度、および容量、また、体格オーダーは例えば、顧客の名前や時間帯などの顧客特定情報を含んでいる。また、ある実施例では、体格オーダーが広汎集合502の利用可能な内容のどれが取り除かれるかことであるかを特定するデータを含んでいる(あるいは、どの内容が保留されるか特定するデータを含んで、取り除かれるべき内容がそれとなくそうであるようにもの、もう片方の内容。)。
【０１８０】
広汎集合502の注文で、広汎集合502を含んでいるディスク、例えば、エンドユーザディスク108は、始まるように、注文コンピュータと検索されて、カスタム設計されたコンピュータのもう片方のハードウェアは同時に組み立てられるが、結合される。ある実施例では、コンピュータ102を分配するのは、注文コンピュータ。 もちろん、注文コンピュータが広汎集合-オーサリング論理602を実行するコンピュータと広汎集合-模写論理604を実行するコンピュータと異なる場合があるのが理解されるべき。 論理606が注文コンピュータの中に実行する広汎集合-注文。
【０１８１】
広汎集合-注文論理606カスタマイズは論理フローチャート800(図8)によって例証された方法で広汎集合502を模写する。ブロック802では、広汎集合-注文論理606は、広汎集合502から取り除くために内容を特定する。上で説明されるように、そのような情報は体格注文、ある実施例に含まれている。輪のブロック804と次のブロック808はブロック806に従って広汎集合502のすべての異質なアプリケーションが処理される輪を定義する。ブロック804-808の輪の各繰り返しでは、処理された特定の異質なアプリケーションは対象のアプリケーションと時々呼ばれる。
【０１８２】
ブロック806では、広汎集合-注文論理606は対象のアプリケーションの取り外しスクリプトを使用することで対象のアプリケーションを取り除く、例えば、取り外しスクリプト616A。ある実施例では、取り外しスクリプト616AはMSIスクリプト。それの実行はDLLsやソフト資産などのどんな必要なリソースの対象のアプリケーションによっても役に立つ反-登録を含んでいる。代替の実施例では、広汎集合-注文論理606は、もうブロック806でどんな残っているアプリケーションでも再帰的に必要でない以前に必要なリソースのものを特定して、取り除く。
【０１８３】
処理は次のブロック808の範囲で輪のブロック804に移される。そこでは、ブロック806に従って、広汎集合-注文論理606は次の異質なアプリケーションを処理する。すべての異質なアプリケーションをブロックの輪によって広汎集合-注文論理606によって804-808に処理されて、論理フローチャート800転送に従って810を妨げるために処理してあるとき。
【０１８４】
ブロック810では、広汎集合-注文論理606は広汎集合502の作動システム508で登録をカスタム設計する。特に、広汎集合-注文論理606は、究極の完成したコンピュータ・システムをユーザにとって特定にするように登録にユーザ特有のデータを含んでいる。そのような情報はユーザ名、ユーザイニシャル、会社名、時間帯、通し番号、ユーザアカウント、初期のパスワード、ネットワーク詳細、および同様のものを含むことができる。ブロック810はカスタム設計された広汎集合の最適化の別の機会を表する。 ある実施例では、広汎集合-注文論理606は、管理アカウントのためにユニークな初期のパスワードを作成して、結局完成したコンピュータのカジュアルな使用のために使途限定勘定を作成する。
【０１８５】
ブロック812では、広汎集合-注文論理606は、登録を掃除して、その結果、不要なキー、ファイル、ファイル関連、および近道を取り外して、登録一貫性がないかどうかチェックする。登録掃除は、知られていて、さらにここに説明されない。
【０１８６】
ブロック814では、広汎集合-注文論理606は注文の後に上で説明された方法で広汎集合502でのすべての予想されたファイルの存在について確かめる。
【０１８７】
ブロック816では、広汎集合-注文論理606が登録の中でファイルの種類連合を修正するので、すべてのファイルの種類連合が異質なアプリケーションの取り外しの後に残っているアプリケーションを示する。ある実施例では、建ってオーダーはユーザの都合のよいファイルの種類連合を含んでいる。広汎集合-注文論理606はブロック816での登録でそれらの好みを実装する。
【０１８８】
ブロック816、流れダイヤグラム800が完成する論理に従った処理の後に。その後、エンドユーザディスク108(現在、255オリジナルのipselecta広汎集合211だけを含む)は、その結果、カスタム設計された機能性をコンピュータ104に供給するために注文コンピュータから取り外されて、コンピュータ104にインストールされる。代替の実施例では、エンドユーザディスク108は注文のためにコンピュータ以内とコンピュータ104でコンピュータ104にインストールされる。どちらかの実施例、コンピュータ104が完全にカスタム設計され、および配送可能な、そのような注文の後のユーザのために。
【０１８９】
同時に、そのような注文がコンピュータ104の他のハードウェアの部品のアセンブリでエンドユーザディスク108の広汎集合をカスタム設計することによって、総合的がまだコンピュータ104の時間を増加しないで完全にカスタム設計されたコンピュータ104をユーザの満足している選択内容に提供する。
【０１９０】
図9は取り扱いの大きい広汎集合に使用できる過程900のブロックダイアグラム。ある実施例では、広汎集合502はそれの広汎集合502がコピーされることになっているエンドユーザディスクドライブ108の容量より大きい場合がある。マスターディスク106とエンドユーザディスク108の間の容量におけるそのような不一致はそれで現在( 図9は実施例を示している)。広汎集合-模写論理604(図6に示されるように)はマスターディスク106(図9に示されるように)の広汎集合502(図5に示されるように)を広汎集合502の全体を格納できるくらいの容量の中間的ディスクドライブ902にコピーする。広汎集合-改造論理606(図6に示されるように)は中間的ディスクドライブ902の上に広汎集合502をカスタム設計する、上で論理フローチャート800(図8に示されるように)、ブロック414に関して説明された方法で。そのような改造、広汎集合が十分小さいカスタム設計の後に、エンドユーザディスク108に格納されてできる。上でブロック412に関して説明されたそれと同様の方法で、広汎集合-改造論理606はオリジナルの広汎集合からエンドユーザディスクドライブ108までカスタム設計されたipselectaをコピーする。より大きいディスクから、より小さいディスクまでコピーするとき、一般に、ディスクイメージコピーは働かないでしょう。しかしながら、データイメージコピーは、データを含むそれらのセクターだけをコピーするし、働くことができる。ファイルごとのコピーは、データを含むセクターの未使用の部分をコピーしないことによって、エンドユーザディスクドライブ108の記憶容量の最も効率的な使用を確実にする。1つの実施例では、エンドユーザディスクドライブ108にカスタム設計されたipselectaをコピーする前に、広汎集合-改造論理606は中間的ディスクドライブ902のカスタム設計された広汎集合をデフラグメントする。
【０１９１】
カスタム設計されたipselectaがエンドユーザディスクドライブ108でいったん模写されると、中間的ディスクドライブ902(データの模写でマスターディスク106から広汎集合502のその後の改造で始まる)を再利用できる。追加、エンドユーザディスクドライブ108(現在、その上に保存されたオリジナルの広汎集合のipselectaだけを含む)では、完全で、機能的な、しかし、完全にカスタム設計された製品は、形成するためにコンピュータにインストールされている。
【０１９２】
他の実施例では、ひとつ以上の広汎集合がコンピュータ104にカスタム設計されて、インストールされるでしょう。例えば、デスクトップマシンのプライマリディスクは作動システムを含む新技術ファイルシステム(NTFS)ディスクとカスタマイズされたプログラムを含むかもしれない、セカンダリファイル割付表(FAT)ディスクは音楽、ビデオ、またはテキストなどの他のソフト資産を保持するが。
【０１９３】
広汎集合（Panoplex）の内容のユーザ選択
【０１９４】
上で説明されるように、広汎集合はユーザによって供給された情報で指定されるようにカスタム設計される。要するに、ユーザは、広汎集合の何らかの内容を選んで、その結果、取り外しのために広汎集合から残りをそれとなく左遷する。まずまずのサイズの40GBのディスクドライブにさえ、何千ものデジタルソフト資産をインストールできる。音楽を演奏する携帯電話の例では、60GBのドライブの広汎集合に上では、およそ2万曲を含むことができる。容量の多くの倍のディスクドライブは、現在利用可能750GBである。能力がほとんど毎年倍増していて予想される。容易に情報のそのような大量を見つけて、操って、選び抜くことにおける問題は、現在の選択における弱点を暴露して、方法論を購入する。ナビゲーションをより明確でより簡単に特に、しなければならない。そして、複雑な連合は言い表すのが、より簡単であるに違わない、そして、長い一覧表によりよく索引をつけなければならない、そして、頻繁な選択は覚えているのが、より簡単であるに違わない、そして、検索は利用可能な内容について狭さをダイナミックで同時発生の可能にしなければならない、そして、要件をタイプするのを最小にしなければならない。それに従って、選択のために広大なデータ量にナビゲートするのにユーザを助ける改良されたユーザーインタフェースは重要。
それらの改良は以下で説明される。
【０１９５】
実例について説明し、顧客が新たに購入されたデジタル音楽プレーヤー、あるいわ、音楽演奏の携帯電話に店で選択して内容に含んでいる。ユーザーインタフェースを実装することができる、そのコンピュータでキオスクとして役立つ。キオスクはその後の読書とデジタル音楽プレーヤー内容注文のためにスマートカードにレジスタでユーザ選択を保存できる。あるいはまた、各ユーザは手動で彼女か彼の名前にキオスクに入ることができる、そして、デジタル音楽プレーヤー内容のその後の注文のために、ローカル・エリア・ネットワークを通して各ユーザの名前と共にユーザ選択はレジスタへ伝えることができる。
【０１９６】
別の実施例では、購買の後にユーザ自身か自分でコンピュータをカスタム設計できる。 この実施例では、ユーザーインタフェースはコンピュータ自体の中に実装される。必要な内容のユーザ選択を強制する前選択起動プログラムは含まれている、コンピュータがユーザが選択をするまで使用可能でないように。ネットワーク接続で選択された内容のための支払いは作用できる。別の実施例では、装置はユーザーインタフェースと承認を満足している選択に提供するネットワークに付く。
【０１９７】
これらのすべての実施例では、セレクタはユーザーインタフェースを経験する。そこで、ユーザは1個以上の入力装置の操作で選択を示する。結果はウェブオーダーの含まれていて、(i)がそうすることができる選択データ。(ii) 大きい企業注文におけるプロフィールをエンドユーザに作るのに使用できる。(iii)購買時点で、装置の注文のために店頭の設備に送ることができる。または、広汎集合の領収書の後に例えば、エンドユーザで地方の注文を実行するのに(iv)を使用できる。
【０１９８】
図10は合法化プロセス1400に関するフローチャート。ある実施例では、ソフトウェアは、インストールが正しく働いたのを示すためにインストールされて、有効にされる。合法化プロセスによるいくつか実施例で使用されて、広汎集合ー生成手順の間に記憶媒体にインストールされるなら、ソフト資産（1つ以上のソフトウェアプログラムなどの）が適切に機能して、それであることを確かめる。ある実施例では、インストールパッケージの中身は広汎集合211のソフト資産のスーパーセットにおける他のアプリケーションと衝突できる項目がないかどうか調べる。この合法化は1410(操作v1)ブロックでインストールパッケージが開けられるところから始める。1412(操作v2)決定ブロックでは、闘争のためにチェックをする(闘争を引き起こすかもしれない項目のいくつかがコンポーネント・オブジェクト・モデル(COM)のクラス)。(クラスは広汎集合スーパーセットにおける他のアプリケーションと共有されるかもしれない)。ある実施例では、この合法化操作のための1つの要件はインストールを変えることであるブロック1414のプログラム作者が、並列しているオブジェクトを使用するのはプログラムを作って、ClassとSelfRegテーブルがエントリーを全く含んでいないということ。
【０１９９】
ある実施例に、インストールプログラムがリブート (reboot) を必要とするか、またはスケジュールがインストールの一部としてエントリー (entry) をリブートするかをチェックするために決定ブロック1420を提供する。そうだとすれば、ブロック1418で、作者(例えば、ソフト資産を作成したソフトウェア会社)はリブートするという要件を取り除くことになっている。他の実施例では、リブートでない要件は落とされる、そして、プログラムはインストールの一部としてリブートを求めるかもしれない。決定ブロック1424では、ソフト資産のインストールが消されない「永久的なコンポーネント」を作成するかどうか決定するのをチェックをする、選別することによってソフト資産をアンインストールしたか、または取り除いたなら。そうだとすれば、ブロック1422で、合法化プログラムかそのユーザが作者と共に有効にするでしょう、永久的なデータが永久的になるのにやむを得ず必要であったか否かに関係なく。.そうでなければ、そのデータの永久的な局面は、ソフト資産を有効にすることができる前に作者によって取り除かれるか、または広汎集合で使用可能であることが公認される必要があるでしょう。決定ブロック1428では、ソフト資産のインストールが「カスタム動作エントリー」で実行されるか否かに関係なく、どんな動作が実行されたかに関してそれが透明でないことを決定するのをチェックをする。ある実施例では、合法化の過程は、インストールプログラムで実行されたすべての動きが合法化の過程で目に見えて証明可能であることを必要とする。カスタム動作がブロック1426で使用されているなら、合法化プログラムかそのユーザが、作者がカスタム動作を取り除くのが必要であり、動作がインストールプログラムで実行したすべてが目に見えて証明可能にするでしょうに、有効にされるか、または広汎集合で使用可能であることが公認されるために。ブロック1428、再建するインストールの引き起こされたのブロック(1412、1420、1424、および1428)が作者をパッケージするという合法化決定のいずれにもそうしないなら、端のブロックに、ソフト資産とそのインストールの過程が適切に機能するように有効にされたのを示すために達している。他の場合では、修正措置は要求されているでしょう、そして、ブロック1416で、作者は合法化必要条件を満たすためにインストールパッケージを再建するでしょう、そして、再建されたインストールパッケージはブロック1410で過程1400に再入する。
【０２００】
図11は方法1501に関するフローチャート。ある実施例では、コンピュータで実行された方法1501は、多くのソフト資産を記憶装置に含む広汎集合あたりをコピーする1510、のを含んでいる、権限のないソフト資産の不要資産と認可されたソフト資産のipselectaを区別するの顧客特有の選択データを得る1512。そして、自動的に広汎集合からの権限のないソフト資産選別して1514、記憶装置が認可された資産と集積スペースだけを含んでいるようなものは権限のない資産に代わって利用可能である、ころで、ユーザにとって、複数のソフト資産がと選別操作は実行され以前入手できない。
【０２０１】
図12はシステム1502のブロック図。ある実施例では、システム1502が1つ以上のデジタル・マスター広汎集合イメージ1520の管理されたセット220を含んでいて、それぞれが選択されたマスター広汎集合イメージの例を記憶装置に移すのにおいて管理されたセットと結合されて操作可能にソフト資産、複製施設1522の1セットを持っていて、データインタフェース1524は、選択されたマスター広汎集合イメージによるソフト資産のカスタム設計された部分集合のための選択データを引き出して、受け取る; 選別エンジン1526は選択データに基づく記憶媒体から確実性資産を選択的に取り除くのにおいて操作できる、そして、勘定メカニズム1528は選択データに基づく金額を選択されたアカウントに請求して、消費者にとって、記憶媒体で利用可能なソフト資産を使用する装置の配送を認可するのにおいて操作できる。
【０２０２】
図13は方法1503に関するフローチャート。ある実施例では、方法1503はコンピュータ読み込み可能なマスター記憶媒体あたり1530を提供するのを含んでいるコンピュータで実行された方法を含んでいる、そして、(その上に多くの広汎集合を格納させる)どれが複数で第1を含んでいる第一広汎集合を含んでいるかがソフトウェア資産をインストールする、そして、複数で異なった2番目を含んでいる2番目の広汎集合はソフトウェア資産をインストールする; 第一コンピュータ読み込み可能でコンピュータ書き込み可能なエンドユーザ記憶媒体あたり1532を提供するために、第1を指定するのデータ1534を得るのは複数の広汎集合の1つを選択する、そして、第一選択された広汎集合を第一エンドユーザ記憶媒体に書く1536。さらなる操作がソフトウェア資産の部分集合をアンインストールするまで、第一複数のインストールされたソフトウェア資産は使用を入手できない。他の実施例では、この方法はそれが示されたのと異なったオーダーで実行される。例えば、第一コンピュータ読み込み可能でコンピュータ書き込み可能なエンドユーザ記憶媒体あたり1532を提供して、指定する1534のデータを得るために、第一複数の広汎集合の1つを選択して、どれがそれから逆順で実行されるかは目立つ。
【０２０３】
そのようなある実施例では、方法1503は、第一複数のソフトウェア資産をインストールすることによって、第一広汎集合の創造を任意に含んでいる。そのようなある実施例では、方法1503は、選ばれていないソフトウェア資産について最初に選択された広汎集合に書く前の最初に選択された広汎集合から第一エンドユーザ記憶媒体まで1セットあたり1535をアンインストールするのを任意に含んでいる。
【０２０４】
図14はコンピュータで実行された方法1504に関するフローチャート。ある実施例、コンピュータで実行された方法1504は、広汎集合を発生させる1540含んでいる、 それが別々に選択可能なインストールされたソフトウェア資産宇宙を含んでいる、多くのコンピュータ読み込み可能でコンピュータ書き込み可能なエンドユーザ記憶媒体のそれぞれに広汎集合をコピーする1542; 不要資産（保有してはいけない複数のインストールされたソフトウェア資産の2番目の部分集合）とipselecta（保有されることになっている複数のインストールされたソフトウェア資産の第一部分集合）を区別する選択データを得る1544、第一選択のエンドユーザ記憶媒体を選別する1546（選択データの指定されるとしてのエンドユーザ記憶媒体から不要資産を消す、そして／または、アンインストールする）、および、選別されたエンドユーザ記憶媒体を届ける1548。
【０２０５】
例のファイルシステム構造。
【０２０６】
ある実施例では、FAT32ボリュームを持っている記憶媒体は四つの領域、ブーツ (boot) 記録、ファイル・アローケーション・テーブル(File  Allocation  Table)、ルートディレクトリ(directory)、およびデータ領域に分割される。ある実施例では、ブーツ記録はFAT32ボリュームの第一三つのセクター。それは量、および他の3つの領域の居場所を定義する。また、ボリュームが「戦利品-可能」であるなら、ブーツ記録の根本はファイルシステムに入って、作動システム（Operating  System）をブートするのに必要であるコードを含んでいる。ファイル・アローケーション・テーブルがどのクラスタが次に来るかを見るためにルックアップ表としてアクセスされる一連のアドレスであり、ファイルをロードし、ディレクトリを横断しいるとき、例えば、システムがちょうどクラスタ23を積み込んだところだったなら、FATでオフセット23を見上げて、そこのアドレスは次のクラスタ、通常24のものでしょう。FATが非常に重大なデータ構造であるので、コピー2部(すなわち、FAT1とFAT2)が、FATの不正を検出して、希望をいだいて知的に修理できるように通常ある。ルートディレクトリは、長さで修理されていて、ボリューム(FATの後の)の始めに通常位置している。FAT32だけがデータ領域でただのクラスタチェーンとしてルートディレクトリを扱う。しかしながら、FAT32ボリュームではさえ、ルートディレクトリは二つFATs直後通常従うでしょう。データ領域はボリュームの残りをいっぱいにしている。(ボリュームはクラスタ(それのサイズはボリュームか記憶媒体の総サイズに応じた)に分割される)。ファイルデータが保存されるのが、ここにそれがある。サブディレクトリはファイルシステムに解釈される特定の構造があるファイル。どれがファイルよりむしろディレクトリとして「ディレクトリ」属性を設定することによってマークされるかにそれを示すディレクトリエントリで噛み付きる。ファイルには、少なくとも1と通常3つのコンポーネントがある、ファイルを定義するディレクトリエントリ、実際のデータを含むFATのもしあればデータの集団化を定義する値、そして／または、なにもか、より多くのデータの集団化の1セット自体。ファイルにゼロ・レングスがあるなら、それに関連しているどんなデータの集団化もFATエントリーもない。
【０２０７】
対照的に、マイクロソフトのNTFS(新技術ファイルシステム)はあるシステムファイルを含んでいる。NTFSボリュームに関する意見そのすべてを隠される。システムファイルはファイルシステムによって使用される、メタデータを保存して、ファイルシステムを導入するもの。システムファイルはFormatユーティリティによってボリュームに置かれる。
【０２０８】
ある実施例では、他のメタデータはディレクトリ構造で使用される。他のファイルシステムとディレクトリ構造は、技術が容易に見つけることができる技能について技術における技能のものにおいて知りやすい。どんな特定のファイルシステムとディレクトリ構造の上でも情報を使用する。1つは、直接非選択されたソフトウェア資産を消すために記憶媒体を選別するのに必要であるデータを作成して、読んで、変更する、そして／または、書く必要があったセクター、クラスタ、ブーツ記録、および他の構造にアクセスするのに低レベルである作動システムかプログラムを使用できる。以来、Windows （登録商標）XPと恐らく他のハイレベルの作動システムはハードウェアに関するデータに直接アクセスを許さない。MS-DOSは読書を許する。任意に、本発明はMS-DOSなどの基本的な低レベルである作動システムを使用する、そして、どんなディスクセクターへのアクセスも書いて、セクターはディレクトリにハイレベルの作動システムで使用されるものを含んでいる(NTFSディレクトリを含んでいて)。
【０２０９】
しかしながら、また、ファイルを消して、データ構造を再建しないようにそのような低レベルである作動システムかプログラムを使用できて、どんな抹消プログラムも容易に様々な特徴と能力で利用可能な状態で知られていない。このようにして、任意に、速い安全な抹消は本発明で使用される。
【０２１０】
任意に、紛争の潜在性のために、それらをソフトウェアアプリケーションの使用に個人的にして、すべてのアプリケーションの間で共有されない並列しているモードにCOMのクラスをインストールしなければならない。これは、ソフトウェアアプリケーションのためのインストールパッケージにはCOMクラスの登録が全くあるはずがないことを意味する。通常、Class  ID(CLSID)はソフトウェアアプリケーションかアプリケーション構成要素のためのユニークな識別子を表す128ビットの数。以下のClassとSelfRegテーブルでのインストールにおける、エントリーの存在のためのテストがパッケージする例のVisual Basicスクリプトを使用するために合法化を実装することができる。
【０２１１】
Database  =  Installer.OpenDatabase(the  MSI  installation  package)
View  =  Database.OpenView ('Select CLSID  from  Class')
View.Execute
Classdata  =  View.Fetch 
If  Classdata is Nothing  …  there are no CLSID entries
View2  =  Database.OpenView('Select  File  from  Class')
View2.Execute
SelfRegData  =  View2.Fetch
If  SelfRegData  is  Nothing  there are no entries in the SelfReg  table
【０２１２】
1420(操作v3)決定ブロックでは、チェックは、それが引き起こすインストールパッケージのために作られているか、またはコンピュータ・システムのリブートを引き起こすでしょう。コンピュータ・システムはスーパーセットを作成するプロセスを妨げる。パッケージにおけるアプリケーションは、CreateFinalSubset API呼び出しの間、スーパーセットから移されて、リブート、この遅れに最終的な部分集合の作成を引き起こされた、そして、製造プロセスの間、使用されると、もう遅らせた。
【０２１３】
系列を作ってください。この操作における合法化のための要件がそれである、インストールパッケージはRebootかScheduleRebootエントリーを全く含んでいない。この操作のVisual Basicスクリプトの例は以下の通り:
【０２１４】
Database  =  Installer.OpenDatabase(the  MSI  installation  package)
View  =  Database.OpenView('Select Action from  InstallExecuteSequence where Action  =  'Reboot') 
View.Execute
RebootData  =  View.Fetch 
If  RebootData is not Nothing there are Reboots 
View2  =  Database.OpenView ('Select Action from  InstallExecuteSequence where Actio  =
'ScheduleReboot'
View2.Execute
SchedData  =  View2.Fetch
If  SchedData is not Nothing there are scheduled reboots in the package.
【０２１５】
1420(操作v4)決定ブロックで、インストールパッケージをインストールするとき、永久的なコンポーネントをコンピュータ・システムに追加するべきではない。永久的なコンポーネントはアプリケーションがアンインストールされるときアンインストールされないもの。これは、不要なファイルか登録エントリーがコンピュータ・システムの上に残っていることを意味する。CreateFinalSubset  APIが呼ばれた後にこれらは残っているソフトウェアアプリケーションで使用されないでしょう、そして、それらはディスクスペースを占領する。
【０２１６】
合法化のこの操作における要件はコンポーネントのいずれも永久にインストールされるためにマークされないということ。合法化のVisual Basicスクリプトの例は以下の通り:
【０２１７】
Database  =  Installer.OpenDatabase(the MSI  installation package)
View  =  Database.OpenView('Select Attributes from  Component')
View.Execute
Do 
AttributeRecord  =  View.Fetch 
AttributeValue  =  AttributeRecord.IntegerData(1)
If  AttributeValue  and  0x0010  is non-zero,  the  component  is  permanent
Loop  until  AttributeRecord  entries  are  processed  for  each  component.
【０２１８】
1420(操作v5)決定ブロックで, カスタムActionsがカスタムコードである、アプリケーションのアンインストール。(インストールパッケージの作者は、インストールの間、実行されるためにそれを加える)。インストールパッケージがスーパーセットにおける他のアプリケーションと衝突しないと立証する規則に違反できるので、このカスタムコードは合法化を壊すことができる。例として、カスタム動作におけるカスタムコードで、COM登録エントリーを作成するか、またはコンピュータはリブートされることができる。この操作における合法化のための要件はインストールパッケージがどんなカスタム動作も含んでいないということ。
【０２１９】
Database  =  Installer.OpenDatabase(the MSI  installation package)
View  =  Database.OpenView(' Select Action from  CustomAction')
View.Execute
CaData  =  View.Fetch 
If  CaData  is  not  Nothing  there  are  custom  actions
【０２２０】
任意に、次の追加ステージの合法化は実行する。
Checking  the  candidate  MSI  against  the  others  already  in  the  superset:
Check  thaｔ  the  productcode  is  noｔ  in  the  existing  metadata,
Check  that  the  upgradecode  is  not  in  the  existing  metadata,
Check  Service  names,
Check  Environment  variables,  and
Check  File  extensions; 
and  Checking  that  the  uninstall  completely  removes  what is installed.
【０２２１】
セキュリティ問題。
ここに説明されたデジタル満足している流通制度に関連する多くの安全保障問題がある。1つは、適切な承認なしで非選択された内容にアクセスするためにユーザを防ぐために広汎集合の保護された選択と注文について既に扱われる。別のものはデジタル保存媒体からの内容の安全で迅速な消去の問題。以下で説明された3分の1は盗まれたpanolexの検出。
【０２２２】
速くて安全な消去は普通の消去と高セキュリティ消去の間の妥協点を求める。普通の消去が削除されたファイルを一般に、言及されるプロセスでのそのような削除されたファイルの再構成において背中で十分おく、「削除でない、」安全でない消去は望ましくない状況、ユーザが、ある貴重な内容を絶対に選択しないで、その後消された貴重な内容を"非削除"であることができたので。抹消ではなく、デフラグメンテーションは簡単な非削除／抹消なくプログラムの敗北するのが、比較的、ある時間消費。記憶媒体の表面における以前に媒体の上に保存されたデータの暴露による磁気パターンの詳しい試験さえ防ぐために、ある高セキュリティ消去のテクニックが以前に保存された実質的なデータとメタデータの上に手当たりしだいに選択されたビットに値を書くいくつかの繰り返しを通常伴いる。これらの複数の繰り返しが簡単な消去かデフラグメンテーションのどちらかよりはるかに手間がかかっている。
【０２２３】
任意に、広汎集合の異質な内容の取り外しはどんな使用中のファイル旗、ファイルの長さ、ファイルフォルダー位置、およびクラスタ配分指針も含むファイルディレクトリ情報を上書きする安全で、迅速な抹消を使用する。そのような消去で、通常の削除なくプログラムにはくを敷いて、内容を再建するどんな試みも内容を取得する費用より高価になる。
【０２２４】
広汎集合の盗まれたかそうでなければ、権限のない使用を検出するために、広汎集合はこっそりとそういうものとして特定される。1つの実施例では、余計な内容は、広汎集合に含まれていて、広汎集合の注文の間、決して取り除かれない、ユーザによってされた選択にかかわらず。そのような余計な内容が望ましくは必要に応じて満足していた状態で変装するので、カジュアルな模倣者は適所に広汎集合の適切な機能を破損することへの恐怖に余計な内容を残すでしょう。例えば、余計な内容はDLLに変装できる、そして、DLLが作動システムの少なくとも1つのモジュールが、DLLの解任を防がなければならないのを示すように登録は変更できる。別の方法はMSIテーブルコンテンツがその広汎集合から広汎集合創造とソフトウェアプログラム取り外しを登録する各広汎集合に、取り外し不可能なダミーかスタッブプログラムを作成すること。任意に、仮面の識別要素はTaggantsと呼ばれる。
【０２２５】
本発明は事前書き複数のインストールされたソフトウェア資産を持っている第一記憶媒体を処理する方法を説明する。方法は、選択データを得るのを含んでいて、自動的に第一記憶媒体を変更するとデータが選択に基づいたので、消されたスペースは選択された資産に関連していないの資産に代わって他のデータのストレージに利用可能になり、そして、選択データによって指定された選択された資産はインストールされるように利用可能。任意に、自動的に変更している操作が実行されるまで、事前書き複数のインストールされたソフトウェア資産は使用を入手できない。任意に、事前書き複数のインストールされたソフトウェア資産を持っている第一記憶媒体の提供が以下を含んで、第二記憶媒体を提供し、多くのソフトウェア資産を第二記憶媒体にインストールし、第一記憶媒体を提供し、第二記憶媒体から第一記憶媒体にデータを書き、そのデータは複数のインストールされたソフトウェア資産を含んでいる。任意に、第一記憶媒体の変更がさらに以下を含んで、作動システムディレクトリ (Operating  System  Directory)位置からディレクトリ情報を読み、
ディレクトリ情報を変更し、変更されたディレクトリ情報を作動システムディレクトリ位置まで書く。任意に、第一記憶媒体の変更は、作動システムディレクトリ位置以外の記憶媒体の上で位置からディレクトリ情報を読むのをさらに含み、ディレクトリ情報を変更して、変更されたディレクトリ情報を作動システムディレクトリ位置まで書く。任意に、第一記憶媒体の変更がさらに以下含んで、記憶媒体以外の位置からディレクトリ情報を読み、ディレクトリ情報を変更し、記憶媒体の上に作動システムディレクトリ位置に変更されたディレクトリ情報を書く。任意に、事前書き複数のインストールされたソフトウェア資産を持っている第一記憶媒体の提供が以下を含んで、第二記憶媒体を提供し、マスター広汎集合を作成するのため第二記憶媒体に多くのソフトウェア資産をインストールし、第一記憶媒体を提供し、第一記憶媒体に、複数のインストールされたソフトウェア資産を含んでいるマスター広汎集合をコピーする。
【０２２６】
あるメソッドの実施例が、作動的に変更作業の後の装置がすぐに可用な状態にあるのにエンドユーザによって使用されていない装置と第一記憶媒体を結合するのをさらに含んでいる。ある実施例が、選択データに基づく予定されたアカウントに通貨の量を請求するのをさらに含んでいる。ある実施例が、選択データに基づく通貨の量の送り状を送るのをさらに含んでいる。
【０２２７】
また、本発明は、適当にプログラムされた情報処理装置がメソッドを実行することを引き起こすためにその上に指示を保存するコンピュータ読み込み可能な第一記憶媒体を持っている装置について説明する。選択データを得る。そして、記憶媒体を変更するとデータが選択に基づいたので、消されたスペースは非選択された資産に代わって他のデータのストレージに利用可能になり、そして、選択された資産はインストールされるように利用可能。任意に、さらなる操作がソフトウェア資産の部分集合をアンインストールするまで、複数のインストールされたソフトウェア資産は使用を入手できない。任意に、指示は第一記憶媒体原因に選択された内容に基づく通貨の量を請求するのをさらに包括するメソッドを保存する。
【０２２８】
ある装置の実施例がさらに複数のインストールされたソフトウェア資産を含んでいるデータを第一記憶媒体として保存するための手段、そして／または、多くのソフトウェア資産を第二の記憶媒体にインストールするための手段を含んでいる。そして、複数のインストールされたソフトウェア資産を含んでいる第二の記憶媒体、そして／または、エンドユーザによって使用されていないコンピュータ制御装置からのデータを第一記憶媒体にコピーするための手段。そして、変更のための手段の操作の後に、装置がすぐに実質的にエンドユーザが使用可能な状態にあるように作動的に第一記憶媒体を装置と結合するための手段、そして／または、通貨の量を請求するための手段は選択された内容を基礎づける。
【０２２９】
また、本発明は記憶媒体に接続するためにインタフェースを構成する装置について説明する。記憶媒体にはインストールされたソフトウェア資産の事前書きの第一セットがあって。入力装置は選択データを受け取るのを構成される。そして、選別はインタフェースと入力装置と結合される。そこでは、選別が選択データに基づく記憶媒体を変更するためにインタフェースを制御するために構成されるので、消されたスペースが非選択された資産に代わって他のデータのストレージに利用可能になって、選択された資産はインストールされた内容として利用可能。
【０２３０】
ある実施例がさらに以下を含んで、インストールされたソフトウェア資産の第一セットを保存させる記憶媒体作家を含み、同時に実質的に第一記憶媒体と、少なくとも他のある記憶媒体に書くの操作が可能。第一セットを含んでいる実質的に同じデータ、また／あるいは、記憶媒体作家の第一セットと第二セットをその上に保存されたインストールされたソフトウェア資産で操作可能にして、同時に実質的に第一記憶媒体と、また、他の多くの記憶媒体に書く、同時に実質的に第二セットのインストールされたソフトウェア資産を含んでいる実質的に同じデータ、また／あるいは、メカニズムに書くのがエンドユーザによって使用されていない装置と第一記憶媒体を結合し、いつ装置が選別操作の後に記憶媒体と結合し、すぐに使用可能な状態、また／あるいは、支払いメカニズムであり、選択された内容に基づく通貨の量を請求する。任意に、ソフトウェア資産はデジタル資産。
【０２３１】
また、本発明はその上に事前書きの 広汎集合を保存する多くのインストールされたソフトウェア資産を含んでいるエンドユーザ記憶媒体を持っている装置について説明する; 記憶媒体は複数のインストールされたソフトウェア資産の第一有用性の前に複数のインストールされたソフトウェア資産の第一部分集合を包括するipselectaを保有するために選択的に選別されて、エンドユーザ記憶媒体にインストールされるように利用可能な状態で第一の唯一の部分集合がそのようなものが、複数のインストールされたソフトウェア資産の第二の部分集合を包括する引き留めを消すために構成される、そして、第二部分集合からの集積スペースは他のデータのストレージに利用可能; さらなる操作が引き留めを消すまで、複数のインストールされたソフトウェア資産は使用を入手できない。任意に、記憶媒体はさらに適当にプログラムされた情報処理装置が以下を包括する方法を実行することを引き起こすためにその上に保存された指示を含んで、選択データを得り、そして、記憶媒体を変更するとデータが選択に基づいたので、スペースは非選択された資産に代わって他のデータのストレージに利用可能になり、そして、選択された資産はインストールされるように利用可能。任意に、記憶媒体はさらに適当にプログラムされた情報処理装置が以下を含む方法を実行することを引き起こすためにその上に保存された指示を包括して、選択データを得り、記憶媒体を変更するとデータが選択に基づいたので、消されたスペースは非選択された資産に代わって他のデータのストレージに利用可能になり、そして、選択された資産はインストールされるように利用可能。そして、指定されたアカウントに通貨の量を請求するために変更作業の状態を中央施設に報告する。
【０２３２】
また、本発明はいくつかのソフトウェア資産を提供するデータ構造を減少に反応にしている非一時的 (非一時的) 信号キャリヤー(carrier)を包括する製品について説明する。任意に、非一時的信号キャリヤーは、適当にプログラムされた情報処理装置が以下を包括する方法を実行することを引き起こすためにさらにそこから利用可能な指示を包括して、
選択情報を得り、非一時信号キャリヤーを変更すると情報が選択に基づいたので、スペースは非選択された資産に代わって他の情報のストレージに利用可能になり、そして、選択された資産はインストールされるように利用可能。そして、変更作業の状態を中央施設に報告する。任意に、非一時的信号キャリヤーは、適当にプログラムされた情報処理装置が以下を包括し、方法を実行することを引き起こすためにさらにそこから利用可能な指示を包括して、選択データを得り、非一時的信号キャリヤーを変更すると情報が選択に基づいたので、スペースはに代わって他のデータを保持するのに利用可能になり、そして、保つのが選択された資産はインストールされるように利用可能。そして、指定されたアカウントに量を請求すると、保つのが選択された資産は基づく。任意に、非一時的信号キャリヤーは以下を包括して、包囲、機械的に包囲に比例して付けられたディスクドライブプロセッサ。信号転送要求を受け入れて、発信するのにおいて作動的にプロセッサと結合して操作可能な外部の装置インタフェースは、外部の装置から信号に合図して、受信する。少なくとも一個の回転するディスクが包囲に収容して、作動的にプロセッサと結合されて、その上にディスクドライブプロセッサが以下を包括する方法を実行することを引き起こすための広汎集合と指示を保存し、選択データを得て、選択データに基礎づけた非一時的信号キャリヤーを変更し、非選択された資産に代わってスペースが他のデータを保持するのに利用可能になって、選択された資産がインストールされるように利用可能。
【０２３３】
ある実施例がさらに作動的に非一時的信号キャリアーと結合された外部の装置を含んでいる、非一時的信号キャリアーから信号を信号転送要求を非一時的信号キャリアーに送信して、シグナルを送って、受け取るのにおいて操作できる外部の装置。非一時的信号キャリアーが以下を包括するところで包囲。プロセッサは包囲に上がる。外部の装置からデータ転送要求を受け入れて、発信するのにおいて作動的にプロセッサと結合して操作可能な外部の装置・インタフェースは、外部の装置から信号に合図して、受信する。少なくとも1個の回転するディスクが包囲に収容する、作動的にプロセッサと結合されて、その上にプロセッサが以下を包括するメソッドを実行することを引き起こすための広汎集合と指示を保存したので、選択データを得て、キャリアーが非選択された資産に代わってスペースが他のデータのストレージに利用可能になって、選択された資産がインストールされるように利用可能であるように選択データに基礎づけた非一時的信号キャリアーを変更する。
【０２３４】
任意に、非一時的信号キャリアーは以下を包括するソリッドステートのメモリ素子。包囲。ソリッドステートのメモリ素子プロセッサは包囲に上がる。データ転送要求を受け入れて、発信するのにおいて作動的にプロセッサと結合して操作可能な外部の装置・インタフェースは、外部の装置から信号に合図して、受信する。少なくとも一つのソリッドステートメモリが包囲に収容する、作動的にプロセッサと結合されて、その上にプロセッサが以下を包括するメソッドを実行することを引き起こすための広汎集合と指示を保存したので
選択データを得て、キャリアーが非選択された資産に代わってスペースが他のデータのストレージに利用可能になって、選択された資産がインストールされるように利用可能であるように選択データに基礎づけた非一時的信号キャリアーを変更する。
【０２３５】
本発明は、多くの選択可能なソフトウェア資産を提供しながらデータ構造を持っている非一時的信号キャリアーを包括する装置を前提として、選択された求められていない資産の減算インストールがカスタム設計されたセットのインストールされた資産を残すことを意味する。任意に、非一時的信号キャリアーはさらに適当にプログラムされた情報処理装置が以下を包括し、メソッドを実行することを引き起こすためにその上に保存された指示を包括し、複数の選択可能なソフトウェア資産に関連している価格設定情報を提示する。引き出してユーザから選択データのしるしを受ける。そして、非一時的信号キャリアーを変更するとデータが選択に基づいたので、スペースは非選択された資産に代わって他のデータのストレージに利用可能になり、そして、選択された資産はインストールされるように利用可能。任意に、非一時的信号キャリアーはさらに適当にプログラムされた情報処理装置が以下を包括し、メソッドを実行することを引き起こすためにその上に保存された指示を包括し、複数の選択可能なソフトウェア資産に関連している価格設定情報を提示する。引き出してユーザから選択データのしるしを受ける。非一時的信号キャリアーを変更するとデータが選択に基づいたので、消されたスペースは非選択された資産に代わって他のデータのストレージに利用可能になり、そして、選択された資産はインストールされるように利用可能。そして、指定されたアカウントに量を請求し、それは選択データに基づいている。任意に、非一時的信号キャリアーは以下を包括するディスクドライブ、包囲、ディスクドライブプロセッサは包囲に上がる。外部の装置からデータ転送要求を受け入れて、データを送って、データを受け取るのにおいて作動的にプロセッサと結合して操作可能な外部の装置・インタフェース。そして、少なくとも1個の回転するディスクが包囲に収容し、作動的にプロセッサと結合されて、その上にディスクドライブプロセッサが以下を包括するメソッドを実行することを引き起こすための広汎集合と指示を保存したので、記憶媒体が非選択された資産に代わって消されたスペースが他のデータのストレージに利用可能になって、選択された資産がインストールされるように利用可能であるように選択データに基礎づけた選択データ、および変更を得る。
【０２３６】
任意に、信号キャリアーは以下を包括するソリッドステートのドライブ、包囲、ソリッドステートのドライブプロセッサは包囲に上がる。外部の装置からデータ転送要求を受け入れて、データを送って、データを受け取るのにおいて作動的にプロセッサと結合して操作可能な外部の装置インタフェース。少なくとも一つのソリッドステートメモリが包囲に収容し、作動的にプロセッサと結合されて、その上にプロセッサが以下を包括し、メソッドを実行することを引き起こすための広汎集合と指示を保存したので選択データを得て、キャリアーが非選択された資産に代わってスペースが他のデータのストレージに利用可能になって、選択された資産がインストールされるように利用可能であるように選択データに基礎づけた非一時的信号キャリアーを変更する。
【０２３７】
また、ある実施例が作動的に非一時的信号キャリアーと結合された外部の装置を含んで、非一時的信号キャリアーから送信データと、送信データへのデータ転送要求を送信して、データを受け取るのにおいて操作できる外部の装置。どの点で非一時的キャリヤーが以下を包括するソリッドステートのドライブ、包囲、ソリッドステートのドライブプロセッサは包囲に上がる。外部の装置からデータ転送要求を受け入れて、データを送って、データを受け取るのにおいて作動的にプロセッサと結合して操作可能な外部の装置インタフェース。少なくとも一つのソリッドステートメモリが包囲に収容し、作動的にプロセッサと結合されて、その上にプロセッサが以下を包括し、メソッドを実行することを引き起こすための広汎集合と指示を保存したので、複数の選択可能なソフトウェア資産に関連している価格設定情報を提示する。引き出してユーザから選択データのしるしを受ける。そして、非一時的信号キャリアーを変更するとデータが選択に基づいたので、スペースは非選択された資産に代わって他のデータのストレージに利用可能になり、そして、選択された資産はインストールされるように利用可能。
【０２３８】
また、本発明は以下を包括するコンピュータで実装しているメソッドを提供し、複数の広汎集合を保存するコンピュータ読み込み可能なマスター記憶媒体を提供し、第一複数のソフトウェア資産含んでいる第一広汎集合を含んでいて、そして、第二複数のソフトウェア資産含んでいる第二広汎集合を含んでいて。コンピュータ読み込み可能でコンピュータ書き込み可能な第一エンドユーザ記憶媒体を提供する。第一選択の複数の広汎集合を指定するデータを得る。第一選択の広汎集合を第一のエンドユーザ記憶媒体に書く。そこでは、さらなる操作がソフトウェア資産の部分集合をアンインストールするまで、第一の複数のインストールされたソフトウェア資産は使用を入手できない。ある実施例が、第一の複数のソフトウェア資産をインストールすることによって第一の広汎集合を作成するのをさらに含んでいる。また／あるいは、広汎集合が第一エンドユーザ記憶媒体を書いた前に、選ばれていないの一セットソフトウェア資産を選択の第一広汎集合からアンインストールする。また／あるいは、広汎集合が第一エンドユーザ記憶媒体を書いた後で、あるいは書いた後で、選ばれていないの一セットソフトウェア資産を選択の第一広汎集合からアンインストールする。ある実施例が、第二のコンピュータ読み込み可能でコンピュータ書き込み可能なエンドユーザ記憶媒体を提供するのをさらに含んでいる。指定するデータを得ると、第二の複数の広汎集合の一つは選択される。そして、選択された第二の広汎集合を第二のエンドユーザ記憶媒体に書く。
【０２３９】
また、本発明は適当にプログラムされた情報処理装置がその上に包含して、複数の広汎集合を保存するコンピュータ読み込み可能なマスター記憶媒体を使用することを引き起こすために、指示を保存するコンピュータ読み込み可能な記憶媒体を持っている装置を提供する。第一複数のソフトウェア資産をインストールのを含んでいる第一の広汎集合、複数で異なった第二複数のソフトウェア資産をインストールのを含んでいる第二の広汎集合は以下を包括するメソッドを実行することによって第一のコンピュータ読み込み可能でコンピュータ書き込み可能なエンドユーザ記憶媒体を変更するためにソフトウェア資産をインストールする。第一複数の広汎集合の一つは選択されたのを指定するデータを得ると、そして、第一広汎集合は第一選択のエンドユーザ記憶媒体に書く。そこでは、さらなる操作がソフトウェア資産の部分集合をアンインストールするまで、第一の複数のインストールされたソフトウェア資産が使用を入手できない。ある実施例は、さらに第一の複数ソフトウェア資産をインストールすることによって第一広汎集合を作成するのを含んでいる。また／あるいは、選ばれていない一セットのソフトウェア資産が、選択の第一のエンドユーザ記憶媒体に書く前に、選択の第一の広汎集合からそれをアンインストールする。また／あるいは、選択の第一の広汎集合が選択の選択の第一エンドユーザ記憶媒体に書く後で、アンインストールされる。任意に、メソッドは、選択された第二の複数広汎集合の一つを指定するデータを得ることによって、第二のコンピュータ読み込み可能でコンピュータ書き込み可能なエンドユーザ記憶媒体をさらに変更して、第二の広汎集合は選択されの第二エンドユーザ記憶媒体を書く。
【０２４０】
また、本発明はコンピュータ読み込み可能なマスター記憶媒体に接続するために構成にされているのでインタフェースを持っている装置を提供する、そして、どれが複数で第1を含んでいる第一広汎集合を含んでいるその上に格納された多くのpanolexを持っているかがソフトウェア資産をインストールする、そして、複数で異なった2番目を含んでいる2番目の広汎集合はソフトウェア資産をインストールする; そして、第一コンピュータ読み込み可能でコンピュータ書き込み可能なエンドユーザ記憶媒体に、 事前書きを複数にする記憶媒体は、ソフトウェア資産をインストールして、指定するデータを得るために第1が複数のpanolexの1つを選択したことを意味して、どれに1番目を書くためにインタフェースと結合されたかが第一エンドユーザ記憶媒体に広汎集合を選択したことを意味する; さらなる操作がソフトウェア資産の部分集合をアンインストールするまで、第一複数のインストールされたソフトウェア資産は使用を入手できない。ある実施例がさらに複数で1番目をインストールするのによる第一広汎集合を作成するためのソフトウェア資産1日から1セットの選ばれていないソフトウェア資産をアンインストールするための手段が第一選択された広汎集合に書きながら広汎集合を選択した手段を第一エンドユーザ記憶媒体に含んでいる; そして／または、第一エンドユーザ記憶媒体への第一選択された広汎集合に書いて、 2番目のコンピュータ読み込み可能でコンピュータ書き込み可能なエンドユーザ記憶媒体(複数のpanolexの選択された1秒間、1つを指定するデータを得るための手段)に2番目を書くための手段を提供するための手段が2番目のエンドユーザ記憶媒体に広汎集合を選択した後に1日から1セットの選ばれていないソフトウェア資産をアンインストールするための手段は広汎集合を選択する。
【０２４１】
記憶媒体から多くのソフトウェア資産を消すのは生活費要求で指定しないでした、利用可能であるとしていなくなって、保たれるために指定されたそれらのソフトウェア資産をインストールするために。また、本発明は記憶媒体を変更するための方法を提供する。方法は、保たれることになっている多くのソフトウェア資産の仕様を含んでいる生活費要求を出すのを含んでいる。任意に、ただ一つの呼び出しを使用することによって、生活費要求の発行をする。
【０２４２】
また、本発明は保たれることになっている多くのソフトウェア資産の仕様を含んでいる生活費操作を含んでいるコンピュータ・アーキテクチャを提供する。生活費操作の実行がaを引き起こすところでは、保たれるために消された資産に対応するスペースが他のデータの格納のために利用可能になって、利用可能であるとしていなくなって、指定されたそれらのソフトウェア資産をインストールして、複数のソフトウェア資産は、記憶媒体から消されるために生活費要求で指定しないでした。任意に、生活費操作はただ一つの呼び出し。
【０２４３】
また、本発明は以下を包括するコンピュータで実装しているメソッドを提供し、事前書き複数であるソフトウェア資産はインストールされ、非一時的信号キャリヤーを提供し、選択データを得てるし、そして、非一時的信号キャリヤーを変更するとデータが選択に基づいたので、非選択された資産が代わって、消されたスペースは利用可能。そして、選択された資産はインストールされるように利用可能。任意に、非一時的信号キャリヤーは電気的に消去可能なソリッドステートメモリを入れる。任意に、非一時的信号キャリヤーの変更は、少なくとも非選択された資産のいくつかを含む一ブロック以上のデータを消すのを含んでいる。任意に、第二部分集合が消されたストレージスペースは他のデータのストレージに利用可能。任意に、広汎集合はさらに引き留めの消去を容易にするためにデジタル資産識別情報と位置情報を構成する第一データ構造を含んでいる。任意に、広汎集合はさらにディレクトリデータ構造を含んでいる。任意に、第一データ構造はディレクトリ。任意に、第一データ構造は登録。任意に、第一データ構造はソフトウェア資産がインストールされたオーダーを示すデータを含んでいる。任意に、第一データ構造はソフトウェア資産のどの引き留めがアンインストールされることになっていたらよいかでオーダーを示すデータを含んでいる。任意に、媒体の提供はさらに以下を包括する。第一インストール記憶媒体をコンピュータに接続する。第一複数のインストールするソフトウェア資産は第一広汎集合を作成する第一インストール記憶媒体にインストールされる。第一エンドユーザ記憶媒体に第一広汎集合をコピーする。任意に、第一エンドユーザ記憶媒体への第一広汎集合のコピーはさらに以下を包括する。第一インストール記憶媒体からその上に他の少なくとも一広汎集合を保存するマスター記憶媒体まで第一広汎集合をコピーする。そして、マスター記憶媒体から第一エンドユーザ記憶媒体まで第一広汎集合をコピーする。任意に、第一広汎集合はさらに複数のインストールされたソフトウェア資産に関する識別情報と位置情報を持っているディレクトリデータ構造を含んでいる、運用情報を多くのコンピュータ・プログラムを動かすのに必要にする登録データ構造は複数のインストールされたソフトウェア資産、および選別オーダーデータ構造の中にディレクトリデータ構造から引き留め情報を取り除く注文に関して情報を持って、登録データ構造を含む。
【０２４４】
また、本発明は以下を包括する装置を提供する。どのデータに記憶媒体を含んでいる機能的な容器で、書くことができて、どのデータから読むことができるか、そして、データを保有するのを構成して、インタフェースはさらに機能素子と記憶媒体を結合するのにおいて操作可能になる; そして、それは記憶媒体に格納された個別にアクセスしやすいソフトウェア資産の収集を含んでいて、ソフトウェア資産について説明する顕現を含んでいる位置と記憶媒体の中の物理的な位置からの論理的な情報を伝えるファイル構造を含んでいる; 記憶媒体は選択可能なソフトウェア資産の在庫と配送する乗り物の両方として選択されたソフトウェア資産に役立つ。任意に、選択されたソフトウェア資産が利用可能であるように、記憶媒体を選別する、そして、非選択されたソフトウェア資産を取り除く。ある実施例がさらに作動的に機能的な容器と結合された機能的な電子装置を含んでいる、装置がカスタム設計されていて使用に準備ができるように。
【０２４５】
また、本発明はまた、他のソフトウェア資産がソフトウェア資産のセットから選択される消された状態にある一セットのソフトウェア資産、および他のソフトウェア資産の残りの証印から選択された多くのインストールされたソフトウェア資産を含むデジタル保存の新しい読み込み可能で書き込み可能な媒体装置を持っている装置を提供する。任意に、記憶媒体装置は資産を分配される第一部分集合と分配されない第二の部分集合に変えるためにプレインストールされた複数のソフトウェア資産を持っていて、コンピュータ・プログラムを含んでいる分配ユニットを提供する。
【０２４６】
また、本発明は初期の有用性の前の装置からエンドユーザまでプレインストールされた資産の部分集合を引き算するのを包括するメソッドを提供する。任意に、部分集合の引きはユーザからの選択指摘で誘導される。ある実施例が、中央の施設、引き作業の状態を示すデータ、そして／または、勘定に報告されたデータに基づくアカウントを報告するのをさらに含んでいる。任意に、引きは、ユーザによって選択された複数のインストールされたデジタル資産を残すためにデジタル資産を消すのを含んでいる。
【０２４７】
また、本発明は複数の装置のそれぞれ上でソフトウェア資産の初めは一般的なセットのソフトウェア資産を保持する固まりをカスタム設計するa複数の装置をすべて、包括している、変形している異なった部分集合を消された状態へのインストールされた状態からメソッドに提供する。任意に、マスカスタマイゼーションは一つ以上の製造設備で実行される。任意に、マスカスタマイゼーションを実行して、次に、装置の購入者に装置を出荷する。任意に、一つ以上の製造設備でマスカスタマイゼーションを実行する、そして、装置の購入者に装置を出荷する。任意に、装置は後でエレクトロニクスに取り付けられる記憶媒体。
【０２４８】
また、本発明は製造の新品を提供する。消された状態で非選択された資産の実質的に使用するのにおいて準備ができる状態と残りの証印で選択されたセットのインストールされたソフトウェア資産を利用可能にする情報処理器具を包括する。任意に、残りは資産が消された身元が分かる情報を持っているデータ構造を含んでいる。任意に、残りは資産所有者に関して識別情報を持っているデータ構造と消された資産の名前を含んでいる。任意に、情報処理器具は意図している機能を提供するために別の電子装置に取り付けられるために構成された記憶媒体を包括する。任意に、情報処理器具は器具が同時に実質的に実行する多くのプログラム糸を使用するアンインストールされた州に非選択されたソフトウェア資産の状態を変換にまとめて包括する方法を実行することを引き起こすためにその上にコンピュータ・プログラムを格納する記憶媒体を包括する。任意に、方法は、プレインストールされた資産と関連する価格情報の選択をユーザに提示するのをさらに包括する。そして、ユーザから選択指摘を引き出して、受ける。そこでは、アンインストールされた状態へのソフトウェア資産の部分集合の事情の変化が選択指摘に少なくとも一部基づいている。任意に、方法は、報告するのをさらに包括する、中央の施設に、ソフトウェア資産の部分集合の事情の変化の状態をアンインストールされた状態に示すデータ。
【０２４９】
また、本発明は装置を提供して、記憶媒体を包括して、どれが作動的にソフトウェア資産の記憶媒体への減算インストールのための記憶媒体と結合されたかを作っている。ある実施例がさらにユーザ顕著な資産から指示を受けるための引き算されることになっているものから妨げられることになっている手段を含んでいる。
【０２５０】
また、本発明はカスタム設計された内容、分配しながらインストールするためのプログラムされたメソッドを提供し。メソッドは以下を包括し、初めはの利用可能な収集をインストールすると、内容は記憶媒体にインストールされる、選択データを受け取って、それは取り除くために初めは利用可能な内容の異質な部分から保存されるために初めは利用可能な内容のユーザによって選択された部分を区別する。そして、異質な部分を取り除くこと。ある実施例が、異質な内容の取り外しの後に選択された内容との装置の相互作用を可能にするために記憶媒体を装置に結びつけるのをさらに含んでいる。ある実施例が、装置で記憶媒体のその後の使用のための装置に記憶媒体を結びつけるのをさらに含んでいる。(そこでは、異質な内容の取り外しが記憶媒体のカップリングにその後で実行される)。ある実施例が、記憶媒体を装置に結びつけるのをさらに含んでいる。そして、異質な内容(選択された部分が装置で作用しているようなもの)の取り外しの後に装置をユーザに提供すること。ある実施例が、異質な内容の取り外しが記憶媒体のカップリングにその後で実行される装置で記憶媒体のその後の使用のための装置に記憶媒体を結びつけるのをさらに含んでいる。そして、作動的に装置と結合される記憶媒体にもかかわらず、利用可能な内容の収集のユーザビリティがある装置の使用で選択データを引き出して、受け取ると、ユーザから、選択データの未定の領収書は差し控えられる。ある実施例が、装置で記憶媒体のその後の使用のための装置に記憶媒体を結びつけるのをさらに含んでいる。(そこでは、異質な内容の取り外しが記憶媒体のカップリングにその後で実行されて、異質な内容の取り外しはネットワークを通して向けられる)。任意に、少なくともネットワークの部分はワイヤレス。任意に、起動は小売店のときに実行される。ある実施例は、利用可能な内容の選択された部分にユーザにとって、特定のデータを取り入れるのをさらに含んでいる。ある実施例は、初めは利用可能な内容のいずれの収集にも追加内容をインストールするのをさらに含んでいない。任意に、インストールは登録データの変更を含んでいる。また、取り外しは登録データの変更を必要とする。ある記憶媒体をデフラグメントして、実施例が取り外しの後にさらに含む。任意に、異質な内容を取り除くのは、実質的に、そのような内容に参照をつけるすべての関連メタデータが変更されている速くて、安全な消去を使用することで実行される。任意に、インストールは、初めは利用可能な内容のマスター記憶媒体への収集を保存するのを含む。そして、マスター記憶媒体から記憶媒体までの収集をコピーすること。任意に、インストールは、利用可能な内容のそれぞれの部分に関連している一つ以上のインストールスクリプトを作成するのを含んでいる。任意に、取り外しは、利用可能な内容の異質な部分に関連している一つ以上の取り外しスクリプトを作成するのを含んでいる。ある実施例が、利用可能な内容の異質な部分の取り外しの後に記憶媒体から最終的な記憶媒体まで必要な部分をコピーするのをさらに含んでいる。任意に、最終的な記憶媒体には、利用可能な内容の収集の全体を保存する不十分な容量がある。
【０２５１】
また、本発明は優しい資産ディスペンサーを提供すると以下を包括し、プロセッサ、プロセッサが記憶媒体の中に格納されたソフトウェア資産を処理できるように方法でプロセッサと結合できるデジタル資産の予定された収集を格納する記憶媒体。作動的に収集からソフトウェア資産を取り除くのにおいて記憶媒体で操作可能であると結合される、ソフトウェア資産の必要な部分が保有されて、このようにして分配される収集カスタマイザー（customizer）。任意に、必要なソフトウェア資産は人間のユーザによって選ばれている。任意に、必要なソフトウェア資産はエンドユーザの一つ以上の特性に基づいて自動的に選択される。任意に、必要なソフトウェア資産は、エンドユーザと一つ以上の特性がどの点で一つを含むかに関する一つ以上の特性に基づいて自動的に選択されているか、または組織でエンドユーザのランク、機能、および地理的な位置から成るグループからさらに選択されている。任意に、必要なソフトウェア資産は、エンドユーザと一つ以上の特性がどの点で一つを含むかに関する一つ以上の特性に基づいて自動的に選択されているか、または学校の成ること(大学入学許可の年)が設定した選択されたクラスのグループ、および学園の位置からさらに選択されている。
【０２５２】
また、本発明は装置を提供して、ソフトウェア資産を格納して、読んで、書く記憶媒体を含んでいる機能的な容器を包括し、情報処理器具と記憶媒体を結合するのにおいて操作可能なインタフェース、個別にアクセスしやすいソフトウェア資産のソフトウェア資産とスーパーセット収集をまとめるメタデータ、機能的な容器が選択可能な在庫と配送する乗り物の両方としてソフトウェア資産の選択された部分集合に役立つように。任意に、機能的な容器はソフトウェア資産の取り外しの後に購入されていないままで残っているそれらのソフトウェア資産だけを含んでいる。
【０２５３】
また、本発明はソフトウェア資産を格納のための手段を含んでいる機能的な容器を包括して、読んで、書きながら、装置を提供する、情報処理器具にソフトウェア資産を格納して、読み込んで、書くための手段を結合するための手段、個別にアクセスしやすいソフトウェア資産のソフトウェア資産と収集をまとめるためのメタデータ手段、機能的な容器が選択可能な在庫と配送する乗り物の両方としてソフトウェア資産に役立つように。任意に、機能的な容器はソフトウェア資産の取り外しの後に購入されていないままで残っているそれらのソフトウェア資産だけを含んでいる。ある実施例がさらに、情報処理器具を含んでいる、器具がカスタム設計されていて使用に準備ができるように。そこでは、器具が作動的に機能的な容器と結合される。
【０２５４】
発明の特定の実施例に関して選択的にデジタル・コンテンツを分配するための方法と装置の上の記述があったのが理解されるでしょう。発明の広い範囲の中でこの記述が発明の目的に完全に達することができて、単に発明の広い範囲の代表が思い描かれるのがそんなに同じように理解されて、上の実施例の多数の変化が知られているか、知られるようになるか、明白であるか、または芸術における普通の技能で1つに明白になるかもしれなくて、これらの変化が完全になることをゆったり過ごしてください。例えば、また、ある格納技術がここに説明されている間、適切なファイルシステムがある他のそのような格納技術は使われるかもしれない。その上、また、様々なタイプのディジタル素子が言及されている間、他の多数のタイプは発明の実施例に使用されるかもしれない。発明は汎用計算機、専用計算機、埋め込まれたコンピュータ、企業コンピュータ、サーバ、percepters、器具、機械、乗り物、兵器などを含んでいる。
【０２５５】
多数の特性とここに説明される様々な実施例の利点は以上の記述で詳しく説明されるが。他の多くの実施例と詳細への変化は構造と機能の詳細と共に上の記述を見直すときの芸術における、様々な実施例の技術のものに明らかになるでしょう。発明の範囲はそのようなクレームが題する同等物の完全な範囲による追加されたクレームに関して断固としているべき。そして、追加されたクレーム、「包含」という用語、「どれ」それぞれの用語「包括」と「どの点で」の明瞭な同等物として、それぞれ使用されるか。そのうえ、「第一」、「第二」、および「第三」などという用語は、単にラベルとして使用されて、数字の要件をそれらの物に課すことを意図しない。
【図面の簡単な説明】
【０２５６】
【図１Ａ】パソコン或いは類似の情報処理装置に資産を分配するサイドローディングプロセス189のブロック図
【図１Ｂ】指導者（preceptor）或いは類似の情報処理装置に資産を分配するサイドローディングプロセス190のブロック図
【図１Ｃ】記憶媒体150にソフト資産を分配するためのプロセス130の作業工程図
【図１Ｄ】選別プロセス152の作業工程図
【図１Ｅ】ネットワークの活性化した選別プロセス155の作業工程図
【図２Ａ】カスタマイズそして/或いはユーザ選択のソフト資産を持つ記憶媒体150を作る広汎集合の製造及び広汎集合選別プロセス200のブロック図
【図２Ｂ】もう一つのカスタマイズそして/或いはユーザ選択のソフト資産を持つ記憶媒体150を作る広汎集合の製造及び広汎集合選別プロセス204のブロック図
【図２Ｃ】自給式選別プログラム240を持つ記憶媒体260（例えばディスクドライブ261の実施例）のブロック図
【図２Ｄ】自給式選別プログラム240を持つ記憶媒体270（例えば固体ドライブ271の実施例）のブロック図
【図２Ｅ】記憶媒体231に使う選別プロセス280のブロック図
【図２Ｆ】記憶媒体231に使うintransientシグナルキャリア290のブロック図
【図２Ｇ】記憶媒体236に使う空白集合253を処理するプロセス288のブロック図
【図３Ａ】ソフト資産300のベン図
【図３Ｂ】選択及び選別されたソフト資産350のベン図
【図４Ａ】広汎集合を有する主要ディスクを複製してコンピュータにカスタマイズしてインストールするプロセス100のブロック図
【図４Ｂ】実施例の一例として複製した広汎集合のカスタマイぜーション410の論理作業工程図
【図４Ｃ】図4Bに示したカスタマイぜーション方法を含めて内容分配430の論理作業工程図
【図４Ｄ】図4Aに示した分配用コンピュータ102の構成要素400を説明するブロック図
【図５】説明された実施例の一つの中に図4A、4B、4Cに複製された広汎集合502のブロック図
【図６】図4Dのシステムカスタマイゼーションロジック600の詳しくブロック図
【図７】図5の広汎集合の作成700を説明する論理作業工程図
【図８】図5の広汎集合のカスタマイゼーション800を説明する論理作業工程図
【図９】広汎集合全体を格納する能力が不十分のディスクに広汎集合を収納するカスタマイゼーション900を図解形式で説明する。
【図１０】妥当性検査1400の作業工程図
【図１１】減算インストレーション方法1501の作業工程図
【図１２】システム1502のブロック図
【図１３】方法1503の作業工程図
【図１４】コンピュータ実行方法1504の作業工程図
【図１Ａ】
2009521043.tif 000003
【図１Ｂ】
2009521043.tif 000004
【図１Ｃ】
2009521043.tif 000005
【図１Ｄ】
2009521043.tif 000006
【図１Ｅ】
2009521043.tif 000007
【図２Ａ】
2009521043.tif 000008
【図２Ｂ】
2009521043.tif 000009
【図２Ｃ】
2009521043.tif 000010
【図２Ｄ】
2009521043.tif 000011
【図２Ｅ】
2009521043.tif 000012
【図２Ｆ】
2009521043.tif 000013
【図２Ｇ】
2009521043.tif 000014
【図３Ａ】
2009521043.tif 000015
【図３Ｂ】
2009521043.tif 000016
【図４Ａ】
2009521043.tif 000017
【図４Ｂ】
2009521043.tif 000018
【図４Ｃ】
2009521043.tif 000019
【図４Ｄ】
2009521043.tif 000020
【図５】
2009521043.tif 000021
【図６】
2009521043.tif 000022
【図７】
2009521043.tif 000023
【図８】
2009521043.tif 000024
【図９】
2009521043.tif 000025
【図１０】
2009521043.tif 000026
【図１１】
2009521043.tif 000027
【図１２】
2009521043.tif 000028
【図１３】
2009521043.tif 000029
【図１４】
2009521043.tif 000030
【国際調査報告】
2009521043.tif 000031
2009521043.tif 000032